(57)【要約】  少なくとも２つの準安定構成を持つ光学部分を備えた動的コンタクトレンズであって、前記動的コンタクトレンズと眼瞼および／または涙液メニスカスとの相互作用により、前記準安定構成間に移行が誘導される動的コンタクトレンズが開示される。動的コンタクトレンズは、前記コンタクトレンズと、眼瞼および／または涙液メニスカスなどの涙液源との相互作用を容易にすることが可能であるとともに、前記準安定構成間の移行を容易にすることが可能な、１つ以上の機構を備えていてもよい。前記機構は、前記光学部分の後面と角膜の前面との間に形成される涙体の中と外への涙液の流れを調節するように構成されてもよい。前記動的コンタクトレンズは、老眼の矯正、近視の進行の緩徐化、または不規則形状の角膜により生じる視覚の矯正など、視覚矯正のために使用されてもよい。【選択図】図１
2021535432.tif 000002
【特許請求の範囲】
【請求項１】
コンタクトレンズであって、該コンタクトレンズは、
光学後面ベース曲率および光学中心を備えた光学部分と、
周辺後面ベース曲率を備えた周辺部分と、
前記光学部分と前記周辺部分とをつなげる移行部とを備えており、
前記コンタクトレンズを患者の眼に装着すると、前記光学部分が第１の準安定構成と第２の準安定構成により特徴づけられ、コンタクトレンズと眼の動作との相互作用により、前記第１の準安定構成と前記第２の準安定構成との間に移行が生じる、コンタクトレンズ。
【請求項２】
前記移行部が１５０ミクロン以下の半径方向幅を備えている、請求項１に記載のコンタクトレンズ。
【請求項３】
前記移行部が外周と厚みを備えており、前記厚みが前記移行部の外周まわりで変動する、請求項１に記載のコンタクトレンズ。
【請求項４】
前記光学部分が光学後面を備えており、
前記周辺部分が周辺後面と周辺前面とを備えており、
前記コンタクトレンズはさらに、
前記周辺後面の中にある１つ以上の溝部であって、少なくとも１つの溝部が前記周辺後面から前記光学部分まで延在している、溝部と、
前記少なくとも１つの溝部を前記周辺前面に接続する少なくとも１つのレンズ孔とを備えており、
前記移行部が外周と厚みを備えており、
前記厚みが前記移行部の外周まわりで変動し、
前記光学後面ベース曲率が７．１ｍｍ未満であり、
前記周辺後面ベース曲率が、前記光学中心から半径３．５ｍｍ未満にて前記光学後面ベース曲率よりも少なくとも０．４ｍｍ大きい、請求項１に記載のコンタクトレンズ。
【請求項５】
前記光学部分が光学後面を備えており、
前記周辺部分が周辺直径、周辺後面、および周辺前面を備えており、
前記コンタクトレンズは、患者の眼に装着されると前記光学部分が前記角膜と前記光学後面との間にレンズ体を形成するように構成され、
前記レンズ体が前記角膜上で直径少なくとも１．５ｍｍ、高さ少なくとも０．０１ｍｍである、請求項１に記載のコンタクトレンズ。
【請求項６】
前記周辺部分が周辺直径を備えており、
前記コンタクトレンズは、患者の眼に装着されると前記光学部分が前記第１の準安定構成と前記第２の準安定構成を呈することができるように構成される、請求項１に記載のコンタクトレンズ。
【請求項７】
前記光学部分が光学後面を備えており、
前記周辺部分が周辺後面を備えており、
前記コンタクトレンズは、患者の眼に、装着されると前記光学部分が前記光学部分にかけられる圧力に応じて複数の構成を呈することができるように構成され、
前記光学後面に陰圧がかけられると、前記光学後面が、前記角膜の前面に対してほぼ一致する１つ以上の構成を呈し、
陰圧がない状態では、前記光学後面が、前記光学後面と前記角膜の前面との間に涙体をもたらす中性構成を呈する、請求項１に記載のコンタクトレンズ。
【請求項８】
前記ほぼ一致する１つ以上の構成において、前記光学後面と前記角膜の前面との間の涙膜の厚みが、１０μｍ未満まで変動する、請求項７に記載のコンタクトレンズ。
【請求項９】
前記ほぼ一致する１つ以上の構成において、前記光学後面と前記角膜の前面との間の涙膜の厚みが、３μｍ未満まで変動する、請求項７に記載のコンタクトレンズ。
【請求項１０】
前記陰圧が５Ｐａ〜１，５００Ｐａである、請求項７に記載のコンタクトレンズ。
【請求項１１】
前記陰圧が１０Ｐａ〜２５０Ｐａである、請求項７に記載のコンタクトレンズ。
【請求項１２】
前記周辺後面ベース曲率が７．５ｍｍ〜９．５ｍｍであり、
前記周辺後面ベース曲率と前記光学後面ベース曲率との差が０．４ｍｍを超える、請求項２、３、５から７のいずれか１つに記載のコンタクトレンズ。
【請求項１３】
前記光学後面ベース曲率が６．８ｍｍ未満である、請求項１から７のいずれか１つに記載のコンタクトレンズ。
【請求項１４】
前記移行部が、該移行部の外周まわりで変動する厚みを有する、請求項１から４のいずれか１つに記載のコンタクトレンズ。
【請求項１５】
前記移行部が、該移行部の外周まわりで規則的なパターンで変動する厚みを有する、請求項１から４、および７のいずれか１つに記載のコンタクトレンズ。
【請求項１６】
前記移行部が、該移行部全体にわたり延在する１つ以上の切れ目を備えている、請求項１から４、および７のいずれか１つに記載のコンタクトレンズ。
【請求項１７】
前記１つ以上の切れ目が、前記周辺部分の後面にあって前記光学部分へと延在する１つ以上の後面溝部を備えている、請求項１６に記載のコンタクトレンズ。
【請求項１８】
前記１つ以上の後面溝部がレンズ孔につなげられる、請求項１７に記載のコンタクトレンズ。
【請求項１９】
前記１つ以上の後面溝部が涙液貯蔵部につなげられる、請求項１７に記載のコンタクトレンズ。
【請求項２０】
前記光学後面ベース曲率が７．１ｍｍ未満であり、
前記周辺後面ベース曲率が前記光学後面ベース曲率より少なくとも０．４ｍｍ大きい、請求項２、３、５から７のいずれか１つに記載のコンタクトレンズ。
【請求項２１】
前記光学部分と前記周辺部分の各々が、弾性率０．１ＭＰａ〜１０ＭＰａの材料を備えている、請求項１から７のいずれか１つに記載のコンタクトレンズ。
【請求項２２】
前記周辺後面に設けられた１つ以上の後面溝部を備えており、ここで少なくとも１つの後面溝部が、前記周辺後面から前記光学部分まで延在している、請求項１から３および５から７のいずれか１つに記載のコンタクトレンズ。
【請求項２３】
前記１つ以上の後面溝部の各々が、前記光学部分の中心から放射状に延在している、請求項４および２２のいずれか１つに記載のコンタクトレンズ。
【請求項２４】
前記移行部が前記光学中心から半径３．５ｍｍ未満に位置し、中心ベース曲率が７．１ｍｍ未満であり、前記周辺後面ベース曲率が前記中心ベース曲率より少なくとも０．４ｍｍ大きい、請求項１から７のいずれか１つに記載のコンタクトレンズ。
【請求項２５】
前記第１の準安定構成が第１の隙間高さを備えており、
前記第２の準安定構成が第２の隙間高さを備えており、
前記第１の隙間高さと前記第２の隙間高さは異なるものであり、
前記隙間高さは、前記光学後面の中心から前記角膜までの距離である、請求項１に記載のコンタクトレンズ。
【請求項２６】
前記眼の動作は眼のむき眼位を変えることを含む、請求項１に記載のコンタクトレンズ。
【請求項２７】
前記第１の準安定構成において、前記光学部分が第１の光強度を備えており、
前記第２の準安定構成において、前記光学部分が第２の光強度を備えており、
前記第１の光強度は前記第２の光強度と異なる、請求項１に記載のコンタクトレンズ。
【請求項２８】
前記コンタクトレンズが患者の眼に装着されると、前記光学後面と前記角膜の前面との間に光学涙体が形成され、
前記第１の準安定構成において、前記光学涙体が第１の体積を備えており、
前記第２の準安定構成において、前記光学涙体が第２の体積を備えており、
前記第１の体積が前記第２の体積と異なる、請求項１に記載のコンタクトレンズ。
【請求項２９】
前記コンタクトレンズが患者の眼に装着されると、前記光学後面と前記角膜の前面との間に光学涙体が形成され、
前記第１の準安定構成において、前記光学涙体が第１の形状を備えており、
前記第２の準安定構成において、前記光学涙体が第２の形状を備えており、
前記第１の形状が前記第２の形状と異なる、請求項１に記載のコンタクトレンズ。
【請求項３０】
前記第１の準安定構成が、第１の距離から中心窩上の像に焦点を当てる光強度を提供し、
前記第２の準安定構成が、第２の距離から中心窩上の像に焦点を当てる光強度を提供する、請求項１に記載のコンタクトレンズ。
【請求項３１】
前記コンタクトレンズが患者の眼に装着されると、前記光学部分が第１の準安定構成と第２の準安定構成により特徴づけられ、前記光学後面と前記角膜の前面との間に光学涙体が形成され、
前記第１の準安定構成と前記第２の準安定構成との間での移行は、涙液が前記光学涙体の中と外を流れることにより調節される、請求項１から７のいずれか１つに記載のコンタクトレンズ。
【請求項３２】
前記コンタクトレンズが患者の眼に装着されると、前記光学部分が第１の準安定構成と第２の準安定構成により特徴づけられ、前記光学後面と前記角膜の前面との間に光学涙体が形成され、
前記第１の準安定構成と前記第２の準安定構成との間での移行は、前記光学涙体と涙液メニスカスとの流体結合と流体分離によって調節される、請求項１から７のいずれか１つに記載のコンタクトレンズ。
【請求項３３】
前記コンタクトレンズが患者の眼に装着されると、前記光学部分が第１の準安定構成と第２の準安定構成により特徴づけられ、
前記コンタクトレンズは、前記周辺後面を前記周辺前面に接続する１つ以上のレンズ孔を備えており、
１つ以上のレンズ孔を涙液メニスカスに流体結合することにより、前記光学部分の前記光強度に変化が生じる、請求項１から７のいずれか１つに記載のコンタクトレンズ。
【請求項３４】
前記コンタクトレンズが患者の眼に装着されると、前記光学部分が第１の準安定構成と第２の準安定構成により特徴づけられ、
前記コンタクトレンズは、前記周辺後面を前記周辺前面に接続する１つ以上のレンズ孔を備えており、
１つ以上のレンズ孔を涙液メニスカスから流体分離することにより、前記光学部分の前記光強度に変化が生じる、請求項１から７のいずれか１つに記載のコンタクトレンズ。
【請求項３５】
前記コンタクトレンズは、
前記周辺後面の中にある少なくとも１つの溝部であって、該少なくとも１つの溝部が前記周辺後面から前記光学部分まで延在している、溝部と、
前記少なくとも１つの溝部を前記周辺前面に接続する少なくとも１つのレンズ孔とを備えている、請求項１から３、および５から７のいずれか１つに記載のコンタクトレンズ。
【請求項３６】
前記コンタクトレンズが患者の眼に装着されると、前記光学部分の後面と前記角膜の前面との間に光学涙体が形成される、請求項１から７のいずれか１つに記載のコンタクトレンズ。
【請求項３７】
前記コンタクトレンズが患者の眼に装着されると、前記光学部分の後面と前記角膜の前面との間に隙間が形成され、該隙間の高さは最大１μｍ〜２００μｍである、請求項１から７のいずれか１つに記載のコンタクトレンズ。
【請求項３８】
前記光学部分は前記コンタクトレンズの中心軸に集中する、請求項１から７のいずれか１つに記載のコンタクトレンズ。
【請求項３９】
前記光学部分は前記コンタクトレンズの中心軸に集中しない、請求項１から７のいずれか１つに記載のコンタクトレンズ。
【請求項４０】
前記光学部分は前記コンタクトレンズの中心軸から４５度未満の角度である軸に集中する、請求項１から７のいずれか１つに記載のコンタクトレンズ。
【請求項４１】
前記光学部分が、範囲３０μｍ〜６００μｍ内の最大厚みを備えている、請求項１から７のいずれか１つに記載のコンタクトレンズ。
【請求項４２】
前記光学部分が、範囲２Ｅ３  ＭＰａ×μｍ３〜３Ｅ９  ＭＰａ×μｍ３の最大剛性を備えている、請求項１から７のいずれか１つに記載のコンタクトレンズ。
【請求項４３】
前記光学部分、前記周辺部分、またはその両方は、前記コンタクトレンズが患者の眼に装着されたときに前記光学後面と前記角膜の前面との間に形成される光学涙体の中と外に涙液を運ぶように構成された、少なくとも１つの機構を備えている、請求項１から７のいずれか１つに記載のコンタクトレンズ。
【請求項４４】
前記光学涙体の中と外への涙液の輸送は、前記光学部分の第１の準安定構成と前記光学部分の第２の準安定構成との間の移行に関連付けられる、請求項４３に記載のコンタクトレンズ。
【請求項４５】
前記少なくとも１つの機構が、後面溝部、前面溝部、レンズ孔、涙液貯蔵部、突出部、くぼみ部、バルブ、バルブを備えたレンズ孔、ある幾何学的形状の光学部分、ある幾何学的形状の周辺部分、またはこれらいずれかの任意の組み合わせを備えている、請求項４３に記載のコンタクトレンズ。
【請求項４６】
前記涙液メニスカス中の涙液と光学涙体との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、請求項４３に記載のコンタクトレンズ。
【請求項４７】
前記眼、眼瞼、またはそれらの組み合わせの動作により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、請求項４３に記載のコンタクトレンズ。
【請求項４８】
前記涙液メニスカス中の涙液と、前記光学部分、前記周辺部分、前記少なくとも１つの機構のうち少なくとも２つとの相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、請求項４３に記載のコンタクトレンズ。
【請求項４９】
前記光学涙体内の涙液と涙液源内の涙液との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、請求項４３に記載のコンタクトレンズ。
【請求項５０】
前記涙液源が、涙液貯蔵部、涙液くぼみ部、涙液メニスカス、またはそれらの任意の組み合わせを備えている、請求項４９に記載のコンタクトレンズ。
【請求項５１】
相互作用が、凝視角の変化、眼瞼と前記コンタクトレンズとの相互作用、またはそれらの組み合わせにより誘導される、請求項４９に記載のコンタクトレンズ。
【請求項５２】
前記相互作用が、前記光学涙体と涙液源との流体結合および流体分離を含む、請求項４９に記載のコンタクトレンズ。
【請求項５３】
相互作用が、前記光学涙体と涙液メニスカスとの流体結合および流体分離を含む、請求項４９に記載のコンタクトレンズ。
【請求項５４】
前記少なくとも１つの機構が１つ以上の後面溝部を備えており、該１つ以上の後面溝部の各々が前記周辺後面に設けられている、請求項４３に記載のコンタクトレンズ。
【請求項５５】
前記１つ以上の後面溝部の少なくとも１つが、前記光学部分の外周と交わる、請求項５４に記載のコンタクトレンズ。
【請求項５６】
前記少なくとも１つの機構が、前記周辺部分内に、前記周辺部分の後面に、前記周辺部分の前面に、またはそれらのいずれかを組み合わせた場所に設けられる、請求項４３に記載のコンタクトレンズ。
【請求項５７】
前記少なくとも１つの機構が前記周辺前面に突出部を備えている、請求項４３に記載のコンタクトレンズ。
【請求項５８】
前記コンタクトレンズは、前記周辺後面を前記周辺前面に接続する少なくとも１つのレンズ孔を備えており、
前記少なくとも１つのレンズ孔がバルブを備えている、請求項１から７のいずれか１つに記載のコンタクトレンズ。
【請求項５９】
前記バルブがキャピラリーバルブを備えている、請求項５８に記載のコンタクトレンズ。
【請求項６０】
前記周辺前面に設けられる１つ以上の前面溝部と、前記１つ以上の前面溝部の各々に接続される１つ以上のレンズ孔とを備えており、ここで前記１つ以上のレンズ孔が、前記前面溝部を前記周辺後面に接続する、請求項１から７のいずれか１つに記載のコンタクトレンズ。
【請求項６１】
前記周辺後面に設けられるとともに前記１つ以上のレンズ孔のうち少なくとも１つに接続される、後面溝部を備えている、請求項６０に記載のコンタクトレンズ。
【請求項６２】
前記１つ以上の後面溝部のうち少なくとも１つが前記光学部分にまで延在している、請求項６１に記載のコンタクトレンズ。
【請求項６３】
放射状に設けられた複数の後面溝部と、
１つ以上のレンズ孔とを備えており、ここで、該１つ以上のレンズ孔が、前記放射状に設けられた複数の後面溝部の各々につなげられている、請求項１から７のいずれか１つに記載のコンタクトレンズ。
【請求項６４】
前記周辺前面に設けられる１つ以上のへこみ部と、前記１つ以上のへこみ部の各々につなげられるレンズ孔とを備えている、請求項１から７のいずれか１つに記載のコンタクトレンズ。
【請求項６５】
前記レンズ孔が後面溝部につなげられている、請求項６４に記載のコンタクトレンズ。
【請求項６６】
前記周辺部分が、前記周辺後面に設けられた空洞を備えている、請求項１から７のいずれか１つに記載のコンタクトレンズ。
【請求項６７】
前記空洞が、眼瞼との相互作用、目の動作、またはそれらの組み合わせに際して変形可能である、請求項６６に記載のコンタクトレンズ。
【請求項６８】
前記周辺部分が、
前記周辺前面に設けられたくぼみ部と、
前記くぼみ部につなげられたレンズ孔と、
前記レンズ孔につなげられた後面溝部とを備えており、前記後面溝部が前記光学部分にまで延在している、請求項１から７のいずれか１つに記載のコンタクトレンズ。
【請求項６９】
視力を矯正する方法であって、請求項１から６８のいずれか１つに記載のコンタクトレンズを装着する工程、またはそれらを装着者に提供する工程を含む、方法。
【発明の詳細な説明】
【技術分野】
【０００１】
関連出願への相互参照
本出願は、２０１８年９月４日出願の米国仮出願第６２／７２６，７３２号に基づく利益を主張するものであり、その全体は参照により本明細書に引用されるものとする。
【背景技術】
【０００２】
近視（近眼）、遠視（遠眼）、老眼（近見視力と中間視力の調節機能の喪失、その後の近見視力と中間視力の喪失）などの一般的な視力異常は、眼鏡を使用して容易に矯正することができる。しかし、一部の人にとっては、活動的な生活様式に合わせるため、または外観上の理由により、視力矯正用のコンタクトレンズが好ましい場合がある。
【０００３】
年齢を重ねるにつれ老眼になるコンタクトレンズ装用者は、近見視力、中間視力、遠見視力を可能にするためにさらなる矯正用レンズが必要となる場合がある。老眼に対処するために、コンタクトレンズメーカーはこれまでに、様々な焦点領域を介して一定範囲の距離から光の焦点を同時に合わせる多焦点レンズと、２つの焦点領域、例えば近視矯正用の中心領域および遠視矯正用の周囲領域を含む二焦点レンズとを開発してきた。二焦点レンズは、眼の光軸に対して平行移動することで、眼の注視角度に応じて近見視力と遠見視力両方を矯正することができる。
【０００４】
平行移動コンタクトレンズは、角膜表面上のあらゆる場所を１ｍｍ〜６ｍｍ移動する（平行移動する）ように構成される場合があり、そのため、標準のコンタクトレンズほどの十分な安定性がない場合がある。標準のコンタクトレンズは通常、角膜上を０ｍｍ〜１ｍｍ移動する。平行移動レンズは上眼瞼のまばたき中に動くよう設計される場合があるため、平行移動レンズは角膜上を下方に移動する場合があり、そのため、まばたき動作ごとにレンズの下縁が下眼瞼縁に当たってしまう。このような反復動作と眼瞼接触によって角膜と下眼瞼縁の異物に対する感度が高まるせいで、ユーザーに相当な不快感を生じさせてしまう場合がある。さらに、下眼瞼縁にはマイボーム腺開口部が存在するため、下眼瞼の衝突によってこれら開口部に外傷と炎症が繰り返し引き起こされ、これにより角質増殖、おそらくはマイボーム腺機能不全が生じる場合もある。
【発明の概要】
【０００５】
本明細書では、視力矯正用の代替的なコンタクトレンズの必要性が認識される。
【０００６】
一態様では、本開示はコンタクトレンズを提供し、該コンタクトレンズは、光学後面ベース曲率および光学中心を備えた光学部分と、周辺後面ベース曲率を備えた周辺部分と、前記光学部分と前記周辺部分をつなげる移行部とを備えている。前記コンタクトレンズが患者の眼に装着されると、前記光学部分は第１の準安定構成と第２の準安定構成により特徴づけられる。前記コンタクトレンズと目の動作との相互作用により、前記第１の準安定構成と前記第２の準安定構成との間に移行が生じる。
【０００７】
いくつかの実施形態では、前記移行部は、１５０ミクロン以下の半径方向幅を備えている。
【０００８】
いくつかの実施形態では、前記移行部は一定の外周と厚みを備えており、該厚みは前記移行部の外周まわりで変動する。
【０００９】
いくつかの実施形態では、前記光学部分は光学後面を備えており、前記周辺部分は周辺後面と周辺前面を備えている。前記コンタクトレンズはさらに、前記周辺後面の中にある１つ以上の溝部であって、少なくとも１つの溝部が前記周辺後面から前記光学部分まで延在している、溝部と、前記少なくとも１つの溝部を前記周辺前面に接続する少なくとも１つのレンズ孔とを備えている。前記移行部は一定の外周と厚みを備えており、該厚みは前記移行部の外周まわりで変動し、前記光学後面ベース曲率は７．１ｍｍ未満であり、前記周辺後面ベース曲率は、前記光学中心から半径３．５ｍｍ未満で前記光学後面ベース曲率よりも少なくとも０．４ｍｍ大きい。
【００１０】
いくつかの実施形態では、前記光学部分は光学後面を備えており、前記周辺部分は、周辺直径と、周辺後面と、周辺前面とを備えている。前記コンタクトレンズは、患者の眼に装着されると前記光学部分が前記角膜と前記光学後面との間にレンズ体を形成するように構成される。前記レンズ体は前記角膜上で直径少なくとも１．５ｍｍ、高さ少なくとも０．０１ｍｍである。
【００１１】
前記周辺部分は周辺直径を備えており、前記コンタクトレンズは、患者の眼に装着されると前記光学部分が前記第１の準安定構成と前記第２の準安定構成を呈することができるように構成される。
【００１２】
いくつかの実施形態では、前記光学部分は光学後面を備えており、前記周辺部分は周辺後面を備えている。前記コンタクトレンズは、患者の眼に装着されると、前記光学部分にかけられる圧力に応じて前記光学部分が複数の構成を呈することができるように構成される。前記光学後面に陰圧がかけられると、前記光学後面は、前記角膜の前面に対してほぼ一致する１つ以上の構成を呈する。陰圧がない状態では、前記光学後面は、前記光学後面と前記角膜の前面との間に涙体をもたらす中性構成を呈する。いくつかの実施形態では、前記ほぼ一致する１つ以上の構成において、前記光学後面と前記角膜の前面との間の涙膜の厚みは、１０μｍ未満まで変動する。例えばいくつかの実施形態では、前記ほぼ一致する１つ以上の構成において、前記光学後面と前記角膜の前面との間の涙膜の厚みが、３μｍ未満まで変動する。いくつかの実施形態では、陰圧は５Ｐａ〜１，５００Ｐａである。例えばいくつかの実施形態では、陰圧は１０Ｐａ〜２５０Ｐａである。
【００１３】
いくつかの実施形態では、前記周辺後面ベース曲率は７．５ｍｍ〜９．５ｍｍであり、前記周辺後面ベース曲率と前記光学後面ベース曲率との差は０．４ｍｍを超える。
【００１４】
いくつかの実施形態では、前記光学後面ベース曲率は６．８ｍｍ未満である。
【００１５】
いくつかの実施形態では、前記移行部は、該移行部の外周まわりで変動する厚みを有している。
【００１６】
いくつかの実施形態では、前記移行部は、該移行部の外周まわりで規則的なパターンで変動する厚みを有している。
【００１７】
いくつかの実施形態では、前記移行部は、該移行部全体に延在する１つ以上の切れ目を備えている。いくつかの実施形態では、前記１つ以上の切れ目は、前記周辺部分の後面にあって前記光学部分へと延在する１つ以上の後面溝部を備えている。いくつかの実施形態では、前記１つ以上の後面溝部の１つ以上はレンズ孔につなげられる。代替的に、または組み合わせにおいて、前記１つ以上の後面溝部の１つ以上は涙液貯蔵部につなげられる。
【００１８】
いくつかの実施形態では、前記光学後面ベース曲率は７．１ｍｍ未満であり、前記周辺ベース曲率は前記光学後面ベース曲率よりも少なくとも０．４ｍｍ大きい。
【００１９】
いくつかの実施形態では、前記光学部分と前記周辺部分の各々は、弾性率０．１ＭＰａ〜１０ＭＰａの材料を備えている。
【００２０】
いくつかの実施形態では、前記コンタクトレンズは前記周辺後面に設けられた１つ以上の後面溝部を備えており、ここで少なくとも１つの後面溝部は、前記周辺後面から前記光学部分まで延在している。
【００２１】
いくつかの実施形態では、前記１つ以上の後面溝部の各々は前記光学部分の中心から放射状に延在している。
【００２２】
いくつかの実施形態では、前記移行部は前記光学中心から半径３．５ｍｍ未満に位置し、中心ベース曲率は７．１ｍｍ未満であり、前記周辺後面ベース曲率は前記中心ベース曲率より少なくとも０．４ｍｍ大きい。
【００２３】
いくつかの実施形態では、前記第１の準安定構成は第１の隙間高さを備えており、前記第２の準安定構成は第２の隙間高さを備えており、前記第１の隙間高さと前記第２の隙間高さは異なるものであり、前記隙間高さは前記光学後面の中心から前記角膜までの距離である。
【００２４】
いくつかの実施形態では、目の動作は眼のむき眼位を変えることを含む。
【００２５】
いくつかの実施形態では、前記第１の準安定構成において、前記光学部分は第１の光強度を備えており、前記第２の準安定構成において、前記光学部分は第２の光強度を備えており、前記第１の光強度は前記第２の光強度と異なる。
【００２６】
いくつかの実施形態では、前記コンタクトレンズが患者の眼に装着されると、前記光学後面と前記角膜の前面との間に光学涙体が形成される。前記第１の準安定構成において、前記光学涙体は第１の体積を備えており、前記第２の準安定構成において、前記光学涙体は第２の体積を備えており、前記第１の体積は前記第２の体積と異なる。
【００２７】
いくつかの実施形態では、前記コンタクトレンズが患者の眼に装着されると、前記光学後面と前記角膜の前面との間に光学涙体が形成される。前記第１の準安定構成において、前記光学涙体は第１の形状を備えており、前記第２の準安定構成において、前記光学涙体は第２の形状を備えており、前記第１の形状は前記第２の形状と異なる。
【００２８】
いくつかの実施形態では、前記第１の準安定構成は、第１の距離から中心窩上の像に焦点を当てる光強度を提供し、前記第２の準安定構成は、第２の距離から中心窩上の像に焦点を当てる光強度を提供する。
【００２９】
いくつかの実施形態では、前記コンタクトレンズが患者の眼に装着されると、前記光学部分が第１の準安定構成と第２の準安定構成により特徴づけられ、前記光学後面と前記角膜の前面との間に光学涙体が形成され、前記第１の準安定構成と前記第２の準安定構成との間での移行は、涙液が前記光学涙体の中と外に流れることにより調節される。
【００３０】
いくつかの実施形態では、前記コンタクトレンズが患者の眼に装着されると、前記光学部分が第１の準安定構成と第２の準安定構成により特徴づけられ、前記光学後面と前記角膜の前面との間に光学涙体が形成され、前記第１の準安定構成と前記第２の準安定構成との間での移行は、前記光学涙体と涙液メニスカスとの流体結合と流体分離によって調節される。
【００３１】
いくつかの実施形態では、前記コンタクトレンズが患者の眼に装着されると、前記光学部分が第１の準安定構成と第２の準安定構成により特徴づけられ、前記コンタクトレンズは、前記周辺後面を前記周辺前面に接続する１つ以上のレンズ孔を備えており、１つ以上のレンズ孔を涙液メニスカスに流体結合することにより、前記光学部分の前記光強度に変化が生じる。
【００３２】
いくつかの実施形態では、前記コンタクトレンズが患者の眼に装着されると、前記光学部分が第１の準安定構成と第２の準安定構成により特徴づけられ、前記コンタクトレンズは、前記周辺後面を前記周辺前面に接続する１つ以上のレンズ孔を備えており、１つ以上のレンズ孔を涙液メニスカスから流体分離することにより、前記光学部分の前記光強度に変化が生じる。
【００３３】
いくつかの実施形態では、前記コンタクトレンズはさらに、前記周辺後面の中にある１つ以上の溝部であって、少なくとも１つの溝部が前記周辺後面から前記光学部分まで延在している、溝部と、前記少なくとも１つの溝部を前記周辺前面に接続する少なくとも１つのレンズ孔とを備えている。
【００３４】
いくつかの実施形態では、前記コンタクトレンズが患者の眼に装着されると、前記光学部分の後面と前記角膜の前面との間に光学涙体が形成される。
【００３５】
いくつかの実施形態では、前記コンタクトレンズが患者の眼に装着されると、前記光学部分の後面と前記角膜の前面との間に隙間が形成され、該隙間の高さは最大１μｍ〜２００μｍである。
【００３６】
いくつかの実施形態では、前記光学部分は前記コンタクトレンズの中心軸に集中する。
【００３７】
いくつかの実施形態では、前記光学部分は前記コンタクトレンズの中心軸に集中しない。
【００３８】
いくつかの実施形態では、前記光学部分は前記コンタクトレンズの中心軸から４５度未満の角度である軸に集中する。
【００３９】
いくつかの実施形態では、前記光学部分は、範囲３０μｍ〜６００μｍ内の最大厚みを備えている。
【００４０】
いくつかの実施形態では、前記光学部分は、範囲２Ｅ３  ＭＰａ×μｍ３〜３Ｅ９  ＭＰａ×μｍ３の最大剛性を備えている。
【００４１】
いくつかの実施形態では、前記光学部分、前記周辺部分、またはその両方は、前記コンタクトレンズが患者の眼に装着されたときに前記光学後面と前記角膜の前面との間に形成される光学涙体の中と外に涙液を運ぶように構成された、少なくとも１つの機構を備えている。いくつかの実施形態では、前記光学涙体の中と外への涙液の輸送は、前記光学部分の第１の準安定構成と前記光学部分の第２の準安定構成との間の移行に関連付けられる。いくつかの実施形態では、前記少なくとも１つの機構は、後面溝部、前面溝部、レンズ孔、涙液貯蔵部、突出部、くぼみ部、バルブ、バルブを備えたレンズ孔、ある幾何学的形状の光学部分、ある幾何学的形状の周辺部分、またはこれらいずれかの任意の組み合わせを備えている。いくつかの実施形態では、前記少なくとも１つの機構は１つ以上の後面溝部を備えており、該１つ以上の後面溝部の各々は前記周辺後面に設けられている。いくつかの実施形態では、前記１つ以上の後面溝部の少なくとも１つは、前記光学部分の外周と交わる。いくつかの実施形態では、前記少なくとも１つの機構は、前記周辺部分内に、前記周辺部分の後面に、前記周辺部分の前面に、またはそれらのいずれかを組み合わせた場所に設けられる。いくつかの実施形態では、前記少なくとも１つの機構は前記周辺前面に突出部を備えている。
【００４２】
いくつかの実施形態では、前記涙液メニスカス中の涙液と前記光学涙体との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される。
【００４３】
いくつかの実施形態では、前記眼、眼瞼、またはそれらの組み合わせの動作により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される。
【００４４】
いくつかの実施形態では、前記涙液メニスカス中の涙液と、前記光学部分、前記周辺部分、前記少なくとも１つの機構のうち少なくとも２つとの相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される。
【００４５】
いくつかの実施形態では、前記光学涙体内の涙液と涙液源内の涙液との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される。いくつかの実施形態では、前記涙液源は、涙液貯蔵部、涙液くぼみ部、涙液メニスカス、またはそれらの任意の組み合わせを備えている。いくつかの実施形態では、相互作用は、凝視角の変化、眼瞼と前記コンタクトレンズとの相互作用、またはそれらの組み合わせにより誘導される。いくつかの実施形態では、前記相互作用は、前記光学涙体と涙液源との流体結合および流体分離を含む。いくつかの実施形態では、相互作用は、前記光学涙体と涙液メニスカスとの流体結合および流体分離を含む。
【００４６】
いくつかの実施形態では、前記コンタクトレンズはさらに、前記周辺後面を前記周辺前面に接続する少なくとも１つのレンズ孔を備えており、前記少なくとも１つのレンズ孔はバルブを備えている。いくつかの実施形態では、前記バルブはキャピラリーバルブを備えている。
【００４７】
いくつかの実施形態では、前記コンタクトレンズは、前記周辺前面に設けられる１つ以上の前面溝部と、前記１つ以上の前面溝部の各々に接続される１つ以上のレンズ孔とを備えており、ここで前記１つ以上のレンズ孔は、前記前面溝部を前記周辺後面に接続する。いくつかの実施形態では、前記コンタクトレンズは、前記周辺後面に設けられるとともに前記１つ以上のレンズ孔のうち少なくとも１つに接続される、後面溝部を備えている。いくつかの実施形態では、前記１つ以上の後面溝部の少なくとも１つは、前記光学部分にまで延在する。
【００４８】
いくつかの実施形態では、前記コンタクトレンズはさらに、放射状に設けられた複数の後面溝部と、１つ以上のレンズ孔とを備えており、ここで、該１つ以上のレンズ孔は、前記放射状に設けられた複数の後面溝部の各々につなげられている。
【００４９】
いくつかの実施形態では、前記コンタクトレンズはさらに、前記周辺前面に設けられる１つ以上のへこみ部と、前記１つ以上のへこみ部の各々につなげられるレンズ孔とを備えている。いくつかの実施形態では、前記レンズ孔は後面溝につなげられる。
【００５０】
いくつかの実施形態では、前記周辺部分は、前記周辺後面に設けられた空洞を備えている。いくつかの実施形態では、前記空洞は、眼瞼との相互作用、目の動作、またはそれらの組み合わせに際して変形可能である。
【００５１】
いくつかの実施形態では、前記周辺部分は、前記周辺前面に設けられたへこみ部と、前記へこみ部につなげられたレンズ孔と、前記レンズ孔につなげられた後面溝部とを備えており、前記後面溝部は前記光学部分にまで延在している。
【００５２】
一態様では、本開示は視力を矯正する方法を提供し、該方法は、本明細書に記載のコンタクトレンズのいずれかを装着する工程、または前記コンタクトレンズを装着者に提供する工程を含む。
【００５３】
本開示のさらなる態様と利点は、以下の詳細な説明から当業者に対して容易に明白となり、本開示の例示的実施形態のみが示され、記述されている。実現されるように、本開示は他の様々な実施形態を可能とするものであり、その様々な詳細はすべて、本開示から逸脱することなく、様々な明白な点での改変が可能である。したがって、図面と説明は、事実上例示的なものであり、限定的なものとしてみなされるべきではない。
【００５４】
引用による組み込み
本明細書に言及される刊行物、特許、特許出願はすべて、あたかも各々の刊行物、特許、または特許出願が参照によって引用されるものと具体的かつ個別に示されるのと同じ程度にまで、参照によって本明細書に引用される。参照により引用される刊行物と特許または特許出願が本明細書に含まれる開示と矛盾する程度に、本明細書は、このような矛盾を生じさせるものに取って代わり、および／またはそれらに対して優先的となることが意図される。
【図面の簡単な説明】
【００５５】
本発明の新規な特徴は、添付の特許請求の範囲において具体的に記載されている。本発明の特徴と利点は、本発明の原理を利用する例示的実施形態と添付図面（本明細書では「図（“Ｆｉｇｕｒｅ”ａｎｄ“ＦＩＧ．”）」とも称す）を説明する以下の詳細な説明を参照することで、より良く理解される。
【図１】本発明の開示により提供される動的コンタクトレンズの断面図を示す。
【図２Ａ】本発明の開示により提供されるフィッシュマウス型バルブ（ｆｉｓｈ−ｍｏｕｔｈ  ｖａｌｖｅｓ）の例を示す。
【図２Ａ】本発明の開示により提供されるフィッシュマウス型バルブの例を示す。
【図３Ａ】毛管力の算出に有用なパラメータを示す。
【図３Ｂ】毛管力の算出に有用なパラメータを示す。
【図３Ｃ】毛管力の算出に有用なパラメータを示す。
【図３Ｄ】毛管力によってレンズ孔内に形成される毛管メニスカスの断面図を示す。
【図４Ａ】本発明の開示により提供される動的コンタクトレンズの一例における流体輸送の動的モデルを示す。
【図４Ｂ】本発明の開示により提供される動的コンタクトレンズの一例における流体輸送の動的モデルを示す。
【図５Ａ】本発明の開示により提供される動的コンタクトレンズの別の例における流体輸送の動的モデルを示す。
【図５Ｂ】本発明の開示により提供される動的コンタクトレンズの別の例における流体輸送の動的モデルを示す。
【図６Ａ】急峻移行部と該移行部の外周まわりの切れ目とを有する動的コンタクトレンズの図を示す。
【図６Ｂ】急峻移行部と該移行部の外周まわりの切れ目とを有する動的コンタクトレンズの図を示す。
【図７Ａ】急峻移行部を有する動的コンタクトレンズの図と該移行部の図を示す。
【図７Ｂ】急峻移行部を有する動的コンタクトレンズの図と該移行部の図を示す。
【図７Ｃ】急峻移行部を有する動的コンタクトレンズの図と該移行部の図を示す。
【図７Ｄ】急峻移行部を有する動的コンタクトレンズの図と該移行部の図を示す。
【図８Ａ】前記移行部に切れ目を有する動的コンタクトレンズの図を示す。
【図８Ｂ】前記移行部に切れ目を有する動的コンタクトレンズの図を示す。
【図８Ｃ】前記移行部に切れ目を有する動的コンタクトレンズの図を示す。
【図９Ａ】前記移行部に切れ目を有する動的コンタクトレンズの図を示す。
【図９Ｂ】前記移行部に切れ目を有する動的コンタクトレンズの図を示す。
【図９Ｃ】前記移行部に切れ目を有する動的コンタクトレンズの図を示す。
【図９Ｄ】前記移行部に切れ目を有する動的コンタクトレンズの図を示す。
【図９Ｅ】前記移行部に切れ目を有する動的コンタクトレンズの図を示す。
【図９Ｆ】前記移行部に切れ目を有する動的コンタクトレンズの図を示す。
【図９Ｇ】前記移行部に切れ目を有する動的コンタクトレンズの図を示す。
【図９Ｈ】前記移行部に切れ目を有する動的コンタクトレンズの図を示す。
【図９Ｉ】前記移行部に切れ目を有する動的コンタクトレンズの図を示す。
【図１０】周辺後面から動的部分にまで延在する溝部と、該溝部の各々に接続されるレンズ孔とを備えた、本発明の開示により提供される動的コンタクトレンズの一例における後面の図を示す。
【図１１】図１０に示す動的コンタクトレンズの前面の図を示す。
【図１２】本発明の開示により提供される動的コンタクトレンズの一例における後面の図を示す。
【図１３Ａ】本発明の開示により提供される動的コンタクトレンズの一例における断面図、および後面の図をそれぞれ示す。
【図１３Ｂ】本発明の開示により提供される動的コンタクトレンズの一例における断面図、および後面の図をそれぞれ示す。
【図１３Ｃ】患者の眼に写る図１３Ａ〜１３Ｂの動的コンタクトレンズの像を示す。
【図１４】患者の眼に８つのレンズ孔を映す、動的コンタクトレンズの細隙灯生体顕微鏡画像を示す。
【図１５Ａ】移行部近傍の第２の周辺部分に配置されるへこみ部と、該へこみ部内のレンズ孔とを有する動的コンタクトレンズの図を示す。
【図１５Ｂ】移行部近傍の第２の周辺部分に配置されるへこみ部と、該へこみ部内のレンズ孔とを有する動的コンタクトレンズの図を示す。
【図１５Ｃ】移行部近傍の第２の周辺部分に配置されるへこみ部と、該へこみ部内のレンズ孔とを有する動的コンタクトレンズの図を示す。
【図１５Ｄ】移行部近傍の第２の周辺部分に配置されるへこみ部と、該へこみ部内のレンズ孔とを有する動的コンタクトレンズの図を示す。
【図１５Ｅ】移行部近傍の第２の周辺部分に配置されるへこみ部と、該へこみ部内のレンズ孔とを有する動的コンタクトレンズの図を示す。
【図１５Ｆ】移行部近傍の第２の周辺部分に配置されるへこみ部と、該へこみ部内のレンズ孔とを有する動的コンタクトレンズの図を示す。
【図１５Ｇ】移行部近傍の第２の周辺部分に配置されるへこみ部と、該へこみ部内のレンズ孔とを有する動的コンタクトレンズの図を示す。
【図１５Ｈ】移行部近傍の第２の周辺部分に配置されるへこみ部と、該へこみ部内のレンズ孔とを有する動的コンタクトレンズの図を示す。
【図１６Ａ】涙液メニスカスとレンズ孔に流体結合するよう構成された細長い前面溝部と、光学涙体に涙液を運ぶための後面溝部とを有する動的コンタクトレンズの一例における、前面の斜視図を示す。
【図１６Ｂ】涙液メニスカスとレンズ孔に流体結合するよう構成された細長い前面溝部と、光学涙体に涙液を運ぶための後面溝部とを有する動的コンタクトレンズの一例における、後面の斜視図を示す。
【図１６Ｃ】涙液メニスカスとレンズ孔に流体結合するよう構成された細長い前面溝部と、光学涙体に涙液を運ぶための後面溝部とを有する動的コンタクトレンズの一例における、断面図を示す。
【図１７Ａ】光学中心から様々な放射状に距離を置いて配置される複数のレンズ孔と、涙液メニスカスから光学涙体まで涙液を運ぶための後面溝部とを有する動的コンタクトレンズの例における、前面の図を示す。
【図１７Ｂ】光学中心から様々な放射状に距離を置いて配置される複数のレンズ孔と、涙液メニスカスから光学涙体まで涙液を運ぶための後面溝部とを有する動的コンタクトレンズの例における、前面の図を示す。
【図１７Ｃ】光学中心から様々な放射状に距離を置いて配置される複数のレンズ孔と、涙液メニスカスから光学涙体まで涙液を運ぶための後面溝部とを有する動的コンタクトレンズの例における、後面の図を示す。
【図１７Ｄ】光学中心から様々な放射状に距離を置いて配置される複数のレンズ孔と、涙液メニスカスから光学涙体まで涙液を運ぶための後面溝部とを有する動的コンタクトレンズの例における、後面の図を示す。
【図１８Ａ】涙液メニスカスとレンズ孔に流体結合するよう構成された前面溝部と、光学涙体に涙液を運ぶための後面溝部とを有する動的コンタクトレンズの一例における、前面の斜視図を示す。
【図１８Ｂ】涙液メニスカスとレンズ孔に流体結合するよう構成された前面溝部と、光学涙体に涙液を運ぶための後面溝部とを有する動的コンタクトレンズの一例における、後面の斜視図を示す。
【図１８Ｃ】涙液メニスカスとレンズ孔に流体結合するよう構成された前面溝部と、光学涙体に涙液を運ぶための後面溝部とを有する動的コンタクトレンズの一例における、断面図を示す。
【図１９Ａ】涙液メニスカスとレンズ孔に流体結合するよう構成された前面溝部と、光学涙体に涙液を運ぶための後面溝部とを有する動的コンタクトレンズの一例における、前面の斜視図を示す。
【図１９Ｂ】涙液メニスカスとレンズ孔に流体結合するよう構成された前面溝部と、光学涙体に涙液を運ぶための後面溝部とを有する動的コンタクトレンズの一例における、後面の斜視図を示す。
【図１９Ｃ】涙液メニスカスとレンズ孔に流体結合するよう構成された前面溝部と、光学涙体に涙液を運ぶための後面溝部とを有する動的コンタクトレンズの一例における、断面図を示す。
【図２０Ａ】患者の角膜上にある、レンズ孔と溝部とを備えた動的コンタクトレンズのＯＣＴ画像を示す。図２０Ａは、涙液メニスカスに流体結合されたレンズ孔を示す。
【図２０Ｂ】患者の角膜上にある、レンズ孔と溝部とを備えた動的コンタクトレンズのＯＣＴ画像を示す。図２０Ｂは、光学部分に向かい先細りになる溝部を示す。
【図２１Ａ】患者の角膜上にある、動的コンタクトレンズの水平ＯＣＴ画像を示す。
【図２１Ｂ】患者の角膜上にある、動的コンタクトレンズの垂直ＯＣＴ画像を示す。図２１Ｂは、涙液メニスカスに流体結合されたレンズ孔を示す。
【図２１Ｃ】角膜上の動的コンタクトレンズのＯＣＴ画像であり、涙液メニスカスと溝部との流体結合が示されており、光学部分の後面と角膜の前面との間の隙間高さは６８μｍである。
【図２２】動的コンタクトレンズの光学部分の後面と角膜の前面との間に形成される涙体のＯＣＴ画像を示す。
【図２３】角膜を覆う動的コンタクトレンズの細隙灯生体顕微鏡画像を示し、眼は下方注視状態にある。
【図２４】前方注視状態にある角膜を覆う動的コンタクトレンズのＯＣＴ画像を示す。
【図２５】涙液がレンズ孔と後面溝部を通って涙体に設けられた後の、前方注視状態にある角膜を覆う動的コンタクトレンズのＯＣＴ画像を示す。
【図２６】角膜を覆う動的コンタクトレンズのＯＣＴ画像を示しており、光学部分の後面と角膜との間に約１０μｍ〜１５μｍの隙間がある。
【図２７】後面溝部を備えた図２６に示すコンタクトレンズにおける周辺部分のＯＣＴ画像を示す。
【図２８】角膜を覆う動的コンタクトレンズのＯＣＴ画像であり、後面溝部の断面図が示されている。
【図２９】下方注視状態にある角膜を覆う動的コンタクトレンズのＯＣＴ画像であり、後面溝部につなげられたレンズ孔の断面図が示されている。
【図３０】角膜を覆う動的コンタクトレンズのＯＣＴ画像であり、下方注視時の光学部分と光学涙体の断面図が示されている。
【図３１】角膜を覆う動的コンタクトレンズのＯＣＴ画像であり、下方注視時の後面溝部の断面図が示されている。
【図３２】涙液メニスカスとの流体結合を容易にする様々な長さの後面溝部を有する動的コンタクトレンズを示す。
【発明を実施するための形態】
【００５６】
本発明の様々な実施形態を本明細書において示し、記述してきたが、このような実施形態は単なる例として提供されることは当業者に明白であろう。本発明から逸脱することなく、多数の変形、変更、および置換が当業者によって想到される場合がある。本明細書に記載の本発明の実施形態に対する様々な代案を使用してもよいことを理解されたい。
【００５７】
別段の定義がない限り、本明細書に使用される技術用語はすべて、本発明が属する分野の当業者により一般に理解されるのと同じ意味を持つ。本明細書と添付の特許請求の範囲では、単数形「ａ」、「ａｎ」、「ｔｈｅ」は、前後関係から明確でない限り、複数の場合も含める。本明細書では、「または」への言及は、別段の記載がない限り「および／または」を包含することが意図される。
【００５８】
「少なくとも〜」、「〜より大きい」、または「〜以上」という用語が、２つ以上の一連の数値の最初の数値の前にある場合は常に、「少なくとも〜」、「〜より大きい」、または「〜以上」という用語は、その一連の数値における数値の各々に適用される。例えば、１、２、または３以上は、１以上、２以上、または３以上である。
【００５９】
「わずか〜」、「〜未満」、「〜以下」、または「多くとも〜」という用語が、２つ以上の一連の数値の最初の数値の前にある場合は常に、「わずか〜」、「〜未満」、「〜以下」、または「多くとも〜」という用語は、その一連の数値における数値の各々に適用される。例えば、３、２、または１以下は、３以下、２以下、または１以下である。
【００６０】
数値が範囲として記載されている場合、このような開示は、前記範囲内で可能なすべてのサブ範囲の開示のほか、特定の数値または特定のサブ範囲が明確に述べられているかにかかわらず前記範囲内にある特定の数値の開示を含むことを理解されたい。
【００６１】
本明細書では、同様の文字は同様の要素を指す。
【００６２】
本明細書では、用語「後方」は眼に面している特徴を表し、用語「前方」は、患者による装着時に眼から離れて面している特徴を表す。動的コンタクトレンズまたはその一部の後面は、患者による装着中に角膜の近くにあるか、または角膜に面している面を指す。動的コンタクトレンズまたはその一部の前面は、患者による装着中に角膜から離れているか、または角膜から離れて面している面を指す。
【００６３】
本明細書では、用語「眼瞼と動的コンタクトレンズとの相互作用」は、動的コンタクトレンズと片方の眼瞼との間で相対位置を変化させる、眼瞼または眼球の任意の動作を指す。この相互作用として例えば、動的コンタクトレンズの前面上上での眼瞼の滑らかな摺動、涙液メニスカスに対する動的コンタクトレンズの位置の変化が挙げられる。眼瞼の相互作用または注視角度の変化により、涙液メニスカスにおける涙液が、レンズ孔、周辺後面溝部、および／または周辺前面溝部などの他のコンタクトレンズ特徴と結合することができる。相互作用はさらに、眼の動作により生じるコンタクトレンズの並進運動、および、眼の動作により生じる動的コンタクトレンズの変形を指す。例えば、下方注視などの眼の動作中に、動的コンタクトレンズの様々な領域は眼瞼と接触することができる。
【００６４】
本明細書では、用語「涙液メニスカスと動的コンタクトレンズとの相互作用」は、涙液メニスカスと、レンズ孔、周辺後面溝部、および／あるいは周辺前面溝部などの動的コンタクトレンズの領域または特徴との任意の相互作用を指す。動的コンタクトレンズと涙液メニスカスとの相互作用は、涙液メニスカスと光学涙体との流体結合と流体分離を可能にする。
【００６５】
本明細書では、「光学涙体」という用語は、動的コンタクトレンズを患者の眼に装着したときに光学部分の後面と角膜の前面との間に生じる涙体を指す。光学涙体はレンズ状涙体であってもよく、または、ほぼ一致する構成では、光学部分を全体にわたりほぼ一定の厚みを有する涙膜であってもよい。光学レンズシステムは、存在する場合、動的コンタクトレンズの光学部分、涙膜、およびレンズ状光学涙体を備えている。
【００６６】
本明細書では、「ほぼ」という用語は、寸法などの値の±１０％を指す。
【００６７】
本明細書では、「角膜の表面にほぼ一致する」という用語は、動的コンタクトレンズの一部の後面が角膜表面から３μｍ以内にある構成を指す。動的コンタクトレンズの後部部分と角膜との間の隙間には涙液が含まれている場合がある。
【００６８】
本明細書では、「弾性率」という用語は材料のヤング率を指す。ヤング率は、例えば「Ｊｏｎｅｓ  ｅｔ  ａｌ．，Ｏｐｔｏｍｅｔｒｙ  ａｎｄ  Ｖｉｓｉｏｎ  Ｓｃｉｅｎｃｅ，８９，１０，１４６６−１４７６，２０１７」に記載される方法に従って求めることができ、この文献はあらゆる目的のために全体を参照することで本明細書に引用される。
【００６９】
ジオプトリ（Ｄ）における角膜の光強度は、式Ｄ＝（１．３７６−１）／Ｒにより曲率半径Ｒに関連する場合があり、式中、１．３７６は角膜の屈折率に対応し、Ｒは角膜の前面の曲率半径に対応する。角膜の曲率は曲率半径Ｒに反比例して関連付けられ、そうなることで、曲率半径が増加するにつれて角膜の曲率が低下し、曲率半径が低下するにつれて角膜の曲率が増加する。
【００７０】
硬質ガス透過性（ＲＧＰ）レンズはレンズ状涙体を作り出すと知られているが、ＲＧＰレンズは形態を変化させる能力を有していない。ソフトコンタクトレンズは通常、角膜表面に均一に適合するものであり、ソフトコンタクトレンズの後面と角膜との間には通常、厚み１μｍ〜５μｍの涙膜が存在するが、この涙膜は光強度に実質的に寄与するほどの厚みを有していないことから、使用されない。非線形複弾性（Ｂｉｍｏｄｕｌｕｓ）コンタクトレンズは、中心光学部分が角膜の光学部分の不規則性を飛び越えるように周辺部分よりも剛性が高い中心光学部部を備えている。しかし中心光学部分は、摩耗中に構成を変化させる場合があるという意味では動的でない。また、通常のソフトコンタクトレンズよりも剛性が高いコンタクトレンズには、特定の角膜ベース曲率に適合することが求められる。本発明では、摩耗中に構成を変化させる場合がある光学涙体を設けるために、ソフトコンタクトレンズ材料と組み合わせて動的涙体が使用される。
【００７１】
本発明の開示により提供される動的コンタクトレンズは、２つ以上の準安定構成の各々が異なる光強度を提供する眼の上の２つ以上の準安定構成間を移行することができる光学部分を用いて、製造することができる。この２つの準安定構成間の光強度の差は、主に動的コンタクトレンズの光学部分の光学前面の屈折力の差により求められる。光学部分またはその少なくとも一部が角膜に適合しない準安定構成にあると、角膜の前面と動的コンタクトレンズの光学部分の後面との間にレンズ体が形成され、これを涙液で満たすと、動的コンタクトレンズの他の光学要素との組み合わせにおいて視力矯正のための光強度を設ける光学涙体を形成することができる。動的コンタクトレンズは、準安定適合構成と１つ以上の準安定非適合構成との間を移行するように構成することができる。
【００７２】
代替的に、または組み合わせにおいて、動的コンタクトレンズは２つ以上の準安定構成を含むことができる。準安定構成は、眼瞼、涙液メニスカスなどの涙液源との結合、および／または光学涙体を満たすのに利用可能な涙液源からの分離によってコンタクトレンズにかけられる力がない場合に安定する、動的コンタクトレンズの構成を指す。動的コンタクトレンズと眼瞼または目の動作との相互作用により、準安定構成は不安定化され、その結果、動的コンタクトレンズの光学部分が別の準安定構成に移行してしまう場合がある。例えば、動的コンタクトレンズと涙液メニスカスなどの涙液源との相互作用は、涙液を光学涙体に設けるか、または涙液を光学涙体から取り除くことにより、準安定構成のうち１つを安定化および／または不安定化させる場合がある。動的レンズは、２つ以上の準安定構成間を移行するように構成することができる。
【００７３】
本発明の開示により提供される動的コンタクトレンズは、２つ以上の準安定構成の各々が異なる光強度を提供する眼の上の２つ以上の準安定構成間を移行することができる光学部分を用いて、製造することができる。光学部またはその少なくとも一部が角膜に適合しない準安定構成にあると、光学部分の前面は他の準安定構成と異なる曲率を維持し、角膜の前面と動的コンタクトレンズの光学部分の後面との間にレンズ体が形成され、これを涙液で満たすと、光学レンズ要素の形状を変化させることが可能な涙体を形成することができる。この場合、少なくとも二つの準安定構成はともに、各準安定構成において光学前面が異なる前方曲率を有し、ゆえに各準安定構成が眼に異なる光強度をもたらすような非一致構成である。
【００７４】
動的コンタクトレンズでは、（１）空気−涙界面、（２）涙−レンズ界面、（３）レンズ−涙界面、（４）涙−角膜界面といった４つの光学界面が、様々な準安定構成において光学系の光強度に寄与する。角膜の後方にある光学系はすべて、老眼患者においてほぼ均一なままとなろう。これら光学界面のいずれかにおける屈折力は、以下の方程式を用いて算出することができる。
Ｐｏｗｅｒ（Ｄ）＝（ｎ２−ｎ１）／Ｒｃ
式中、ｎ２は界面の後方側にある材料の屈折率であり、ｎ１は界面の前方側にある材料の屈折率であり、Ｒｃはメートル単位で表される界面の曲率半径である。光学系内の所与の媒体の光学寄与を算出するために、媒体の前面と後面の光強度を加えることができる。この方程式は、媒体の厚みが界面の曲率半径と比較してごくわずかである場合の妥当な推定値を提供するものであり、これは、本発明の開示により提供される動的光学レンズを含む光学系に対して有効である。
【００７５】
円筒状の光学面では、各経線に対して量的関係を算出することができる。
【００７６】
本発明動的コンタクトレンズ（１００）の一例の断面図が、図１に示されている。動的コンタクトレンズ（１００）は光学部分（１０１）を備えており、該光学部分（１０１）は、周辺部分（１０２）の周辺後面（１０６）の周辺後面ベース曲率から離れて隆起し、および／または光学部部分（１０１）に隣接する周辺部分（１１７）の周辺ベース曲率から離れて隆起している。この周辺部分の領域は、光学部分（１０１）に隣接する傍中心周辺部分または移行部（１１７）と呼ぶことができる。傍中心周辺部分（１１７）の後面（１１８）は、傍中心ベース曲率を有する。移行部とも呼ばれる傍中心周辺部（１１７）の後面（１１８）の傍中心ベース曲率は、後面（１０６）としてベース曲率と同じものであるか、または異なるベース曲率を有していてもよい。例えば、傍中心周辺部分（１１７）の後面（１１８）の傍中心ベース曲率は周辺ベース曲率より大きくてもよい。製造時の（ａｓ−ｆａｂｒｉｃａｔｅｄ）非適合構成では、光学部分（１０１）は、傍中心周辺部分のベース曲率から離れて、および周辺後面ベース曲率（１１９）から離れて隆起する。周辺部分（１０２）の周辺後面ベース曲率（１１９）は動的光学部分（１０１）の後面ベース曲率（光学後面ベース曲率と称する）とは異なるベース曲率を表し、周辺部分（１０２）と光学部分（１０１）の各々が１つ以上のベース曲率を含む場合があることを理解されたい。光学部分（１０１）と周辺部分（１０２）は界面（１０８）においてつなげられている。
【００７７】
図１に示すように、移行部（１０８）は急になってもよい。いくつかの実施形態では、急峻移行は、光学部分（１０１）に構造的強度をもたらすことができる。他の実施形態では、移行部（１０８）は、涙液が光学涙体の中または外に漏れるのを防ぐために、コンタクトレンズの後面と角膜の前面との間にシールを設けることができる。
【００７８】
ある実施形態では、周辺部分（１０２）および／または傍中心部分（１１７）と光学部分（１０１）との間の移行部は、急なものではない。周辺後面は空洞（１０９）を備えていてもよく、この空洞は角膜上に配されると、涙液で満たされて涙液貯蔵部を設ける。周辺後面（１０６）は周辺後面ベース曲率を備えている。光学部分（１０１）の領域下に周辺後面ベース曲率（１１９）が延在する様子は破線（１１９）で示されている。矢状高さ（１１０）は、周辺ベース曲率からレンズの後面までの距離として示される。本明細書では、矢状高さは、製造時の動的コンタクトレンズの寸法を指し、製造時の矢状高さと呼ぶことができる。動的コンタクトレンズが角膜に適用されると、光学部分の後面と角膜との間の距離は隙間高さと呼ばれる。本明細書で開示されるように、隙間高さは矢状高さＳと同じであってもよいが、多くの実施形態では、患者の眼にあるときの隙間高さは製造時の矢状高さよりも低い。一部の注視角度における隙間高さは、製造時の矢状高さより低くてもよく、他の注視角度における隙間高さは、製造時の矢状高さに近くてもよい。中心の隆起は、レンズの中心からの半径方向距離に応じて複数の矢状高さを含む。
【００７９】
図１では、最大矢状高さは、レンズ（１１２）の幾何学的中心軸に位置する光学部分の中心にある。この矢状高さは、レンズ形状を形成する光学部分（１１５）の周囲の方へと向かうにつれ低くなる。図１では、学領域（１１１）は、光学部分の直径よりわずかに大きい。患者の眼に装着されたときの距離（１１０）は隙間高さと呼ばれるとともに、光学部分の後面（光学後面）と角膜の前面との間の距離である。光学部分は、視覚に使用されるレンズの部分を指す。光学部分の直径は、眼の光学領域の直径より大きくてもよい。いくつかの実施形態では、光学部分の直径は、眼の光学領域の直径より小さくてもよい。いくつかの実施形態では、光学部分の直径は、眼の光学領域の直径と同様、同一、またはそれより大きくてもよい。
【００８０】
図１に示すように、中心矢状高さ（１１０）は、角膜に対して位置するように構成される周辺後面（１０６）の拡張曲率と、光学部分（１０４）の中心における後面との間にある製造時の距離として規定される。光学部分は、隆起している光学部分の中心軸に対する位置に応じて複数の矢状高さにより特徴づけることができる。矢状高さは中心で最大となり、光学部分の周囲に向かうにつれて低くなる。光学部分（１０１）は中心厚み（１１２）を備えており、２つの半径方向の矢状厚みの例は（１１３ａ）と（１１３ｂ）として特定される。図１では、光学領域（１１１）の直径は、光学部分の直径（１１５）よりわずかに大きいものとして示されている。動的コンタクトレンズ（１００）は直径（１１６）を有している。図１に示すように、光学部分（１０１）、周辺部分（１０２）、および眼の光学領域は、動的コンタクトレンズの幾何学的中心軸を中心にして位置合わせされる場合がある。
【００８１】
本発明の開示により提供される動的コンタクトレンズは、周辺後面と該周辺後面に対向する周辺前面とを備えた周辺部分と、光学部分と、周辺部分と光学部分とをつなげる移行部とを備えている場合があり、前記光学部分は、例えばヤング率が０．０５ＭＰａ〜５０ＭＰａの範囲内の材料を含んでおり、前記光学部分は、前記周辺前面から離れて、かつ前記周辺後面から離れて延在する断面形状によって特徴づけられる。光学部分は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の製造時の矢状高さにより特徴づけることができる。光学部分は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の製造時の矢状高さにより特徴づけることができる。光学部分は、前述の値のいずれか２つにより規定される範囲内にある、製造時の矢状高さにより特徴づけられてもよい。光学部分は、例えば１０μｍ〜１００μｍなどの１０μｍ〜２５０μｍの範囲内にある、製造時の矢状高さにより特徴づけることができる。ヤング率は、少なくとも約０．１ＭＰａ、０．２ＭＰａ、０．３ＭＰａ、０．４ＭＰａ、０．５ＭＰａ、０．６ＭＰａ、０．７ＭＰａ、０．８ＭＰａ、０．９ＭＰａ、１ＭＰａ、２ＭＰａ、３ＭＰａ、４ＭＰａ、５ＭＰａ、６ＭＰａ、７ＭＰａ、８ＭＰａ、９ＭＰａ、１０ＭＰａ、またはそれ以上であってもよい。ヤング率は、多くとも約１０ＭＰａ、９ＭＰａ、８ＭＰａ、７ＭＰａ、６ＭＰａ、５ＭＰａ、４ＭＰａ、３ＭＰａ、２ＭＰａ、１ＭＰａ、０．９ＭＰａ、０．８ＭＰａ、０．７ＭＰａ、０．６ＭＰａ、０．５ＭＰａ、０．４ＭＰａ、０．３ＭＰａ、０．２ＭＰａ、０．１ＭＰａ、またはそれ以下であってもよい。ヤング率は、前述の値のいずれか２つにより規定される範囲内にあってもよい。ヤング率は、例えば０．１ＭＰａ〜２０ＭＰａ、０．１ＭＰａ〜３ＭＰａ、０．１ＭＰａ〜２ＭＰａ、または０．１ＭＰａ〜５ＭＰａの範囲内にあってもよい。光学部分は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の最大厚みを含んでもよい。光学部分は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の最大厚みを含んでもよい。光学部分は、前述の値のいずれか２つにより規定される範囲内にある最大厚みを含んでもよい。光学部分は、例えば２０μｍ〜６００μｍ、５０μｍ〜５００μｍ、１００μｍ〜４００μｍ、または５０μｍ〜３００μｍの範囲内の最大厚みを含む場合がある。光学部分は、���なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の中心厚みを含んでもよい。光学部分は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の中心厚みを含んでもよい。光学部分は、前述の値のいずれか２つにより規定される範囲内にある中心厚みを含んでもよい。光学部分は、例えば２０μｍ〜６００μｍ、５０μｍ〜５００μｍ、１００μｍ〜４００μｍ、または５０μｍ〜３００μｍの範囲内の中心厚みを含む場合がある。光学部分は、ほぼ均一な厚み、移行部の厚みと同じ中心厚み、移行部の厚みより大きな中心厚み、または移行部の厚みよりも小さな中心厚みにより特徴づけることができる。すなわち、光学部の厚みは、光学部分の中心に向かうにつれて増大し、光学部分の中心に向かうにつれて減少し、または全体にわたりほぼ一定である場合がある。
【００８２】
光学部分は、光学部分とレンズの周辺部分との間の界面における、製造時の急峻移行により特徴づけることができる。光学部分は、例えば多くとも約１０ｍｍ、９ｍｍ、８ｍｍ、７ｍｍ、６ｍｍ、５ｍｍ、４ｍｍ、３ｍｍ、２ｍｍ、１ｍｍ、またはそれ以下の直径を有する場合がある。光学部分は、少なくとも約１ｍｍ、２ｍｍ、３ｍｍ、４ｍｍ、５ｍｍ、６ｍｍ、７ｍｍ、８ｍｍ、９ｍｍ、１０ｍｍ、またはそれ以上の直径を有していてもよい。光学部分は、前述の値のいずれか２つにより規定される範囲内にある直径を有してもよい。周辺部分との界面は、例えば７．５ｍｍ〜８．５ｍｍの周辺ベース曲率半径と光学部のより小さい方の（急勾配な方の）ベース曲率半径との間の急峻変化により特徴づけられる。２つのベース曲率半径間の差は、少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．００ｍｍ、またはそれ以上であってもよい。２つのベース曲率半径間の差は、多くとも約１．０ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下であってもよい。２つのベース曲率半径間の差は、前述の値のいずれか２つに規定される範囲内にあってもよい。例えば２つのベース曲率半径の差は、０．２ｍｍ超、０．４ｍｍ超、０．６ｍｍ超、または０．８ｍｍ超の場合がある。
【００８３】
移行部は、半径方向の幅、厚み、ベース曲率、および／または埋め込み特徴などのパラメータによって規定することができる。機能的に、移行部は、光学涙体の中と外への涙液の輸送を容易にするように構成することができ、準安定構成間の移行を容易にするように構成することができ、および／または準安定構成を維持するように構成することができる。移行部は、隣接する光学部分および／または隣接する周辺部分と比較して可撓性または剛性が高くなるように構成することができる。
【００８４】
移行部は、光学部分と周辺部分に物理結合される。光学部分との界面は、光学部分の中心から、少なくとも約１ｍｍ、２ｍｍ、３ｍｍ、４ｍｍ、５ｍｍ、６ｍｍ、７ｍｍ、８ｍｍ、９ｍｍ、１０ｍｍ、またはそれ以上の半径方向距離に位置してもよい。光学部分との界面は、光学部分の中心から、多くとも約１０ｍｍ、９ｍｍ、８ｍｍ、７ｍｍ、６ｍｍ、５ｍｍ、４ｍｍ、３ｍｍ、２ｍｍ、１ｍｍ、またはそれ以下の半径方向距離に位置してもよい。光学部分との界面は、前述の値のいずれか２つにより規定される範囲内にある、光学部分の中心からの半径方向距離に位置してもよい。例えば、光学部分との界面は、光学部分の中心から２ｍｍ〜７ｍｍの半径方向距離に位置する場合がある。移行部は、動的光学部分との界面と周辺部分との間の距離として規定される幅を有することができる。移行部は、少なくとも約０ｍｍ、０．０１ｍｍ、０．０２ｍｍ、０．０３ｍｍ、０．０４ｍｍ、０．０５ｍｍ、０．０６ｍｍ、０．０７ｍｍ、０．０８ｍｍ、０．０９ｍｍ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、２ｍｍ、３ｍｍ、４ｍｍ、５ｍｍ、６ｍｍ、７ｍｍ、８ｍｍ、９ｍｍ、１０ｍｍ、またはそれ以上の幅を有してもよい。移行部は、多くとも１０ｍｍ、９ｍｍ、８ｍｍ、７ｍｍ、６ｍｍ、５ｍｍ、４ｍｍ、３ｍｍ、２ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、０．０９ｍｍ、０．０８ｍｍ、０．０７ｍｍ、０．０６ｍｍ、０．０５ｍｍ、０．０４ｍｍ、０．０３ｍｍ、０．０２ｍｍ、０．０１ｍｍ、または０ｍｍの幅を有してもよい。移行部は、先述の値のいずれか２つにより規定される範囲内にある幅を有してもよい。移行部は、例えば０．０５ｍｍ〜６ｍｍ、０．１ｍｍ〜０．５ｍｍ、または０．１ｍｍ〜０．４ｍｍなど、０ｍｍ〜０．８ｍｍの幅を有してもよい。ほぼ０ｍｍ超の幅を持つ移行部は、光学後面ベース曲率、周辺後面ベース曲率、および／または傍中心後面ベース曲率とは異なるベース曲率を持つフィレット（ｆｉｌｌｅｔ）を有する場合がある。
【００８５】
急峻移行部は、幅のない移行部を指す。急峻移行部を有する動的コンタクトレンズでは、光学部分と周辺部分は、中間幅または中間ベース曲率を伴うことなく物理結合される。急峻移行部は、少なくとも約０ｍｍ、０．０１ｍｍ、０．０２ｍｍ、０．０３ｍｍ、０．０４ｍｍ、０．０５ｍｍ、０．０６ｍｍ、０．０７ｍｍ、０．０８ｍｍ、０．０９ｍｍ、０．１ｍｍ、またはそれ以上の幅を有してもよい。急峻移行部は、多くとも約０．１ｍｍ、０．０９ｍｍ、０．０８ｍｍ、０．０７ｍｍ、０．０６ｍｍ、０．０５ｍｍ、０．０４ｍｍ、０．０３ｍｍ、０．０２ｍｍ、０．０１ｍｍ、または０ｍｍの幅を有してもよい。急峻移行部は、前述の値のいずれか２つにより規定される範囲内にある幅を有してもよい。急峻移行部は、例えば０．１ｍｍ未満、または０．０５ｍｍ未満の幅を有する場合がある。
【００８６】
移行部の幅全体にわたる厚みは、隣接する周辺部分の厚みと同じである、隣接する周辺部分の厚みとは異なる、隣接する光学部分の厚みと同じである、および／または隣接する光学部分の厚みと異なっている場合がある。移行部の厚みは、コンタクトレンズの隣接部分、すなわち光学部分と周辺部分の厚みよりも大きい、または小さい場合がある。移行部の幅全体にわたる厚みは一定か、または変動する場合がある。
【００８７】
移行部の幅全体にわたり後面は、１つ以上の曲率半径により特徴づけることができる。例えば、移行部の後面は、隣接する周辺部分の曲率半径未満であり隣接する光学部分の曲率半径未満である曲率半径を有する場合があり、または移行部は、隣接する周辺部の曲率半径未満であり隣接する光学部分の曲率半径よりも大きな曲率半径を有する場合がある。
【００８８】
移行部は、後面溝部、前面溝部、スリット、および／またはレンズ孔によって分断することができる。ゆえに移行部は連続的または不連続であってもよい。不連続な移行部には、動的光学部分の周囲と角膜との間での滑らかな連続接触を妨害する特徴が存在することになる。不連続性は、角膜に対して光学部分における接着力を低減するよう機能することができ、それにより界面を破壊することができる。例えば、製造時の矢状高さは、光学部分の中心が角膜から引き離されるにつれて角膜に対して堅いシールを光学部分の周囲に形成させることが可能な吸引力を発生させることができる。吸引力を低減し、光学部分の構成を動的制御する能力を容易にするために、１つ以上の切れ目または破断部を遷移領域の周囲に配置することができる。この切れ目は、涙液メニスカスなどの１つ以上の涙液源につなげることができる。
【００８９】
移行部は、隣接する光学部分と隣接する周辺部分の剛性と同一または異なる剛性であることを特徴とする場合がある。
【００９０】
移行部の外周まわりでは、厚み、曲率半径、および幅は、ほぼ同じであってもよく、または異なっていてもよい。
【００９１】
周辺部分は、光学部分と周辺部分につなげられて中間曲率半径により特徴づけられる移行部と、中間部分につなげられて遠位曲率半径により特徴づけられる遠位部分とを備えており、中間曲率半径は遠位曲率半径よりも小さい。移行部は、２つ以上の準安定構成間で動的光学部分を移行させること、および／または２つ以上の準安定構成に動的光学部分を維持することを容易にするよう構成された１つ以上の特徴を備えている場合がある。
【００９２】
本発明の開示により提供される動的コンタクトレンズは、光学後面と該光学後面と反対側にある光学前面とを備えた光学部分と、周辺後面と該周辺後面と反対側にある周辺前面を備えた周辺部分と、前記周辺部分と前記光学部分をつなげる移行部とを備えており、前記光学部分は、ヤング率が例えば０．０５ＭＰａ〜１０ＭＰａ、製造時の中心矢状高さが例えば１０μｍ〜３００μｍの材料を備えている。
【００９３】
光学部分を形成する材料は、少なくとも約０．１ＭＰａ、０．２ＭＰａ、０．３ＭＰａ、０．４ＭＰａ、０．５ＭＰａ、０．６ＭＰａ、０．７ＭＰａ、０．８ＭＰａ、０．９ＭＰａ、１ＭＰａ、２ＭＰａ、３ＭＰａ、４ＭＰａ、５ＭＰａまたはそれ以上のヤング率を有してもよい。光学部分を形成する材料は、多くとも約５ＭＰａ、４ＭＰａ、３ＭＰａ、２ＭＰａ、１ＭＰａ、０．９ＭＰａ、０．８ＭＰａ、０．７ＭＰａ、０．６ＭＰａ、０．５ＭＰａ、０．４ＭＰａ、０．３ＭＰａ、０．２ＭＰａ、０．１ＭＰａ、またはそれ以下のヤング率を有していてもよい。光学部分を形成する材料は、先述の値のいずれか２つにより規定される範囲内にあるヤング率を有してもよい。光学部分を形成する材料は、例えば０．０５ＭＰａ〜８ＭＰａ、０．１ＭＰａ〜６ＭＰａ、０．１ＭＰａ−４ＭＰａ、０．１ＭＰａ〜３ＭＰａ、０．１ＭＰａ〜２ＭＰａ、または０．５ＭＰａ〜１ＭＰａの範囲内のヤング率を有する場合がある。
【００９４】
光学部分の製造時の中心矢状高さなどの中心矢状高さは、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上であってもよい。光学部分の製造時の中心矢状高さなどの中心矢状高さは、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下であってもよい。光学部分の製造時の中心矢状高さなどの中心矢状高さは、先述の値のいずれか２つにより規定される範囲内にあってもよい。光学部分の製造時の中心矢状高さなどの中心矢状高さは、例えば２０μｍ〜３００μｍ、５０μｍ〜３００μｍ、１０μｍ〜２００μｍ、１０μｍ〜１００μｍ、５０μｍ〜２５０μｍ、または５０μｍ〜２００μｍの範囲内にある場合がある。
【００９５】
光学部分は、少なくとも約１Ｅ３  ＭＰａ×μｍ３、２Ｅ３  ＭＰａ×μｍ３、３Ｅ３  ＭＰａ×μｍ３、４Ｅ３  ＭＰａ×μｍ３、５Ｅ３  ＭＰａ×μｍ３、６Ｅ３  ＭＰａ×μｍ３、７Ｅ３  ＭＰａ×μｍ３、８Ｅ３  ＭＰａ×μｍ３、９Ｅ３  ＭＰａ×μｍ３、１Ｅ４  ＭＰａ×μｍ３、２Ｅ４  ＭＰａ×μｍ３、３Ｅ４  ＭＰａ×μｍ３、４Ｅ４  ＭＰａ×μｍ３、５Ｅ４  ＭＰａ×μｍ３、６Ｅ４  ＭＰａ×μｍ３、７Ｅ４  ＭＰａ×μｍ３、８Ｅ４  ＭＰａ×μｍ３、９Ｅ４  ＭＰａ×μｍ３、１Ｅ５  ＭＰａ×μｍ３、２Ｅ５  ＭＰａ×μｍ３、３Ｅ５  ＭＰａ×μｍ３、４Ｅ５  ＭＰａ×μｍ３、５Ｅ５  ＭＰａ×μｍ３、６Ｅ５  ＭＰａ×μｍ３、７Ｅ５  ＭＰａ×μｍ３、８Ｅ５  ＭＰａ×μｍ３、９Ｅ５  ＭＰａ×μｍ３、１Ｅ６  ＭＰａ×μｍ３、２Ｅ６  ＭＰａ×μｍ３、３Ｅ６  ＭＰａ×μｍ３、４Ｅ６  ＭＰａ×μｍ３、５Ｅ６  ＭＰａ×μｍ３、６Ｅ６  ＭＰａ×μｍ３、７Ｅ６  ＭＰａ×μｍ３、８Ｅ７  ＭＰａ×μｍ３、９Ｅ６  ＭＰａ×μｍ３、１Ｅ７  ＭＰａ×μｍ３、またはそれ以上の最大剛性を呈してもよい。光学部分は、多くとも約１Ｅ７  ＭＰａ×μｍ３、９Ｅ６  ＭＰａ×μｍ３、８Ｅ６  ＭＰａ×μｍ３、７Ｅ６  ＭＰａ×μｍ３、６Ｅ６  ＭＰａ×μｍ３、５Ｅ６  ＭＰａ×μｍ３、４Ｅ６  ＭＰａ×μｍ３、３Ｅ６  ＭＰａ×μｍ３、２Ｅ６  ＭＰａ×μｍ３、１Ｅ６  ＭＰａ×μｍ３、９Ｅ５  ＭＰａ×μｍ３、８Ｅ５  ＭＰａ×μｍ３、７Ｅ５  ＭＰａ×μｍ３、６Ｅ５  ＭＰａ×μｍ３、５Ｅ５  ＭＰａ×μｍ３、４Ｅ５  ＭＰａ×μｍ３、３Ｅ５  ＭＰａ×μｍ３、２Ｅ５  ＭＰａ×μｍ３、１Ｅ５  ＭＰａ×μｍ３、９Ｅ４  ＭＰａ×μｍ３、８Ｅ４  ＭＰａ×μｍ３、７Ｅ４  ＭＰａ×μｍ３、６Ｅ４  ＭＰａ×μｍ３、５Ｅ４  ＭＰａ×μｍ３、４Ｅ４  ＭＰａ×μｍ３、３Ｅ４  ＭＰａ×μｍ３、２Ｅ４  ＭＰａ×μｍ３、１Ｅ４  ＭＰａ×μｍ３、９Ｅ３  ＭＰａ×μｍ３、８Ｅ３  ＭＰａ×μｍ３、７Ｅ３  ＭＰａ×μｍ３、６Ｅ３  ＭＰａ×μｍ３、５Ｅ３  ＭＰａ×μｍ３、４Ｅ３  ＭＰａ×μｍ３、３Ｅ３  ＭＰａ×μｍ３、２Ｅ３  ＭＰａ×μｍ３、１Ｅ３  ＭＰａ×μｍ３、またはそれ以下の最大剛性を呈してもよい。光学部分は、前述の値のいずれか２つにより規定される範囲内にある最大剛性を呈してもよい。光学部は、例えば２Ｅ３  ＭＰａ×μｍ３  〜３Ｅ９  ＭＰａ×μｍ３、１Ｅ３  ＭＰａ×μｍ３〜１Ｅ９  ＭＰａ×μｍ３、１Ｅ４  ＭＰａ×μｍ３〜１Ｅ８  ＭＰａ×μｍ３、または１Ｅ５  ＭＰａ×μｍ３〜１Ｅ７  ＭＰａ×μｍ３の範囲の最大剛性を呈する場合がある。
【００９６】
動的コンタクトレンズは、他の光学要素と組み合わせると角膜への適用時に視力を矯正可能な涙体を生成するように構成することができる。
【００９７】
動的コンタクトレンズを角膜に適用すると、光学部分は２つ以上の準安定構成を呈することができ、ここで２つ以上の準安定構成は、中心光学後面と角膜の前面との間の異なる隙間により特徴づけられる。動的コンタクトレンズは、眼瞼との相互作用および／または眼の動作により、例えば眼瞼により動的コンタクトレンズに掛けられる圧力および／または注視角の変化によって、光学部分が２つ以上の準安定構成間を移行できるように構成することができる。
【００９８】
光学部分は、多くとも約１０ｍｍ、９ｍｍ、８ｍｍ、７ｍｍ、６ｍｍ、５ｍｍ、４ｍｍ、３ｍｍ、２ｍｍ、１ｍｍ、またはそれ以下の直径を有する場合がある。光学部分は、少なくとも約１ｍｍ、２ｍｍ、３ｍｍ、４ｍｍ、５ｍｍ、６ｍｍ、７ｍｍ、８ｍｍ、９ｍｍ、１０ｍｍ、またはそれ以上の直径を有していてもよい。光学部分は、前述の値のいずれか２つにより規定される範囲内にある直径を有してもよい。光学部分は、例えば２．５ｍｍ〜７ｍｍ、２．５ｍｍ〜６．５ｍｍ、２．５ｍｍ〜６．０ｍｍ、２．５ｍｍ〜５ｍｍ、または２ｍｍ〜４ｍｍの直径を有する場合がある。
【００９９】
光学後面は、多くとも約１０ｍｍ、９．５ｍｍ、９ｍｍ、８．５ｍｍ、８ｍｍ、７．５ｍｍ、７ｍｍ、６．５ｍｍ、６ｍｍ、５．５ｍｍ、５ｍｍ、４．５ｍｍ、４ｍｍ、３．５ｍｍ、３ｍｍ、２．５ｍｍ、２ｍｍ、１．５ｍｍ、１ｍｍ、またはそれ以下の曲率半径を有してもよい。光学後面は、少なくとも約１ｍｍ、１．５ｍｍ、２ｍｍ、２．５ｍｍ、３ｍｍ、３．５ｍｍ、４ｍｍ、４．５ｍｍ、５ｍｍ、５．５ｍｍ、６ｍｍ、６．５ｍｍ、７ｍｍ、７．５ｍｍ、８ｍｍ、８．５ｍｍ、９ｍｍ、９．５ｍｍ、１０ｍｍ、またはそれ以上の曲率半径を有してもよい。光学後面は、先述の値のいずれか２により規定される範囲内にある曲率半径を有してもよい。光学後面は、例えば３ｍｍ〜７．５ｍｍ、３ｍｍ〜７ｍｍ、３．５ｍｍ〜６．５ｍｍ、または４ｍｍ〜６ｍｍの曲率半径を有する場合がある。
【０１００】
光学部分は、ほぼ均一な厚みを有する場合がある。光学部分は、少なくとも約１０μｍ、２０μｍ、３０μｍ、４０μｍ、５０μｍ、６０μｍ、７０μｍ、８０μｍ、９０μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１，０００μｍ、またはそれ以上のほぼ均一な厚みを含んでもよい。光学部分は、多くとも約１，０００μｍ、９５０μｍ、９００μｍ、８５０μｍ、８００μｍ、７５０μｍ、７００μｍ、６５０μｍ、６００μｍ、５５０μｍ、５００μｍ、４５０μｍ、４００μｍ、３５０μｍ、３００μｍ、２５０μｍ、２００μｍ、１５０μｍ、１００μｍ、９０μｍ、８０μｍ、７０μｍ、６０μｍ、５０μｍ、４０μｍ、３０μｍ、２０μｍ、１０μｍ、またはそれ以下のほぼ均一な厚みを含んでもよい。光学部分は、前述の値のいずれか２つにより規定される範囲内にあるほぼ均一な厚みを含んでもよい。例えば光学部分は、２０μｍ〜３００μｍ、２０μｍ〜２５０μｍ、５０μｍ〜２００μｍ、または５０μｍ〜１５０μｍのほぼ均一な厚みを有する場合がある。
【０１０１】
光学部分は、不均一な厚みを有する場合がある。光学部分は、少なくとも約１０μｍ、２０μｍ、３０μｍ、４０μｍ、５０μｍ、６０μｍ、７０μｍ、８０μｍ、９０μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１，０００μｍ、またはそれ以上の不均一な厚み、例えば中心厚みを含んでもよい。光学部分は、多くとも約１，０００μｍ、９５０μｍ、９００μｍ、８５０μｍ、８００μｍ、７５０μｍ、７００μｍ、６５０μｍ、６００μｍ、５５０μｍ、５００μｍ、４５０μｍ、４００μｍ、３５０μｍ、３００μｍ、２５０μｍ、２００μｍ、１５０μｍ、１００μｍ、９０μｍ、８０μｍ、７０μｍ、６０μｍ、５０μｍ、４０μｍ、３０μｍ、２０μｍ、１０μｍ、またはそれ以下の不均一な厚み、例えば中心厚みを含んでもよい。光学部分は、前述の値のいずれか２つにより規定される範囲内にある不均一な厚み、例えば中心厚みを含んでもよい。例えば、２０μｍ〜３００μｍ、２０μｍ〜２５０μｍ、５０μｍ〜２００μｍ、または５０μｍ〜１５０μｍの不均一な厚み、例えば中心厚みを有する光学部分、および光学部分の厚みは、周辺部分との界面に向かうにつれて光学部分の中心から増大または減少する場合がある。光学部分の厚みは、光学部分の断面形状全体にわたって変動する場合がある。例えば光学部分の断面厚みは、光学部分の中心からの異なる半径方向距離において異なるかまたは同じであってもよい。例えば厚みは、中心において比較的増大し、中心から離れると減少し、次いで増加し、そして周辺部分との界面に向かうにつれて減少する場合がある。通常、快適性を促すためには、光学部分の前面が滑らかな外形を有し、それゆえ光学部分の厚みの変化が光学部分の後面に適用されることが望ましい場合がある。光学部分と周辺部分との間の移行部は、準安定構成間の移行を容易にし、かつ準安定構成を維持するように構成することができる。
【０１０２】
移行部は、動的コンタクトレンズを眼に適用したときに、光学後面と角膜の前面との間に形成される光学涙体への涙液の流動を容易にするように構成することができる。
【０１０３】
例えば移行部は、光学部分により規定される光学涙体の中と外に涙液が流動できるのを容易にするチャネルまたは溝部を備えていてもよい。
【０１０４】
１つ以上の溝部を周辺部分の後面に配置することができ、かつ周辺部分から光学部分の周囲にまで延在させることができる。１つ以上の溝部は移行部において終端とすることができ、または移行部全体にわたって延在してそれを横断することができる。１つ以上の溝部は光学部分にまで延在することができる。
【０１０５】
例えば１つ以上の溝部の各々は、光学部分から外側に向かい半径方向に延在することができる。
【０１０６】
１つ以上の溝部は、少なくとも約１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、またはそれ以上の溝部を備えていてもよい。１つ以上の溝部は、多くとも約５０、４９、４８、４７、４６、４５、４４、４３、４２、４１、４０、３９、３８、３７、３６、３５、３４、３３、３２、３１、３０、２９、２８、２７、２６、２５、２４、２３、２２、２１、２０、１９、１８、１７、１６、１５、１４、１３、１２、１１、１０、９、８、７、６、５、４、３、２、または１つの溝部を備えていてもよい。１つ以上の溝部は、先述の値のいずれか２つにより規定される範囲内にある多数の溝部を備えていてもよい。１つ以上の溝部は、例えば１〜２０の溝部、１〜１６の溝部、１〜１２の溝部、４〜１０の溝部、または４〜８の溝部を備える場合がある。
【０１０７】
１つ以上の溝部の各々は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の幅を含んでもよい。１つ以上の溝部の各々は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の幅を含んでもよい。１つ以上の溝部の各々は、先述の値のいずれか２つにより規定される範囲内にある幅を備えていてもよい。１つ以上の溝部の各々は、例えば３０μｍ〜１，０００μｍ、３０μｍ〜８００μｍ、３０μｍ〜６００μｍ、２００μｍ〜６００μｍ、または４００μｍ〜６００μｍの幅を有する場合がある。各溝部は、動的コンタクトレンズの周囲に向かう遠位端から動的コンタクトレンズの中心に向かう近位端までの長さに沿って様々な幅を有する場合がある。
【０１０８】
１つ以上の溝部の各々は独立して、少なくとも約１０μｍ、１５μｍ、２０μｍ、２５μｍ、３０μｍ、３５μｍ、４０μｍ、４５μｍ、５０μｍ、５５μｍ、６０μｍ、６５μｍ、７０μｍ、７５μｍ、８０μｍ、８５μｍ、９０μｍ、９５μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１，０００μｍ、あるいはそれ以上の深さまたは高さを有してもよい。１つ以上の溝部の各々は独立して、多くとも約１，０００μｍ、９５０μｍ、９００μｍ、８５０μｍ、８００μｍ、７５０μｍ、７００μｍ、６５０μｍ、６００μｍ、５５０μｍ、５００μｍ、４５０μｍ、４００μｍ、３５０μｍ、３００μｍ、２５０μｍ、２００μｍ、１５０μｍ、１００μｍ、９５μｍ、９０μｍ、８５μｍ、８０μｍ、７５μｍ、７０μｍ、６５μｍ、６０μｍ、５５μｍ、５０μｍ、４５μｍ、４０μｍ、３５μｍ、３０μｍ、２５μｍ、２０μｍ、１５μｍ、１０μｍ、またはそれ以下の深さまたは高さを有してもよい。１つ以上の溝部の各々は独立して、先述の値のいずれか２つにより規定される範囲内にある高さまたは深さを有していてもよい。１つ以上の溝部の各々は独立して、例えば２５μｍ〜２００μｍ、２５μｍ〜１５０μｍ、または１００μｍ〜２００μｍの高さ／深さを有していてもよい。
【０１０９】
１つ以上の溝部の各々は独立して、少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、２ｍｍ、３ｍｍ、４ｍｍ、５ｍｍ、６ｍｍ、７ｍｍ、８ｍｍ、９ｍｍ、１０ｍｍ、またはそれ以上の長さを有してもよい。１つ以上の溝部の各々は独立して、多くとも約１０ｍｍ、９ｍｍ、８ｍｍ、７ｍｍ、６ｍｍ、５ｍｍ、４ｍｍ、３ｍｍ、２ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下の長さを有してもよい。１つ以上の溝部の各々は独立して、先述の値のいずれか２つにより規定される範囲内にある長さを有していてもよい。１つ以上の溝部の各々は独立して、例えば０．５ｍｍ〜７ｍｍ、０．５ｍｍ〜６ｍｍ、０．５ｍｍ〜５ｍｍ、１ｍｍ〜４ｍｍ、または１ｍｍ〜３ｍｍの長さを有する場合がある。
【０１１０】
１つ以上の溝部の各々は独立して、溝部の長さ全体にわたって一定である断面形状および／または高さ／深さを有する場合がある。
【０１１１】
１つ以上の溝部の各々は独立して、溝部の長さ全体にわたり変化する断面形状および／または高さ／深さを有する場合がある。例えば溝部の幅は、端部に向かうにつれて広くなり、中央に向かうにつれて狭くすることができる。
【０１１２】
溝部またはチャネルは、例えば三角形、正方形、長方形、ドーム形、または楕円形などの、涙液の流れを容易にするための任意の適切な断面形状を呈する場合がある。
【０１１３】
溝部の少なくとも１つは、周辺前面にわたって延在する１つ以上のレンズ孔につなげることができる。レンズ孔は、涙液層あるいはレンズの前面を、溝部、またはレンズの周辺後面と角膜との間の涙膜に流体結合するように構成することができる。例えば溝部は、１つ、２つ、３つ、またはそれ以上のレンズ孔につなげることができる。
【０１１４】
１つ以上のレンズ孔の各々は独立して、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の直径を有してもよい。１つ以上のレンズ孔の各々は独立して、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の直径を有してもよい。１つ以上のレンズ孔の各々は独立して、先述の値のいずれか２つにより規定される範囲内にある直径を有していてもよい。１つ以上のレンズ孔の各々は独立して、例えば３０μｍ〜６００μｍ、１００μｍ〜５００μｍの直径を有する場合がある。レンズ孔は、動的コンタクトレンズの表面を横切る涙液の流れを容易にし、および／または調節するための任意の適切な断面形状を呈する場合がある。
【０１１５】
移行部は、光学部分の可撓性を向上させるように構成された特徴を備える場合がある。光学部分の可撓性を向上させ、準安定構成間を移行する光学部分の能力を容易にし、および／または準安定構成を維持する光学部分の能力を容易にする特徴の例として、滑らかな縁部、薄くされた断面厚み、溝部、またはそれらの任意の組み合わせが挙げられる。
【０１１６】
移行部は、光学涙体と、涙液貯蔵部や涙液メニスカスなどの光学涙体の外部にある涙液源との間の涙液交換を容易にする、１つ以上の特徴または機構を備えている場合がある。
【０１１７】
例えば、本発明の開示により提供される動的コンタクトレンズは、直径２．５ｍｍ〜７ｍｍの光学部分、曲率半径３ｍｍ〜７．５ｍｍの光学後面、中心厚み２０μｍ〜３００μｍのほぼ均一な厚み、光学部分からレンズの周縁に向かい外側へと放射状に延在する１つ以上の溝部、および１つ以上の溝部の各々につなげられる１つ以上のレンズ孔を備えており、ここで、１つ以上の溝部は３〜２０の溝部であり、各溝部において幅２０μｍ〜１，０００μｍ、高さ／深さ５０μｍ〜２００μｍ、長さ１ｍｍ〜７ｍｍであり、レンズ孔の直径は１００μｍ〜６００μｍである。
【０１１８】
別の例として、本発明の開示により提供される動的コンタクトレンズは、直径２．５ｍｍ〜７ｍｍの光学部分、曲率半径３ｍｍ〜７．５ｍｍの光学後面、中心厚み５０μｍ〜３００μｍのほぼ均一な厚み、光学部分からレンズの周縁に向かい外側へと放射状に延在する１つ以上の溝部、および１つ以上の溝部の各々につなげられる１つ以上のレンズ孔を備えており、ここで、１つ以上の溝部は１〜１０の溝部であり、各溝部において幅４００μｍ〜６００μｍ、高さ／深さ２５μｍ〜１５０μｍ、長さ１ｍｍ〜５ｍｍであり、レンズ孔の直径は３００μｍ〜５００μｍである。
【０１１９】
本発明の開示により提供される動的コンタクトレンズは、光学部分であって、該光学部分は、角膜を有する眼に第１の光強度を提供するよう構成された適合構成と、眼に第２の光強度を提供するよう構成された少なくとも１つの適合構成とを備えており、前記第２の光強度は第１の光強度と異なるものである、光学部分と、適合構成と少なくとも１つの適合構成との間に変化をもたらすよう構成された少なくとも１つの第１の特徴と、少なくとも１つの非適合構成と適合構成との間に変化をもたらすよう構成された少なくとも１つの第２の特徴とを備えている場合がある。第１の機構と第２の機構は同じ機構、または異なる機構の場合がある。
【０１２０】
本発明の開示により提供される動的コンタクトレンズは、光学部分であって、該光学部分は、角膜を有する眼に第１の光強度を提供するよう構成された第１の非適合構成と、眼に第２の光強度を提供するよう構成された少なくとも１つの第２の非適合構成とを備えており、前記第２の光強度は第１の光強度と異なるものである、光学部分と、第１の非適合構成と少なくとも１つの第２の非適合構成との間に変化をもたらすよう構成された少なくとも１つの第１の特徴と、少なくとも１つの非適合構成と適合構成との間に変化をもたらすよう構成された少なくとも１つの第２の特徴とを備えている場合がある。第１の機構と第２の機構は同じ機構、または異なる機構の場合がある。
【０１２１】
コンタクトレンズが眼に適用されると、光学部分は、光学部分の後面が角膜の前面に適合するか、またはほぼ適合する構成を呈することができる。適合構成では、動的コンタクトレンズの後面と角膜の前面との間に薄い涙膜が存在することが理解されるであろう。涙膜は、少なくとも約０．１μｍ、０．２μｍ、０．３μｍ、０．４μｍ、０．５μｍ、０．６μｍ、０．７μｍ、０．８μｍ、０．９μｍ、１μｍ、２μｍ、３μｍ、４μｍ、５μｍ、６μｍ、７μｍ、８μｍ、９μｍ、１０μｍ、またはそれ以上の厚みであってもよい。涙膜は、多くとも約１０μｍ、９μｍ、８μｍ、７μｍ、６μｍ、５μｍ、４μｍ、３μｍ、２μｍ、１μｍ、０．９μｍ、０．８μｍ、０．７μｍ、０．６μｍ、０．５μｍ、０．４μｍ、０．３μｍ、０．２μｍ、０．１μｍ、またはそれ以下の厚みであってもよい。涙膜は、前述の値のいずれか２つにより規定される範囲内にある厚みを有してもよい。例えば涙膜は、厚み０．１μｍ〜３μｍ、０．５μｍ〜２．５μｍ、または１μｍ〜２μｍの場合がある。動的コンタクトレンズは、適合する構成において光学部分と角膜との間の涙膜厚みが３μｍを超える、および／または光学部分全体にわたり変動することで光学前面の形状を変化させることができるように、設計することができる。
【０１２２】
コンタクトレンズが眼に適用されると、光学部分は、光学部分の後面が角膜の前面に適合しない第１の非適合構成を呈することができる。例えば、第１の非適合構成では、角膜の前面と光学部分の後面との間の中心隙間は、少なくとも約１μｍ、２μｍ、３μｍ、４μｍ、５μｍ、６μｍ、７μｍ、８μｍ、９μｍ、１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の場合がある。第１の非適合構成では、中心隙間は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、９μｍ、８μｍ、７μｍ、６μｍ、５μｍ、４μｍ、３μｍ、２μｍ、１μｍ、またはそれ以下であってもよい。第１の非適合構成では、中心隙間は、先述の値のいずれか２つにより規定される範囲内にあってもよい。例えば第１の非適合構成では、中心隙間は、３μｍ超、例えば５μｍ超、１０μｍ超、２０μｍ超、３０μｍ超、４０μｍ超、５０μｍ超、６０μｍ超、７０μｍ超、８０μｍ超、または１００μｍ超であってもよい。例えば第１の非適合構成では、角膜の前面と光学部分の後面との間の中心隙間は、５μｍ〜１００μｍ、１０μｍ〜９０μｍ、１０μｍ〜７０μｍ、１０μｍ〜５０μｍ、または１０μｍ〜３０μｍの範囲内にある場合がある。光学部分は第２の適合構成を呈することができ、この構成では、角膜の前面と光学部分の後面との間の中心隙間は、第１の非適合構成における中心隙間よりも大きく、例えば１０μｍ〜２００μｍ、または１０μｍ〜１００μｍの範囲内にある場合がある。２つの構成間の基本的な差異は、一方の構成が他方の構成よりも角膜に適合するため、２つの非適合構成間に光学前面の曲率の変化が生じ、これにより、光学部分が２つの準安定非適合構成のいずれかにあるときに光学部分に変化が生じるというものであることを、理解されたい。
【０１２３】
動的コンタクトレンズは、光学後面曲率が周辺後面曲率とは異なり、そうなることで、光学部分において涙液が流れ図動的コンタクトレンズに機械力も流体圧力もかけられなくなるように、製造される。しかし、注視変化、眼瞼圧、涙液メニスカスなどの涙液源とのレンズ特徴のいずれか１つの接続、または、光学涙体の中あるいは外に涙液を流す他の手段などにより誘導されるように、光学部分を涙液が流れると、隙間高さが変化して光学涙体の寸法が変化し、それにより光学部分の前面の光強度が変化する。例えば涙液メニスカスおよび／または涙液貯蔵部により涙液を提供することができる。製造時の矢状高さは、所望の色魔高さと光強度の所望の変化に基づいて設計することができる。
【０１２４】
光学涙体の隙間高さは、注視変化の間、眼瞼圧力をかけた際、および／またはレンズ特徴のいずれか１つと涙液メニスカスなどの涙液源との接続により、製造時の矢状高さの１０％〜１００％を呈する場合がある。隙間高さは、注視変化の間の製造時の矢状高さの少なくとも約１０％、２０％、３０％、４０％、５０％、６０％、７０％、８０％、９０％、または１００％を呈する場合がある。隙間高さは、注視変化の間の製造時の矢状高さの多くとも約１００％、９０％、８０％、７０％、６０％、５０％、４０％、３０％、２０％、または１０％を呈する場合がある。隙間高さは、先述の値のいずれか２つにより規定される範囲内にある、注視変化の間の製造時の一定量の矢状高さを呈する場合がある。隙間高さが製造前の矢状高さの割合に戻ることができる割合は、涙液の流れ、光学部分を流れる涙液のアベイラビリティ、および涙液貯蔵部、レンズの後面溝部、レンズの前面溝部、レンズ孔、移行部形状、周辺形状、縁形状などの構造的特徴、ならびに／または動的コンタクトレンズの下、上、中における涙液の流れを調節および／または容易にする材料特性や表面特性などの他の特徴によって少なくとも部分的に求めることができる。実際には、製造時の矢状高さのほか、例えば厚み、材料弾性率、剛性、曲率半径、直径を含む動的コンタクトレンズの他の構造的特徴は、角膜から離れて前方に光学部分に対して復元力を付与することに寄与し、そうすることでポンピング力が生成されて光学部分の真下で涙液が引っ張られて、少なくとも１つの準安定不適合構成で涙体を形成する。この復元力は、動的コンタクトレンズに対する眼瞼圧または眼の動作の印加により克服することができ、これにより光学部分が角膜に向かって後方に移動し、別の準安定不適合構成または適合構成を呈する。
【０１２５】
適合構成では、光学部分の後面と角膜との間の距離は、少なくとも約１μｍ、２μｍ、３μｍ、４μｍ、５μｍ、６μｍ、７μｍ、８μｍ、９μｍ、１０μｍ、またはそれ以上の場合がある。適合構成では、光学部分の後面と角膜との間の距離は、多くとも約１０μｍ、９μｍ、８μｍ、７μｍ、６μｍ、５μｍ、４μｍ、３μｍ、２μｍ、１μｍ、またはそれ以下の場合がある。適合構成では、光学部分の後面と角膜との間の距離は、先述の値のいずれか２つにより規定される範囲内の場合がある。例えば適合構成では、光学部分の後面と角膜との間の距離は、例えば３μｍ未満、２μｍ未満、または１μｍ未満の場合がある。
【０１２６】
光学部分が角膜に適合しない設計となるように、動的コンタクトレンズを製造することができる。このような実施形態では、光学部分は角膜を飛び越えることで、光強度を提供する光学涙体を作り出すために１０μｍ以上の隙間高さを作り出す。例えば、ベース曲率６．２ｍｍで直径３ｍｍの光学領域は、傍中心ベース曲率に対して隙間高さ４０μｍを作り出し、または、例えば、ベース曲率（ＢＣ）６．４ｍｍで直径５ｍｍの光学領域は、中心周囲ＢＣに対して隙間高さ１００μｍを作り出す。この適合構成では、光学部分の後面ベース曲率は、周辺部分のベース曲率とほぼ同じであってもよい。
【０１２７】
動的コンタクトレンズは、角膜に適合しないなどを目的として光学部分が本明細書に開示される低弾性率材料、例えばヤング率０．０５ＭＰａ〜１０ＭＰａまたは０．１ＭＰａ〜２ＭＰａの材料からなるように、設計することができる。このような実施形態では、光学部分は角膜曲率を飛び越えることで、光学涙体を作り出すために１０μｍ以上の隙間を作り出す。例えば、ＢＣ６．２ｍｍで直径３ｍｍの光学領域は、中心周囲ＢＣに対して隙間高さ４０μｍを作り出し、または、例えば、ＢＣ６．４ｍｍで直径５ｍｍの光学領域は、傍中心ＢＣに対して隙間高さ１００μｍを作り出す。本明細書では、不適合な構成における隙間高さは、例えば５μｍ〜３００μｍの場合がある。この適合構成では、光学部分の後面ベース曲率は、周辺部分の後面ベース曲率とほぼ同じであってもよい。
【０１２８】
適合構成は準安定状態を表す。準安定とは、涙液が光学涙体の中または外を流れて準安定平衡を妨害して別の準安定構成への移行を生じさせることができるように、レンズ特徴のいずれかに力が加えられるか、または涙液がレンズ特徴のいずれかに対し利用可能とならない限り、またはそうなるまで、一定期間にわたり構成を維持することを意味する。
【０１２９】
準安定適合構成は、光学部分の後面と角膜の前面との間の接着力により維持することができる。準安定適合構成は、動的コンタクトレンズの機械力および／または流体動力により維持することができる。準安定適合構成は、接着力、流体動力、およびレンズ機械力の組み合わせにより維持することができる。
【０１３０】
接着力は、例えば涙液内の凝集力、および涙膜と角膜の前面との間の接着力を含む毛管力によって媒介される場合がある。光学部分の後面と角膜との間の涙液薄膜の表面張力により、２つの表面を接着させることができる。涙液と前眼表面が親水性であるため、光学部分の後面も親水性である場合には接着力が好まれることとなる。反対に、動的後面が疎水性である場合、接着力は少なくなってしまう。
【０１３１】
機械力は、レンズの特定領域の厚みの選択、レンズの特定領域の曲率の選択、眼瞼によるレンズの操作を容易にする特徴の組み込み、および／または光学涙体と涙液メニスカスなどの涙液源との流体結合と流体分離を容易にする特徴の組み込みによって、生じる場合がある。
【０１３２】
適合構成では、接着力は、光学後面全体にわたり延在する、または光学後面の一部にわたって延在することができる。
【０１３３】
適合構成では、光学後面と角膜との間の隙間は、光学部分の直径にわたってほぼ均一な場合がある。隙間の差は、光学部分の中心における隙間距離と、中心から離れた半径方向距離における隙間距離との差として定めることができる。適合構成では、隙間の差は小さく、最小である。適合構成では、隙間の差は非適合構成よりも小さい。
【０１３４】
適合構成では、光学部分は、眼に第１の光強度を提供するように構成することができる。第１の光強度はゼロ（０Ｄ）であってもよい。第１の光強度は、少なくとも約１０ｄ、−９Ｄ、−８Ｄ、−７Ｄ、−６Ｄ、−５Ｄ、−４Ｄ、−３Ｄ、−２Ｄ、−１Ｄ、０Ｄ、＋１Ｄ、＋２Ｄ、＋３Ｄ、＋４Ｄ、＋５Ｄ、＋６Ｄ、＋７Ｄ、＋８Ｄ、＋９Ｄ、＋１０Ｄ、またはそれ以上であってもよい。第１の光強度は、多くとも約＋１０Ｄ、＋９Ｄ、＋８Ｄ、＋７Ｄ、＋６Ｄ、＋５Ｄ、＋４Ｄ、＋３Ｄ、＋２Ｄ、＋１Ｄ、０Ｄ、−１Ｄ、−２Ｄ、−３Ｄ、−４Ｄ、−５Ｄ、−６Ｄ、−７Ｄ、−８Ｄ、−９Ｄ、−１０Ｄ、またはそれ以下であってもよい。第１の光強度は、前述の値のいずれか２つにより規定される範囲内にあってもよい。第１の光強度は、例えば０Ｄ〜±１０Ｄ、０Ｄ〜±８Ｄ、０Ｄ〜±６Ｄ、０Ｄ〜±４Ｄ、０Ｄ〜±３Ｄ、０Ｄ〜±２Ｄ、または０Ｄ〜±１Ｄの範囲にある場合がある。
【０１３５】
動的光学部分は、１つ以上の準安定非適合構成を有する場合がある。
【０１３６】
１つ以上の非適合構成は、連続または離散的な場合がある、例えば少なくとも約３、４、５、６、７、８、９、１０、またはそれ以上の、単一の非適合構成、２つ以上の離散的非適合構成、または複数の準安定非適合構成の場合がある。１つ以上の非適合構成は、多くとも約１０、９、８、７、６、５、４、３、またはそれ以下の準安定構成を含んでもよい。
【０１３７】
適合構成では、光学部分の中心、および光学部分の周辺において、周辺部分とともに移行部に向かう、レンズの後面と角膜との間の隙間の差は、適合構成の方が非適合構成よりも小さい。適合構成では、隙間高さは、少なくとも約０．１μｍ、０．２μｍ、０．３μｍ、０．４μｍ、０．５μｍ、０．６μｍ、０．７μｍ、０．８μｍ、０．９μｍ、１μｍ、２μｍ、３μｍ、４μｍ、５μｍ、６μｍ、７μｍ、８μｍ、９μｍ、１０μｍ、またはそれ以上であってもよい。適合構成では、隙間高さは、多くとも約１０μｍ、９μｍ、８μｍ、７μｍ、６μｍ、５μｍ、４μｍ、３μｍ、２μｍ、１μｍ、０．９μｍ、０．８μｍ、０．７μｍ、０．６μｍ、０．５μｍ、０．４μｍ、０．３μｍ、０．２μｍ、０．１μｍ、またはそれ以下であってもよい。適合構成では、隙間高さは、先述の値のいずれか２つにより規定される範囲内にあってもよい。例えば適合構成では、隙間高さは、適合構成において光学部分が角膜の涙膜上にあるように、０．１μｍ〜４μｍ、１μｍ〜４μｍ、または１μｍ〜３μｍの場合がある。
【０１３８】
非適合構成では、光学部分は角膜に付着していない。光学部分は、角膜表面の上に延在するか、またはそこから離れて隆起し、光学部分の後面と角膜の前面との間にレンズ体を設ける。レンズ体を涙液で満たして光学涙体を形成することができる。
【０１３９】
眼の上にあるとき、光学涙体と組み合せた動的コンタクトレンズの非適合構成は、眼に第２の光強度をもたらし、ここで第１の光強度（適合構成における）と第２の光強度は同じものではない。非適合構成における第２の光強度は、適合構成における光強度よりも大きい、または小さい場合がある。非適合構成における第２の光強度は、少なくとも約−１０Ｄ、−９Ｄ、−８Ｄ、−７Ｄ、−６Ｄ、−５Ｄ、−４Ｄ、−３Ｄ、−２Ｄ、−１Ｄ、−０．９Ｄ、−０．８Ｄ、−０．７Ｄ、−０．６Ｄ、−０．５Ｄ、−０．４Ｄ、−０．３Ｄ、−０．２Ｄ、−０．１Ｄ、０Ｄ、＋０．１Ｄ、＋０．２Ｄ、＋０．３Ｄ、＋０．４Ｄ、＋０．５Ｄ、＋０．６Ｄ、＋０．７Ｄ、＋０．８Ｄ、＋０．９Ｄ、＋１ｄ、＋２ｄ、＋３ｄ、＋４ｄ、＋５ｄ、＋６ｄ、＋７Ｄ、＋８Ｄ、＋９Ｄ、＋１０Ｄ、またはそれ以上であってもよい。非適合構成における第２の光強度は、多くとも約＋１０Ｄ、＋９Ｄ、＋８Ｄ、＋７Ｄ、＋６Ｄ、＋５Ｄ、＋４Ｄ、＋３Ｄ、＋２Ｄ、＋１Ｄ、＋０．９Ｄ、＋０．８Ｄ、＋０．７Ｄ、＋０．６Ｄ、＋０．５Ｄ、＋０．４Ｄ、＋０．３Ｄ、＋０．２Ｄ、＋０．１Ｄ、０Ｄ、−０．１Ｄ、−０．２Ｄ、−０．３Ｄ、−０．４Ｄ、−０．５Ｄ、−０．６Ｄ、−０．７Ｄ、−０．８Ｄ、−０．９Ｄ、−１ｄ、−２ｄ、−３ｄ、−４ｄ、−５ｄ、−６ｄ、−７Ｄ、−８Ｄ、−９Ｄ、−１０Ｄ、またはそれ以下であってもよい。非適合構成における第２の光強度は、先述の値のいずれか２つにより規定される範囲内にあってもよい。例えば第２の光強度は、第１の光強度の±１Ｄ未満、±２Ｄ未満、±３Ｄ未満、±４Ｄ未満、±５Ｄ未満、±６Ｄ未満、±７Ｄ未満、±８Ｄ未満、±９Ｄ未満、または±１０Ｄ未満の場合がある。例えば第２の光強度は、０．１Ｄ〜１０Ｄ、０．１Ｄ〜９Ｄ、０．１Ｄ〜８Ｄ、０．１Ｄ〜７Ｄ、０．１Ｄ〜６Ｄ、０．１Ｄ〜５Ｄ、０．１Ｄ〜４Ｄ、０．１Ｄ〜３Ｄ、０．１Ｄ〜２Ｄ、または０．１Ｄ〜１Ｄの第１の光強度の場合がある。例えば第２の光強度は、−０．１Ｄ〜−１０Ｄ、−０．１Ｄ〜−９Ｄ、−０．１Ｄ〜−８Ｄ、−０．１Ｄ〜−７Ｄ、−０．１Ｄ〜−６Ｄ、−０．１Ｄ〜−５Ｄ、−０．１Ｄ〜−４Ｄ、−０．１Ｄ〜−３Ｄ、−０．１Ｄ〜−２Ｄ、または−０．１Ｄ〜−１Ｄの第１の光強度の場合がある。
【０１４０】
ある動的コンタクトレンズでは、第１の光強度は眼に光強度の変化をもたらさない。ある動的コンタクトレンズでは、第２の光強度は眼に光強度の変化をもたらさない。
【０１４１】
ある動的コンタクトレンズでは、適合構成は、眼に光強度の第１の変化をもたらし、少なくとも１つの非適合構成は、眼に光強度の第２の変化をもたらす。動的コンタクトレンズの光強度は光学前面から得られることを理解されたい。光強度は、動的コンタクトレンズの光学前面に対する光学涙体の効果に関係している。
【０１４２】
単一の非適合構成の場合、光学部分は、光学部分が角膜に接着していない単一構成を呈することができる。単一の非適合構成は準安定の場合がある。単一の非適合構成は、製造時の光学部分とほぼ同じ形状を呈することができる。
【０１４３】
非適合構成は、２つ以上の離散構成を含む場合がある。２つ以上の離散非適合構成の各々は、眼に異なる光強度を付与することができる。異なる光強度は光学前面により作り出され、その形状は、光学後面と角膜の前面との間に形成される光学涙体の形状に対応する。２つ以上の離散構成の各々は準安定の場合がある。
【０１４４】
非適合構成は、離散的または連続的の場合がある複数の非適合構成を含む場合がある。これら離散的または連続的な非適合構成は、準安定であるか、または安定でない場合がある。複数の離散的または連続的な非適合構成の１つ以上が、準安定の場合がある。例えば、複数の連続的非適合構成内に含まれる準安定構成は、製造時の光学部分の形状を実質的に含む場合がある。
【０１４５】
非適合構成は、周辺部分のベース曲率に対する中心隙間高さにより特徴づけることができる。周辺部分（１０６）の後面は単一の曲率により特徴づけることができ、これは図１に示すように、動的コンタクトレンズの光学部分の下に延在する（１１９）を外挿することができる。非適合構成では、光学部分の後面と周辺ベース曲率との間の距離は、周辺ベース曲率に対する隙間高さである。この隙間高さは、非適合構成において光学部分の中心から光学部分の周辺に向かって放射状に低くなる場合がある。
【０１４６】
ある設計では、製造時の矢状高さと隙間高さは増大すると、光学部分と周辺部分との間の移行部に向かうにつれて減少する場合がある。
【０１４７】
レンズの前面は、例えば光学部分が非適合構成を呈する場合に光学部分が眼に追加の光強度をもたらし、そして光学部分の周辺領域が適合構成と同じ光強度をもたらすように、多焦点構造を呈する場合がある。
【０１４８】
動的レンズ構成全体を多焦点レンズ設計とつなげて多焦点レンズの利点を提供しながら、例えば中間視力や近視力といった所望の条件下で動的レンズから追加の光強度をもたらすことができる。
【０１４９】
眼の上に配されると、周辺部分は角膜に適合して涙膜上に載ることができ、周辺ベース曲率は角膜の曲率とほぼ同じ場合があり、隙間高さは角膜の前面に対して言及することができる。
【０１５０】
非適合構成では、光学部分の中心隙間高さは、適合構成における中心隙間高さよりも大きくすることができる。
【０１５１】
非適合構成では、隙間高さの差は、適合構成における隙間高さの差よりも大きくなる。
【０１５２】
本発明の開示により提供される動的コンタクトレンズは、光学部分の構成変化を誘導するよう構成された１つ以上の特徴を備える場合がある。
【０１５３】
１つ以上の機構または特徴は、眼瞼により、または涙液メニスカスとの接触により特徴に圧力をかける際に構成変化を誘導することができる。眼瞼圧力をかけるための機構は、受動的、能動的、またはそれらの組み合わせであってもよい。受動機構は、動的コンタクトレンズの装着者による意識的な行動を含む場合があるが、必要なものではない。例えば受動機構は、注視角度の変更を含む場合がある。能動機構は、ある構成から別の構成への移行を誘導するために動的コンタクトレンズの装着者による意識的な行動を伴う場合がある。能動機構の一例として、光学部分のある構成から光学部分の別の構成への移行を誘導するための意識的なまばたき、または意識的に目を細めることを含む。意識的機構は、繰り返しのまばたき、または一定期間にわたり眼瞼を閉じたままにすることを含む場合がある。
【０１５４】
準安定構成の変化などの構成変化を誘導するための機構はさらに、毛管力が克服されると光学部分を隆起させることのできるレンズ内の内力を含む場合がある。例えば、隆起により製造されたレンズの場合、隆起の構成は低エネルギー構成を表す場合がある。毛管力が減少し、適合する光学部分が解放された後、動的コンタクトレンズの物理構造は、光学部分を角膜から離れて隆起させ、製造時の形状を呈するかそれに近づけさせるための力として作用する。適合状態と非適合状態の間の移行を誘導する機構は、毛管力を伴わない場合がある。レンズ内の機械力により、光学部分は構成間を移行することができる。涙液は、動的コンタクトレンズの後面と角膜との間の涙体内に流れ込み、光学部分が適合構成から非適合構成などの構成間を移行する間、またはその後に、光学涙体を形成することができる。機械力および／または流体動力は、動的コンタクトレンズの設計の選択、ならびにレンズの異なる部分を形成する材料の選択から生じる場合がある。例えば設計要素は、製造時の動的コンタクトレンズの異なる部分の厚み、剛性、および／または曲率半径を含み、動的コンタクトレンズの前面上の突出部の配置を含む。材料特性の例としては、動的コンタクトレンズの異なる部分を形成する材料の弾性率、疎水性、および／または親水性、ならびに、動的コンタクトレンズの光学部分、移行部、および周辺部分の異なる部分の剛性および／または相対的剛性が挙げられる。
【０１５５】
少なくとも１つの第１の機構と少なくとも１つの第２の機構は、同じ機構であるか、または、例えば毛管力および／または内部機械力を含む異なる機構であってもよい。
【０１５６】
本発明の開示により提供される動的コンタクトレンズは、幾何学的中心軸を備えることができる。
【０１５７】
光学部分は、幾何学軸の中心に、幾何学中心軸の中心付近に、幾何学軸の中心から外れて、またはそれらのいずれかの組み合わせにおいて配置することができる。例えば光学部分は中心対称であり、動的コンタクトレンズの幾何学軸を中心とすることができる。傍中心光学部分は、動的コンタクトレンズの幾何学的中心軸まわりの半径方向距離において対称的に配置することができる。光学部分はさらに、幾何学軸の中心から離れて配置することもできる。
【０１５８】
適合構成では、光学後面は、角膜の前面にほぼ適合するように構成することができる。
【０１５９】
適合構成では、光学部分は、角膜に付着するように構成することができる。角膜への接着とは、適合構成において、光学部分の後面が涙液薄層により角膜の前面から分離される準安定構成を光学部分が呈することを表す。角膜への接着は一時的な場合がある。接着性は準安定平衡を確立するようなものであってもよい。準安定平衡は、機械力および／または流体動力などの力を加えることにより破壊することができる。
【０１６０】
光学部分は毛管力により角膜表面に接着することができる。
【０１６１】
２つの濡れた表面間の液体層は、キャピラリーブリッジと呼ぶことができる。２つの表面間の毛管接着は、狭い隙間から液体を外側に引っ張る毛管作用によって引き起こされる。２つの表面を互いに引っ張り合う毛管接着は、２つの表面の相対位置を平衡状態に維持することができる。例えば、対向する表面を強制的に引き離すことにより平衡を破壊することで、毛管接着力を低下させ、表面を分離させることができる。
【０１６２】
非適合構成では、涙体は、光学部分の後面と角膜の表面との間の光学涙体内に形成することができる。涙体を満たすための涙液は、例えば、涙液貯蔵部から、動的コンタクトレンズの周辺部などの動的コンタクトレンズ間の涙膜から、結膜付近などの動的コンタクトレンズの周辺から、涙液メニスカスから、動的コンタクトレンズの厚みにおよぶレンズ孔を通じて、動的コンタクトレンズの後面および／または前面内の溝部を通じて、または前述のいずれかの組み合わせから生じる場合がある。動的コンタクトレンズの前面から後面または後面溝部まで延在するレンズ孔を備える動的コンタクトレンズでは、涙液はさらに、動的コンタクトレンズの前面上の涙液、および／または眼の涙液メニスカスから生じる場合がある。
【０１６３】
動的コンタクトレンズの光学部分は、少なくとも２つの異なる視野の深さに対して異なる光強度をもたらすように構成することができる。視力の深さとして、例えば近視力、中間視力、遠視力を挙げることができる。
【０１６４】
例えば動的コンタクトレンズは、角膜に適用したときに光学部分が適合構成で第１の矯正視力を提供し、かつ少なくとも１つの非適合構成で第２の矯正視力を提供するように構成することができる。
【０１６５】
例えば動的コンタクトレンズは、角膜に適用したときに光学部分が適合構成で第１の非矯正視力を提供し、かつ少なくとも１つの非適合構成で第２の矯正視力を提供するように構成することができる。
【０１６６】
例えば動的コンタクトレンズは、角膜に適用したときに光学部分が適合構成で第１の矯正視力を提供し、かつ少なくとも１つの非適合構成で第２の非矯正視力を提供するように構成することができる。
【０１６７】
第１の視力と第２の視力はそれぞれ独立して、距離視、中間視、または近視を含む場合がある。  例えば動的コンタクトレンズは、角膜に適用したときに光学部分が適合構成で第１の非矯正視力を提供し、かつ少なくとも１つの非適合構成で第２の矯正視力を提供するように構成することができる。
【０１６８】
本発明の開示により提供される動的コンタクトレンズは、注視角の変化などの眼瞼動作または眼の動作との相互作用に際して、光学部分の下の光学涙体と、周辺前面の涙液および／または涙液メニスカスなどの動的コンタクトレンズの周辺前面を覆う涙液との間での涙液の交換を容易にすることができる。コンタクトレンズの内側光学部分は、患者の眼に装着したときに光学部分が少なくとも２つの準安定構成を呈することができるように動的である。光学部分の後面と角膜の前面は、光学涙体が２つの準安定構成において異なるように動的光学涙体を画定する。光学涙体は、光学前面の形状を変化させて光学部分の光強度を変化させることができる。
【０１６９】
動的コンタクトレンズは、装着者が近視から遠視、または遠視から近視などのように視力を変化させると、光学部分が構成を変化させる能力を容易にするように構成されている。光学部分の光強度を連続的に変化させる必要性に対応するために、光学涙体は急速に変化する必要がある。例えば準安定構成間の移行は、患者の視力の変化に対応するために、３秒未満、２秒未満、または１秒未満であってもよい。それゆえ動的コンタクトレンズは、ユーザーの視野に絶えず繰り返し反応する必要がある。
【０１７０】
動的コンタクトレンズを眼に適用すると、コンタクトレンズの周辺後面と角膜との間に涙膜が存在する。角膜の前面に適合する周辺後面の場合、涙膜は全体的に、直径１４ｍｍの典型的なコンタクトレンズでは厚み０．１μｍ〜３μｍ、面積約０．００５ｍｍ３〜約０．１５ｍｍ３であり、総体積は約０．００５μｌ〜０．１５μｌである。
【０１７１】
動的コンタクトレンズは、少なくとも約０．０１μｌ、０．００２μｌ、０．００３μｌ、０．００４μｌ、０．００５μｌ、０．００６μｌ、０．００７μｌ、０．００８μｌ、０．００９μｌ、０．０１μｌ、０．０２μｌ、０．０３μｌ、０．０４μｌ、０．０５μｌ、０．０６μｌ、０．０７μｌ、０．０８μｌ、０．０９μｌ、０．１μｌ、０．２μｌ、０．３μｌ、０．４μｌ、０．５μｌ、０．６μｌ、０．７μｌ、０．８μｌ、０．９μｌ、１μｌ、またはそれ以上の最大光学涙体などの、最大光学涙体を有するように構成することができる。動的コンタクトレンズは、多くとも約１μｌ、０．９μｌ、０．８μｌ、０．７μｌ、０．６μｌ、０．５μｌ、０．４μｌ、０．３μｌ、０．２μｌ、０．１μｌ、０．０９μｌ、０．０８μｌ、０．０７μｌ、０．０６μｌ、０．０５μｌ、０．０４μｌ、０．０３μｌ、０．０２μｌ、０．０１μｌ、０．００９μｌ、０．００８μｌ、０．００７μｌ、０．００５μｌ、０．００４μｌ、０．００３μｌ、０．００２μｌ、０．００１μｌ、またはそれ以下の最大光学涙体を有するように構成することができる。動的コンタクトレンズは、例えば０．０１μＬ〜１μＬ、０．０５μＬ〜０．８μＬ、０．１μＬ〜０．７μＬ、０．２μＬ〜０．６μＬなど、先述の値のいずれか２つにより規定される範囲内にある最大光学涙体を有するように構成することができる。涙液は、表面涙膜、上下のメニスカス、および嚢嚢（眼瞼の下）などの様々な区画において眼表面上で不均一に分布する。
【０１７２】
コンタクトレンズの下の涙膜内の涙液は非常に浅く（最大０．１５μＬ）、動的コンタクトレンズ内で光学後面と角膜との間に涙液を満たす能力を有しておらず、上下の涙液メニスカスは涙液を約１．５μＬ〜約３μＬまで十分に有しており、涙体に涙液をもたらす。
【０１７３】
動的コンタクトレンズは、例えば、０．０５μＬ〜０．８μＬ、０．１μＬ〜０．７μＬ、０．２μＬ〜０．６μＬなど、０．０１μＬ〜１μＬの最大光学涙体を有するように構成することができる。
【０１７４】
本発明の開示により提供される動的コンタクトレンズは、２つ以上の準安定構成間の移行を容易にするために、かつ２つ以上の準安定構成を維持するための１つ以上の機構を備えることができる。この機構は、コンタクトレンズの光学部分と角膜との間の光学涙体の中と外への涙液の流れを容易にし、かつ制御するように構成される。この涙体は光学涙体と呼ばれ、涙液貯蔵部などの他の涙体とは異なる。これら移行機構は、独立して、または動的コンタクトレンズに組み込まれる任意の機械機構と協働して動作することができる。
【０１７５】
光学部分の２つの準安定構成において、光学涙体は異なっている。２つの準安定構成間の移行中、涙液は、光学涙体の外または中に運ばれる必要がある。したがって、涙液が光学涙体から排出されると、涙液が流れるための場所が必要となる。涙液は、コンタクトレンズの後面と角膜との間の界面に沿って、レンズの周囲に向かって涙膜に流入することができる。また、涙液が光学部分からコンタクトレンズの前面まで、および／またはコンタクトレンズの周辺部分の後面および／または前面に組み込まれる溝部または空洞内まで流れる能力を容易にするための特徴を、コンタクトレンズに組み込むことができる。反対に、光学部分がある準安定構成から別の構成に移行するときに涙液が光学涙体に流入すると、涙液を引き出す涙液源が必要となる。涙液源は、コンタクトレンズの後面と角膜との間の涙膜であってもよい。涙液源は、コンタクトレンズの前面、または、涙液で満たされる周辺部分の後面および／あるいは前面に組み込まれる溝部あるいは空洞などの特徴であってもよい。涙液源はさらに涙液メニスカスに存在する涙液であってもよい。ゆえに、涙液の流れを容易にし、かつ調節するよう構成された機構はさらに、準安定構成間の移行中に光学涙体において涙液と交換され得る涙液源としても機能することができる。レンズ孔と溝部との組み合わせといった他の特徴や機構は、眼の周囲にある涙液メニスカスを光学涙体に流体結合するよう機能することができる。
【０１７６】
光学涙体の中と外への涙液の流れを容易にして調節するための機構の例として、後面溝部、レンズ孔、涙液貯蔵部、空洞、くぼみ部、突出部、前面溝部、バルブ、およびそれらのいずれかの組み合わせが挙げられる。
【０１７７】
機構は、動的コンタクトレンズの前面および／または後面に配置される１つ以上の溝を備えることができる。
【０１７８】
溝部は、涙液を光学涙体の中と外に運ぶように構成することができる。
【０１７９】
溝部は、コンタクトレンズの周囲から光学涙体へと、および光学涙体からコンタクトレンズの周囲へと涙液を運ぶように構成することができる。
【０１８０】
溝部は、涙液を涙液貯蔵部の中と外に運ぶように構成することができる。
【０１８１】
溝部は、コンタクトレンズの周囲から涙液貯蔵部へと、および涙液貯蔵部からコンタクトレンズの周囲へと涙液を運ぶように構成することができる。
【０１８２】
溝部は、涙液を涙液貯蔵部から、光学涙体の中と外へと運ぶように構成することができる。
【０１８３】
溝部は、涙液貯蔵部間で流体を運ぶように構成することができる。
【０１８４】
溝部は、涙液を運び、かつ涙液貯蔵部として機能するように構成することができる。
【０１８５】
溝部は、眼瞼によりかけられる力により圧縮不能、圧縮可能、または部分的に圧縮可能な場合がある。
【０１８６】
溝部は、光学涙体に流体結合し、涙液メニスカスに流体結合し、涙液貯蔵部に流体結合し、またはそれらの任意の組み合わせの場合がある。
【０１８７】
溝部は、光学涙体に結合しない、涙液メニスカスに流体結合しない、涙液貯蔵部に流体結合しない、またはそれらの任意の組み合わせの場合がある。
【０１８８】
溝部は、先の欠けた円形、楕円形、正方形、長方形、または三角形などの任意の適切な断面形状を有してもよい。
【０１８９】
溝部の断面形状と寸法は、溝部の長さのほぼ全体に及ぶものでもよい。断面形状および／または寸法は、溝部の長さ全体にわたり変動してもよい。例えば、溝部の幅および／または溝部の深さは、溝部の長さ全体にわたって、または溝部の長さに沿って異なる部分において変動する場合がある。
【０１９０】
溝部の幅は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上であってもよい。溝部の幅は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下であってもよい。溝部の幅は、前述の値のいずれか２つにより規定される範囲内にあってもよい。溝部の幅は、例えば３０μｍ〜１，０００μｍ、３０μｍ〜８００μｍ、３０μｍ〜６００μｍ、２００μｍ〜６００μｍ、または４００μｍ〜６００μｍの場合がある。
【０１９１】
溝部の高さは、少なくとも約１０μｍ、２０μｍ、３０μｍ、４０μｍ、５０μｍ、６０μｍ、７０μｍ、８０μｍ、９０μｍ、１００μｍ、１５０μｍ、２００μｍ、２５０μｍ、またはそれ以上であってもよい。溝部の高さは、多くとも約２５０μｍ、２００μｍ、１５０μｍ、１００μｍ、９０μｍ、８０μｍ、７０μｍ、６０μｍ、５０μｍ、４０μｍ、３０μｍ、２０μｍ、１０μｍ、またはそれ以下であってもよい。溝部の高さまたは深さは、例えば２０μｍ〜２００μｍ、２０μｍ〜１５０μｍ、または１００μｍ〜２００μｍであってもよい。
【０１９２】
溝部は、少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、２ｍｍ、３ｍｍ、４ｍｍ、５ｍｍ、６ｍｍ、７ｍｍ、８ｍｍ、９ｍｍ、１０ｍｍ、またはそれ以上の長さを有してもよい。溝部は、多くとも約１０ｍｍ、９ｍｍ、８ｍｍ、７ｍｍ、６ｍｍ、５ｍｍ、４ｍｍ、３ｍｍ、２ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下の長さを有してもよい。溝部は、前述の値のいずれか２つにより規定される範囲内にある長さを有してもよい。溝部は、例えば０．５ｍｍ〜７ｍｍ、１ｍｍ〜６ｍｍ、１ｍｍ〜５ｍｍ、１ｍｍ〜４ｍｍ、または１ｍｍ〜３ｍｍの長さを有する場合がある。
【０１９３】
溝部の断面形状と寸法は、溝部の長さに沿って様々な場所において異なる場合がある。例えば溝部は、光学涙体、コンタクトレンズの周囲、または涙液体との界面において大きな寸法を有する場合がある。
【０１９４】
溝部の表面は、溝部内の涙液の流れを調節するための特徴および／または表面処理を含む場合がある。この特徴は、溝部内の涙液の流れ方向を調節できる。適切な特徴の例として、表面の粗さ、疎水性被膜、親水性被膜が挙げられる。
【０１９５】
溝部は、１つ以上のレンズ孔に流体結合することができる。レンズ孔は、任意の適切な位置にて溝部の長さに沿って溝部と交差することができる。レンズ孔は、涙液を溝部に、そして溝部からコンタクトレンズの前面に運ぶように構成することができる。
【０１９６】
動的コンタクトレンズは複数の溝部を備えることができ、光学部分の周囲に対称的または非対称的に配置可能である。動的コンタクトレンズは、少なくとも約１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、またはそれ以上の溝部を備えていてもよい。動的コンタクトレンズは、多くとも約５０、４９、４８、４７、４６、４５、４４、４３、４２、４１、４０、３９、３８、３７、３６、３５、３４、３３、３２、３１、３０、２９、２８、２７、２６、２５、２４、２３、２２、２１、２０、１９、１８、１７、１６、１５、１４、１３、１２、１１、１０、９、８、７、６、５、４、３、２、または１つの溝部を備えていてもよい。動的コンタクトレンズは、先述の値のいずれか２つにより規定される範囲内にある多数の溝部を備えていてもよい。例えば動的コンタクトレンズは、例えば１〜４０、１〜３０、１〜２０、２〜１５、３〜１０、４〜８、または４〜６の溝部を備えることができる。
【０１９７】
溝部は、溝部の一端が光学部分と交差し、他端が周辺部分において中心軸から半径方向距離にて終端となるように、光学涙体に流体結合することができる。この末端溝部は、レンズ中心から任意の適切な距離を空けて位置付けることができ、動的コンタクトレンズの周囲にまで延在することができる。複数の溝部の各々は独立して、レンズ中心から同じまたは異なる距離にて終端となる場合がある。
【０１９８】
溝部は、動的コンタクトレンズの光学部分と中心軸に対して任意の適切な配向をとることができる。溝部は、複数の溝部がレンズ中心から放射状に延びて光学部分と直交的に交差するように、レンズ中心に向けることができる。例えば溝部はスポーク／ハブ構成で配向することができ、この構成では、ハブが実質的にコンタクトレンズの光学部分である。複数の溝部は、レンズ中心に向けられていなくてもよく、光学部分と非直交的に交差していてもよい。
【０１９９】
溝部は圧迫可能であるように構成することができる。圧迫可能な溝は、眼瞼との相互作用または眼瞼の動きにより圧迫することができる。溝部は、溝部を覆うコンタクトレンズの一部が薄く、眼瞼によりかけられる力によって変形可能となるような深さまたは高さを有する場合がある。変形能力は、眼瞼がコンタクトレンズと相互作用できるのを容易にする溝に近接する周辺部分の前面上にある突出部などの、１つ以上の追加の機構により容易にすることができる。例えば、眼瞼または眼の動作との相互作用は、下向きの圧力をかけることができ、近位突出部により増幅される。
【０２００】
溝部は、動的コンタクトレンズを眼の光軸に対して一定の角度位置へと回転させて、光学涙体と該光学涙体の外部にある涙液との間での涙液交換を容易にするように構成される、受動的または能動的な機構につなげることができる。例えば動的コンタクトレンズは、溝部と涙液メニスカスとを流体結合するか、またはこれらの流体結合を向上させるように動的コンタクトレンズが回転できるのを容易にする、１つ以上の機構を備えることができる。
【０２０１】
動的コンタクトレンズの周辺部分の前面に１つ以上の溝部を配置することができる。前面溝部は、涙液メニスカス、レンズ孔、流体貯蔵部、後面溝部、またはそれらのいずれかの組み合わせに流体結合することができる。前面溝部は涙液貯蔵部として機能することができる。前面溝部は１つ以上の他の前面溝部に接続することができる。
【０２０２】
１つ以上の前面溝部および／または後面溝部は、１つのレンズ孔および／または１つの溝部に接続することができ、または、複数のレンズ孔および／または複数の溝部に接続することができる。
【０２０３】
２つ以上の後面溝部および／または前面溝部を流体結合することができる。流体結合された後面溝部および／または前面溝部は、流体の流れを容易にする、および／または涙液を取り除くように構成することができる。結合は、一定距離にわたって２つ以上の溝部が重なるように行うことができる。前面溝部と後面溝部とを重ね合わせることにより、図１８Ａ〜１８Ｃに示すように前面溝部と後面溝部はレンズ孔なしで流体結合することができる。
【０２０４】
後面溝部および／または前面溝部は、涙液を保持し、涙液貯蔵部として機能することができる幅広い部分を含む場合がある。
【０２０５】
溝部の縁部は、涙液の流れを改善するために、および／または患者の快適性を高めるために面取りすることができる。面取りされた縁部は、眼瞼、結膜、および／または角膜と溝との相互作用により引き起こされる刺激を軽減することができる。
【０２０６】
後面溝部および／または前面溝部は、溝部が眼に対して所望の位置に配向されるように配置することができる。例えば溝部は、下部涙液メニスカスに向かって、上部涙液メニスカスに向かって、またはいずれかの涙液メニスカスから離れて配向することができる。眼に対する溝部の配向を容易にするために、動的コンタクトレンズは、１つ以上の肥厚領域またはバラスト領域を備えることができる。
【０２０７】
レンズの前面側の空洞はさらに、レンズの後面側に凹部があることで生じ、眼の上にある間に凹部が虚脱する。
【０２０８】
動的コンタクトレンズは、１つ以上のレンズ孔を備えることができる。レンズ孔は、動的コンタクトレンズの前面への、ならびに動的コンタクトレンズから涙膜および／または溝部、空洞、あるいは涙液貯蔵部などの移行調節機構への涙液の輸送を容易にするように構成することができる。
【０２０９】
レンズ孔は、レンズ孔が視力に干渉しないようにレンズの周辺部分に配置することができる。
【０２１０】
レンズ孔は、周辺部分の厚み全体にわたり延在し、それにより周辺前面の涙液を周辺後面の涙液と流体結合することができる。
【０２１１】
レンズ孔は、周辺部分の前面と後面に対してほぼ直交するように配向させることができる。レンズ孔は、周辺部分の前面と後面に対して一定の角度で配向させることができる。配向に角度をつけることで涙液の流れ方向の調節を容易にすることができる。
【０２１２】
レンズ孔は、溝部の末端、または溝部の長さに沿った任意の場所などの溝部に流体結合することができる。
【０２１３】
レンズ孔は、任意の適切な断面形状を呈することができる。例えばレンズ孔の断面形状は、円形、楕円形、長円形（ｏｂｌｏｎｇ）、正方形、長方形、または三角形の場合がある。
【０２１４】
レンズ孔は、任意の適切な断面寸法を呈することができる。例えばレンズ孔の断面寸法は、２０μｍ〜６００μｍ、５０μｍ〜４００μｍ、または１００μｍ〜３００μｍの場合がある。
【０２１５】
レンズ孔は、その長さの全体にわたって一定の断面形状と寸法を有する場合があり、または、その長さに沿った異なる部分において異なる断面形状を呈する場合がある。例えばレンズ孔は、レンズ孔が周辺部分の前面および／または後面と交差する端部において寸法が大きくなる場合がある。
【０２１６】
レンズ孔は、動的コンタクトレンズの周辺部分の厚み全体にわたって延在する切り込みなどのスリットを備えることができる。スリットは、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、１，５００μｍ、２，０００μｍ、２，５００μｍ、３，０００μｍ、３，５００μｍ、４，０００μｍ、４，５００μｍ、５，０００μｍ、またはそれ以上の長さであってもよい。スリットは、多くとも約５，０００μｍ、４，５００μｍ、４，０００μｍ、３，５００μｍ、３，０００μｍ、２，５００μｍ、２，０００μｍ、１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の長さであってもよい。スリットは、前述の値のいずれか２つにより規定される範囲内にある長さであってもよい。スリットは、例えば２５μｍ〜２，０００μｍ、５０μｍ〜１，５００μｍ、１００μｍ〜１，０００μｍ、または２００μｍ〜６００μｍの長さであってもよい。スリットの形態におけるレンズ孔は、レンズの中心軸から、または光学部分の中心軸から半径方向距離にある円弧であってもよい。スリットは、レンズの中心軸に向かって、あるいは光学部の中心軸から、またはレンズの中心軸に対する角度で、または光学部の中心軸から配向することができる。スリットは、溝部および／または涙液貯蔵部に、または直接涙液メニスカスに結合することができる。
【０２１７】
レンズ孔の末端部分は、レンズ孔が眼瞼によりかけられる圧力と相互作用できるのを容易にする特徴を備えることができる。このような特徴の例として、レンズ孔に近接する突出部が挙げられる。例えば前記突出部は、環状であり、コンタクトレンズの周囲に向かって配置され、または光学部分に向かって配置される場合がある。
【０２１８】
レンズ孔の末端部分は、レンズ孔が涙液を運ぶことができるのを容易にする特徴を備えることができる。例えば、レンズの前面上にある１つ以上の空洞は、涙液を集めて保持するように構成されるレンズ孔の付近に位置付けることができる。例えばレンズ孔は、涙液で満たすことができる空洞またはへこみ部において、周辺部分の前面と交差することができる。空洞は、レンズ孔を取り巻く環状のへこみ部の場合がある。
【０２１９】
レンズ孔は、周辺前面から、光学部分と周辺部分との間の界面にある後面まで、または光学部分の後面まで延在することができる。この構成を伴うレンズ孔は、光学涙体とコンタクトレンズの前面との間の直接の涙液輸送をもたらすことができる。
【０２２０】
レンズ孔は光学部分に配置することができる。光学部分に配置されるレンズ孔は、光学涙体と動的コンタクトレンズの前面との間の直接の涙液輸送をもたらすことができる。
【０２２１】
レンズ孔は、バルブとして機能するように構成することができる。
【０２２２】
レンズ孔は、キャピラリーバルブとして機能するように構成することができる。
【０２２３】
レンズ孔は、レンズ孔の前面開口部に近接する高度の領域を有する場合がある。前面開口部を取り囲む高い環状リングなどの高度領域は、涙液の体積が一定量未満であるときに涙液の流れを制限するように機能することができる。この領域は、動的コンタクトレンズの前面から少なくとも約１μｍ、２μｍ、３μｍ、４μｍ、５μｍ、６μｍ、７μｍ、８μｍ、９μｍ、１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上、上昇される場合がある。この領域は、動的コンタクトレンズの前面から、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、９μｍ、８μｍ、７μｍ、６μｍ、５μｍ、４μｍ、３μｍ、２μｍ、１μｍ、またはそれ以下、上昇される場合がある。この領域は、動的コンタクトレンズの前面から、先述の値のいずれか２つにより規定される範囲内にある距離、上昇される場合がある。この領域は、動的コンタクトレンズの前面から、例えば１μｍ〜４００μｍ、５μｍ〜３００μｍ、１０μｍ〜２００μｍ、または２０μｍ〜１００μｍ、上昇される場合がある。上昇した領域は、レンズ孔の前面開口部の円周方向、または部分的に円周方向にあってもよい。上昇した領域は、上昇した領域の異なる部分において、異なる高度または高度勾配を有する場合がある。上昇した領域は、眼瞼との相互作用を最小化するために滑らかにされてもよい。
【０２２４】
涙液の流れを容易にして調節するための機構は、１つ以上の涙液貯蔵部を備えることができる。涙液貯蔵部は、涙液を中に流すための涙液源および／または体積を設けるように構成される、コンタクトレンズの前面に配置される空洞と称される。涙液貯蔵部は空洞と区別されており、空洞は動的コンタクトレンズの前面に配置可能である。
【０２２５】
この貯蔵部は、動的コンタクトレンズの周辺後面に配置することができる。患者の目に装着したとき、貯蔵部を涙液で満たすことができる。光学涙体に流体結合されると、貯蔵部は涙液源として機能することができる。涙液貯蔵部は、光学部分が第１の準安定光学構成を呈するときに光学涙体を満たすための涙液源として機能し、かつ、光学部分が第２の準安定構成を呈するときに涙液を受けて保持するためのレセプタクルとして機能することができる。
【０２２６】
貯蔵部は、光学部分と相互に動作することで、涙液が光学涙体と涙液貯蔵部との間で交互に交換されるポンピング動作と引っ張り動作をもたらすように、構成することができる。
【０２２７】
貯蔵部は、圧迫可能な涙液貯蔵部を設けるように構成することができる。例えば動的コンタクトレンズと眼瞼との相互作用は、貯蔵部に構成を変化させる場合がある。構成が変化する間、貯蔵部は、涙液を排出するか、または貯蔵部に涙液を引き込むことができる。例えば涙液貯蔵部は、光学涙体に流動的に結合し、ポンピング動作と引っ張り動作により涙液を光学涙体と交換することができる。
【０２２８】
圧迫可能な貯蔵部は、貯蔵部を覆う周辺部分を可撓性にする、幅や高さなどの寸法を有する場合がある。
【０２２９】
貯蔵部は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１ｍｍ、２ｍｍ、３ｍｍ、４ｍｍ、５ｍｍ、６ｍｍ、７ｍｍ、８ｍｍ、９ｍｍ、１０ｍｍ、またはそれ以上の高さ／深さの場合がある。貯蔵部は、多くとも約１０ｍｍ、９ｍｍ、８ｍｍ、７ｍｍ、６ｍｍ、５ｍｍ、４ｍｍ、３ｍｍ、２ｍｍ、１ｍｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の高さ／深さの場合がある。貯蔵部は、先述の値のいずれか２つにより規定される範囲内にある高さ／深さの場合がある。貯蔵部は、例えば１０μｍ〜８００μｍ、２０μｍ〜６００μｍ、５０μｍ〜５００μｍ、または１００μｍ〜４００μｍの高さ／深さの場合がある。貯蔵部は、例えば５０μｍ〜５ｍｍ、１００μｍ〜４ｍｍ、２００μｍ〜３ｍｍ、または５００μｍ〜２ｍｍの幅／長さの場合がある。
【０２３０】
貯蔵部は、動的コンタクトレンズの中心軸から、または光学部分の中心軸から半径方向距離に配置することができ、かつ、円弧形状にあるか、あるいは軸から半径方向距離において動的コンタクトレンズまわりに円周方向に延在することができる。
【０２３１】
貯蔵部を覆う周辺部分の厚みは変形するように構成することができる。貯蔵部を覆う周辺部分の厚みは、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上であってもよい。貯蔵部を覆う周辺部分の厚みは、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下であってもよい。貯蔵部を覆う周辺部分の厚みは、先述の値のいずれか２つにより規定される範囲内にあってもよい。例えば、貯蔵部を覆う周辺部分の厚みは、１０μｍ〜５００μｍ、１０μｍ〜４００μｍ、５０μｍ〜３００μｍ、または１００μｍ〜２５０μｍの場合がある。
【０２３２】
貯蔵部は任意の適切な形状を呈することができる。この形状は対称的でも非対称的でもよい。この形状は光学部分に対して配向させることができる。配向とは、貯蔵部が光学部分と関連付けられる形状を呈することができることを意味する。例えば貯蔵部は、光学部分に向かうにつれて狭くなるか広くなる場合があり、または、光学部分に対して半径方向に対称的な場合がある。例えば貯蔵部は、円形、楕円形、長円形、レンズの中心軸に対して半径方向寸法において長方形、または中心対称寸法において長方形の場合がある。
【０２３３】
貯蔵部、およびそれを設けることで得られる涙液貯蔵部は、溝部、光学涙体、別の貯蔵部、涙液メニスカス、レンズ孔、またはそれらのいずれかの組み合わせに流体結合することができる。
【０２３４】
動的コンタクトレンズは、１つ以上の貯蔵部を備えることができる。１つ以上の貯蔵部は、周辺部分の後面に位置づけることができる。１つ以上の空洞は、光学部分まわりに対称的または非対称的に配置することができる。１つ以上の貯蔵部は、レンズの中心軸から半径方向距離に配置することができる。１つ以上の貯蔵部は、少なくとも約１ｍｍ、２ｍｍ、３ｍｍ、４ｍｍ、５ｍｍ、６ｍｍ、７ｍｍ、８ｍｍ、９ｍｍ、１０ｍｍ、またはそれ以上の半径方向距離に配置してもよい。１つ以上の貯蔵部は、多くとも約１０ｍｍ、９ｍｍ、８ｍｍ、７ｍｍ、６ｍｍ、５ｍｍ、４ｍｍ、３ｍｍ、２ｍｍ、１ｍｍ、またはそれ以下の半径方向距離に配置してもよい。１つ以上の貯蔵部は、先述の値のいずれか２つにより規定される範囲内にある半径方向距離に配置されてもよい。例えば貯蔵部は、レンズ中心から、または光学部分の中心から、２ｍｍ〜７ｍｍ、３ｍｍ〜６ｍｍ、または３ｍｍ〜５ｍｍの半径方向距離に配置することができる。
【０２３５】
貯蔵部は、少なくとも約０．０１μｌ、０．０２μｌ、０．０３μｌ、０．０４μｌ、０．０５μｌ、０．０６μｌ、０．０７μｌ、０．０８μｌ、０．０９μｌ、０．１μｌ、０．２μｌ、０．３μｌ、０．４μｌ、０．５μｌ、０．６μｌ、０．７μｌ、０．８μｌ、０．９μｌ、１μｌ、１．２５μｌ、１．５μｌ、１．７５μｌ、２μｌ、２．５μｌ、３μｌ、４μｌ、５μｌ、またはそれ以上の体積を設けてもよい。貯蔵部は、多くとも約５μｌ、４μｌ、３μｌ、２．５μｌ、２μｌ、１．７５μｌ、１．５μｌ、１．２５μｌ、１μｌ、０．９μｌ、０．８μｌ、０．７μｌ、０．６μｌ、０．５μｌ、０．４μｌ、０．３μｌ、０．２μｌ、０．１μｌ、０．０９μｌ、０．０８μｌ、０．０７μｌ、０．０６μｌ、０．０５μｌ、０．０４μｌ、０．０３μｌ、０．０２μｌ、０．０１μｌ、またはそれ以下の体積を設けてもよい。貯蔵部は、先述の値のいずれか２つにより規定される範囲内にある体積を設けてもよい。貯蔵部は、周辺部分の後面と角膜との間に０．０５μｌ〜２μｌ、０．１μｌ〜１．５μｌ、０．２〜１．２５μｌ、または０．５μｌ〜１μｌの体積を設ける場合がある。
【０２３６】
貯蔵部は、涙液貯蔵部と、眼瞼および／または眼の動きによりかけられる圧力との相互作用を容易にするように構成される、１つ以上の機構と関連づけることができる。例えば１つ以上の突出部は、貯蔵部付近の周辺部分の前面に配置することができ、そうすることで、１つ以上の突出部は、眼瞼によりかけられる下向きの力を増幅および／または配向するように機能する。貯蔵部に対する下向きの力は、涙液を貯蔵部から排出して光学涙体に向かわせるように機能することができる。
【０２３７】
涙液の流れを容易にして調節するための機構は、１つ以上の涙液へこみ部を備えることができる。涙液へこみ部は、涙液を中に流すための涙液源および／または体積を設けるように構成される、コンタクトレンズの前面に配置することができる。涙液へこみ部は空洞と区別されており、空洞は動的コンタクトレンズの後面に配置可能である。
【０２３８】
へこみ部は、動的コンタクトレンズの周辺前面に配置することができる。患者の目に装着したとき、空洞を涙液で満たすことができる。光学涙体に流体結合されると、へこみ部は涙液源として機能することができる。涙液へこみ部は、光学部分が第１の準安定光学構成を呈するときに光学涙体を満たすための涙液源として機能し、かつ、光学部分が第２の準安定構成を呈するときに涙液を受けて保持するためのレセプタクルとして機能することができる。
【０２３９】
へこみ部は、光学部分と相互に動作することで、涙液が光学涙体と空洞との間で交互に交換されるポンピング動作と引っ張り動作をもたらすように、構成することができる。
【０２４０】
へこみ部は、動的コンタクトレンズの中心軸から、または光学部分の中心軸から半径方向距離に配置することができ、かつ、円弧形状にあるか、あるいは軸から半径方向距離において動的コンタクトレンズまわりに円周方向に延在することができる。
【０２４１】
へこみ部は、溝部、光学涙体、別の空洞、涙液メニスカス、レンズ孔、またはそれらのいずれかの組み合わせに流体結合することができる。
【０２４２】
動的コンタクトレンズは、１つ以上のへこみ部を備えることができる。１つ以上のへこみ部は、周辺部分の前面に位置づけることができる。１つ以上のへこみ部は、光学部分まわりに対称的または非対称的に配置することができる。１つ以上のへこみ部は、レンズの中心軸から半径方向距離に配置することができる。空洞は、光学部分の中心から少なくとも約１ｍｍ、２ｍｍ、３ｍｍ、４ｍｍ、５ｍｍ、６ｍｍ、７ｍｍ、８ｍｍ、９ｍｍ、１０ｍｍ、またはそれ以上の半径方向距離に配置してもよい。空洞は、光学部分の中心から多くとも約１０ｍｍ、９ｍｍ、８ｍｍ、７ｍｍ、６ｍｍ、５ｍｍ、４ｍｍ、３ｍｍ、２ｍｍ、１ｍｍ、またはそれ以下の半径方向距離に配置されてもよい。空洞は、前述の値のいずれか２つにより規定される範囲内にある、光学部分の中心からの距離に位置してもよい。例えば空洞は、レンズ中心から、または光学部分の中心から、２ｍｍ〜７ｍｍ、３ｍｍ〜６ｍｍ、または３ｍｍ〜５ｍｍの半径方向距離に配置することができる。
【０２４３】
へこみ部は、涙液メニスカスに流体結合するように構成することができる。涙液メニスカスは、上記の眼瞼縁において約２００μｍ〜３００μｍの高さである。直径２５μｍ〜５００μｍのレンズ孔は比較的小さく、浅い涙液メニスカスに結合することが困難な場合がある。レンズ孔が涙液メニスカスと流体結合できるのを容易にするために、レンズ孔の前面開口部は、動的コンタクトレンズの前面のへこみ部または空洞内に配置することができる。へこみ部はレンズ孔開窓の直径よりも大きく、このへこみ部により、レンズ孔の前面開口部が涙液メニスカスに流体結合できるのを容易にすることができる。へこみ部は、少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、２ｍｍ、３ｍｍ、４ｍｍ、５ｍｍ、またはそれ以上の直径であってもよい。へこみ部は、多くとも約５ｍｍ、４ｍｍ、３ｍｍ、２ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下の直径であってもよい。光学部分は、先述の値のいずれか２つにより規定される範囲内にある直径であってもよい。へこみ部は、例えば１ｍｍ〜３ｍｍなどの０．５ｍｍ〜４ｍｍの直径の場合がある。へこみ部は、少なくとも約１μｍ、２μｍ、３μｍ、４μｍ、５μｍ、６μｍ、７μｍ、８μｍ、９μｍ、１０μｍ、２０μｍ、３０μｍ、４０μｍ、５０μｍ、６０μｍ、７０μｍ、８０μｍ、９０μｍ、１００μｍ、１５０μｍ、２００μｍ、２５０μｍ、またはそれ以上の深さであってもよい。へこみ部は、多くとも約２５０μｍ、２００μｍ、１５０μｍ、１００μｍ、９０μｍ、８０μｍ、７０μｍ、６０μｍ、５０μｍ、４０μｍ、３０μｍ、２０μｍ、１０μｍ、９μｍ、８μｍ、７μｍ、６μｍ、５μｍ、４μｍ、３μｍ、２μｍ、１μｍ、またはそれ以下の深さであってもよい。へこみ部は、先述の値のいずれか２つにより規定される範囲内にある深さであってもよい。へこみ部は、例えば３μｍ〜１５０μｍの深さの場合がある。へこみ部は、例えば円形、楕円形、スリット、長円形などの任意の適切な断面形状を呈することができ、または不規則な輪郭を呈することができる。へこみ部の縁部は、レンズ孔への流体結合を容易にするため、および／あるいは快適性を向上させるために、滑らかにするか、または面取りすることができる。
【０２４４】
例えば図１５Ａ〜１５Ｈは、移行部近傍の第２の周辺部分に配置されるへこみ部と、該へこみ部内のレンズ孔とを有する動的コンタクトレンズの図を示す。図１５Ａと１５Ｂは、それぞれ動的コンタクトレンズの前面図と断面図を示す。図１５Ａと１５Ｂに示す動的コンタクトレンズは、第１の周辺部分（１５０１）と、第２の周辺部分（１５０２）と、光学部分（１５０３）と、移行部（１５０６）と、へこみ部（１５０７）内のレンズ孔（１５０４）と、後面溝部（１５０５）とを備えている。図１５Ｃは、へこみ部（１５０７）とレンズ孔（１５０４）を示す拡大断面図であり、これらはコンタクトレンズの後面において溝部（１５０５）につなげられている。図１５Ｃは、後面溝部（１５０５）につなげた、周辺部分（１５０２）におけるへこみ部（１５０７）とレンズ孔（１５０４）を示す。
【０２４５】
図１５Ｅは、第１の周辺部分（１５０１）と、第２の周辺部分（１５０２）と、光学部分（１５０３）と、レンズ孔（１５０４）を伴うへこみ部（１５０７）とを備えた、ダイナミックコンタクトレンズの後面図を示す。図１５Ｆは、図１５Ｅに示す動的コンタクトレンズの前面を示しており、第１の周辺部分（１５０１）と、第２の周辺部分（１５０２）と、光学部分（１５０３）と、レンズ孔（１５０４）を伴うへこみ部（１５０７）とを備えている。図１５Ｇは、第１の周辺部分（１５０１）と、第２の周辺部分（１５０２）と、光学部分（１５０３）と、レンズ孔（１５０４）を伴う溝部（１５０５）とを備えた、ダイナミックコンタクトレンズの後面図を示す。図１５Ｈは、図１５Ｇに示す動的コンタクトレンズの前面を示しており、第１の周辺部分（１５０１）と、第２の周辺部分（１５０２）と、光学部分（１５０３）と、レンズ孔（１５０４）を伴うへこみ部（１５０７）とを備えている。
【０２４６】
代替的に、またはへこみ部に加えて、レンズ孔は、毛管力により涙液メニスカスからレンズ孔に向かいその中へと流体を引き込むように構成された周辺部分の前面にある溝部に流体結合することができる。これらの構造の例を図１６Ａ〜１６Ｃに示す。図１６Ａ〜１６Ｃは、それぞれ動的コンタクトレンズの側面図、斜視図、断面図を示しており、この動的コンタクトレンズは、第１の周辺部分（１６０１）と、第２の周辺部分（１６０２）と、光学部分（１６０３）と、第２の周辺部分（１６０２）の前面における空洞（１６０４）とを備えており、レンズ（１６０５）は空洞（１６０４）の下部にある。図１６Ｂに示すように、後面上では、溝部（１６０６）がレンズ孔（１６０５）につなげられ、第２の周辺部分（１６０２）から光学部分（１６０３）まで延在している。動的コンタクトレンズの断面図を図１６Ｃに示す。図１６Ａ〜１６Ｂに示す要素に加えて、後面溝部（１６０６）が光学部分（１６０３）に向かうにつれて狭くなり、光学涙体（１６０７）に流体結合されていることが認められる。
【０２４７】
涙液輸送を容易にして調節するための機構は、１つ以上の突出部を備えることができる。動的コンタクトレンズの周辺部分の前面に１つ以上の突出部を配置することができる。１つ以上の突出部は、眼瞼と動的コンタクトレンズとの相互作用を容易にするように構成することができ、眼瞼により動的コンタクトレンズにかけられる力を増幅するように機能することができる。
【０２４８】
突出部は、光学部分の方へと押す力など、眼瞼によりかけられる機械力を増幅するように構成することができる。押す力は、光学部分の準安定構成を不安定化または安定化させるように機能することができる。
【０２４９】
突出部は、涙液の輸送を容易にして調節するための別の機構と関連付けることができる。例えば突出部は、溝部、レンズ孔、および／または涙液貯蔵部の付近に位置付け、それらに機械結合することができ、そうなることで、眼瞼により突出部にかけられる力は、前面溝部、後面溝部、レンズ孔、空洞、および／または涙液貯蔵部に伝えられる。例えば突出部は、涙液貯蔵部などの機構の周辺縁部に位置付けることができ、そうなることで、突出部に対する眼瞼動作により、涙液は光学涙体に向かって押し込まれる。
【０２５０】
突出部の位置と寸法は、患者の不快感を最小限に抑えるかまたは回避しつつ、涙液の流れを調節する意図した機能を果たすように選択することができる。
【０２５１】
突出部は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の高さであってもよい。突出部は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の高さであってもよい。突出部は、先述の値のいずれか２つにより規定される範囲内にある高さであってもよい。突出部は、例えば１０μｍ〜６００μｍ、２０μｍ〜５００μｍ、５０μｍ〜４００μｍ、または１００μｍ〜３００μｍの高さの場合がある。
【０２５２】
突出部は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、２，０００μｍ、３，０００μｍ、４，０００μｍ、５，０００μｍ、またはそれ以上の幅であってもよい。突出部は、多くとも約５，０００μｍ、４，０００μｍ、３，０００μｍ、２，０００μｍ、１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の幅であってもよい。突出部は、先述の値のいずれか２つにより規定される範囲内にある幅であってもよい。突出部は、例えば２０μｍ〜３，０００μｍ、５０μｍ〜２，５００μｍ、１００μｍ〜２，０００μｍ、２００μｍ〜１，５００μｍ、４００μｍ〜１，０００μｍ、またはそれ以上の幅を有し、レンズの大部分を占める場合がある。
【０２５３】
突出部は任意の適切な形状を呈することができる。例えば突出部は、円形、楕円形、長円形、長方形、または環状の場合がある。
【０２５４】
突出部は複数の突出部を備えることができる。複数の突出部は、レンズの光学部分のまわりに対称的または非対称的に配置することができる。複数の突出部は、レンズの中心軸から１つの半径方向距離に位置することができ、または、レンズの中心軸から異なる半径方向距離に位置することができる。
【０２５５】
涙液輸送を容易にして調節するための機構は、１つ以上のバルブを備えることができる。バルブは、溝部、レンズ孔、および／または涙液貯蔵部などの別の涙液調節機構と関連付けることができる。
【０２５６】
バルブは、涙液の流れ方向を調節するように構成することができる。例えばバルブは、流体が涙液貯蔵部から光学涙体に流れることを可能にし、光学涙体から涙液貯蔵部への涙液の流れに抵抗するか、またはそれを妨げることができる。
【０２５７】
バルブは、涙液の流れに対する可変抵抗をもたらすように構成することができる。例えばバルブは、第１の涙液圧で涙液輸送に抵抗し、第２の圧力での涙液輸送を可能にすることができる。
【０２５８】
バルブは、眼瞼によりかけられる機械力によって弁が開閉可能となるように、機械力に敏感となる場合がある。この機械力は、１つ以上の突出部により増幅することができる。
【０２５９】
バルブは二方向でも単方向でもよい。
【０２６０】
バルブは、光学涙体内の涙液と涙液貯蔵部内の涙液圧との圧力差、レンズ孔近傍の涙液圧、ならびに／または前面溝部および／あるいは後面溝部内の涙液圧に基づいて、涙液流れを調節するように構成されるキャピラリーバルブを備えることができる。
【０２６１】
バルブは、レンズ孔および／または溝部の形状、サイズ、および長さに基づいて、涙液の流れを調節するように構成されるキャピラリーバルブを備えることができる。
【０２６２】
バルブは、バルブが動的コンタクトレンズの後面上の領域を密封して涙液の流れを防ぎ、涙液の流れを可能にするべく開くように構成することができる。
【０２６３】
他の適切なバルブの例として、「フィッシュマウス型」バルブまたはスリット膜が挙げられる。
【０２６４】
他の適切なバルブの例として、涙液と、前面開口部付近のレンズ孔の壁と、空気との間の毛管力により涙液が光学涙体に向かって流れることが可能になるキャピラリーバルブが挙げられる。必要とされるバルブ特性を達成するために、適切なレンズ材料、被覆、または処置、レンズ孔形状、レンズ孔寸法を選択することができる。例えば毛管力は、親水性の高い表面に対してより大きくなり、そのため、バルブを開かせることが可能な圧力差は小さくなる場合がある。同様に、レンズ孔が薄いほど、バルブを開くのに必要な圧力が高くなる。レンズ孔の直径は、例えば１０μｍ〜１ｍｍの場合がある。
【０２６５】
図２Ａ〜２Ｂはバルブの例を示す。図２Ａは動的コンタクトレンズの平面図、図２Ｂは断面図を示している。該動的コンタクトレンズは、周辺部分（２０１）／（２０２）、フィッシュマウス型バルブ（２１０）を備えており、フィッシュマウス型バルブは、レンズの前面と後面との間に配置され、後面溝部（２０５）につなげられ、光学部分（２０３）、涙液貯蔵部、または動的コンタクトレンズの後面の別の特徴につなげられている。図２Ａは動的コンタクトレンズの平面図を示しており、レンズの前面（２０７）を後面溝部（２０５）につなげるフィッシュアイ型バルブ（２１０）の断面拡大図（２０４）が含まれている。図２Ｂは、動的コンタクトレンズ（２１０）における開いたフィッシュアイ型バルブの詳細な断面図（２０８）を含む。
【０２６６】
本明細書に開示される様々な機構が、角膜の上皮層を覆う涙液膜により流体結合される場合がある。例えば、涙液貯蔵部、空洞、またはレンズ孔は、溝部により光学涙体に流体結合される必要はない。むしろ、涙液貯蔵部と光学涙体は、上皮層を覆う涙液膜により流体結合される場合がある。ある機構は、周辺部分の後面に組み込まれる特徴により互いに流体結合される場合があり、一方で他の機構は、上皮層を覆う涙液膜により流体結合される場合がある。
【０２６７】
光学部分と周辺部分との間の界面では、周辺部分の周辺ベース曲率は７．５ｍｍ〜９．５ｍｍ、例えば８ｍｍ〜９ｍｍであり、光学部分の光学ベース曲率は周辺ベース曲率よりも小さい場合がある。この界面では、光学ベース曲率は周辺ベース曲率よりも０．４ｍｍ以上小さい場合がある。例えば光学ベース曲率は、周辺ベース曲率よりも０．４ｍｍ、０．５ｍｍ、１．０ｍｍ、１．５ｍｍ、または２．０ｍｍより小さい場合がある。例えば光学ベース曲率は、周辺ベース曲率よりも０．４ｍｍ〜２ｍｍ、０．５ｍｍ〜１．５ｍｍ、０．７５ｍｍ〜１．０ｍｍより小さい場合がある。光学ベース曲率は、例えば７．４ｍｍ未満、７．３ｍｍ未満、７．２ｍｍ未満、７．１ｍｍ未満、７．０ｍｍ未満、６．９ｍｍ未満、６．８ｍｍ未満、６．７ｍｍｍ未満、６．６ｍｍ未満、６．５ｍｍ未満、６．０ｍｍ未満、５．０ｍｍ未満、または４．０ｍｍ未満の場合がある。光学ベース曲率は、例えば４ｍｍ〜６．８ｍｍ、５ｍｍ〜６．５ｍｍ、または５．５ｍｍ〜６．０ｍｍの場合がある。光学ベース曲率は、例えば４ｍｍ〜７．４ｍｍ、５ｍｍ〜７．１ｍｍ、または６．９ｍｍ〜７．４ｍｍの場合がある。
【０２６８】
周辺部分と光学部分との間の界面は、移行部を画定することができる。移行部は、動的コンタクトレンズの中心から１ｍｍ〜８ｍｍ、１．５ｍｍ〜７ｍｍ、１．５ｍｍ〜５ｍｍ、１．５ｍｍ〜４ｍｍ、または１．５ｍｍ〜２．５ｍｍの半径方向距離に配置することができる。移行部の幅は、例えば０．１ｍｍ〜２ｍｍ、０．２ｍｍ〜１．５ｍｍ、０．３ｍｍ〜１ｍｍ、または０．４ｍｍ〜０．８ｍｍの場合がある。
【０２６９】
移行部は、周辺部分の移行ベース曲率とは異なり、かつ光学部分の移行ベースと異なる移行ベース曲率を有する場合がある。移行部は１つ以上の移行ベース曲率を有する場合がある。
【０２７０】
界面は、外周まわりにほぼ一定の厚みを有する場合がある。
【０２７１】
界面は外周まわりに変動する厚みを有する場合がある。この厚みは界面外周まわりにおいて規則的パターンまたは不規則パターンで変動する場合がある。
【０２７２】
例えば界面は、コンタクトレンズ後面の界面外周まわりに配置される複数の溝部を備えることができる。例えば複数の溝部は、界面にわたって対称的または非対称的に配置される３〜１６の溝部を備えることができる。複数の溝部の少なくとも一部は、レンズ孔、涙液貯蔵部、またはその両方につなげることができる。
【０２７３】
周辺部分と光学部分との間の界面では、界面は面取りされる場合がある。例えば、界面を急にするのではなく、界面を滑らかにし、丸みをつけ、および／または角膜の表面の上に持ち上げることができる。すなわち、周辺部分と光学部分との間の界面を緩やかにすることができる。界面の移行は、患者の快適性を向上させるように構成することができる。
【０２７４】
光学部分に組み込まれる、予め製造されたＳＡＧは、涙液を光学涙体の中と外にポンピングするための機構として機能することができる。
【０２７５】
動的コンタクトレンズでは、中央光学部分は、周辺後面ベース曲率（８．２ｍｍ〜９．２ｍｍ）よりも数ミクロン〜数百ミクロン小さいベース曲率を持つ、予め製造された矢状高さを有するように設計される。例えば光学部分は、周辺部分の後面ベース曲率よりも０．１ｍｍ〜２．５ｍｍ小さい光学後面ベース曲率を有する場合があり、これはほぼ角膜の前面の曲率である。
【０２７６】
動的コンタクトレンズが角膜に配されると、予め製造された矢状高さにより、涙液が光学部分の付近で利用可能な場合に、涙液が光学部分の下を流れて、光学部分の後面と角膜の前面との間に涙液のレンズ体を作り出す傾向を持つような構造強度（剛性率）が得られる。
【０２７７】
ポンピング力をもたらす予め製造された矢状高さの能力は、光学部分の構造強度により部分的に求められる。強度に影響を及ぼすパラメータとして、１ｍｍ〜９ｍｍの光学部分直径、４０μｍ〜８００μｍの厚みにより求められるレンズ剛性、０．１ＭＰａ〜８ＭＰａの材料弾性率、光学部分の曲率半径が挙げられる。
【０２７８】
光学部分を備えた動的コンタクトレンズは、光学部分にかけられる圧力に応じて一続きの幾何学的形状を呈することを可能にする機械的特性を有する。この圧力は、光学部分の前面または後面にかけることができる。最低圧力の構成では、光学部分は、光学部分の後面と角膜の前面との間にレンズ状涙体が形成されるような中間幾何学的構成を呈する。陰圧または陽圧にさらされると、光学部分の後面は角膜の前面とほぼ適合し、そうなることで、涙膜の厚みは、光学部分の後面と角膜の前面との間でほぼ一定となる。例えば、ほぼ適合する構成では、涙膜の厚みは、１０μｍ未満または３μｍ未満変動する場合がある。動的コンタクトレンズはさらに、動的コンタクトレンズの光学部分にかけられる圧力の大きさに応じて、完全適合構成と中間構成との間の任意の適切な構成を呈することができる。所与の圧力では、光学部分が角膜の前面と涙体に適合する程度は、例えば光学部分の直径、厚み、剛性、矢状深さ、光学部分と周辺部分との間の移行部の幾何学的形状、レンズ材料の弾性率を含む様々なパラメータに依存する場合がある。例えば、本発明の開示により提供される動的コンタクトレンズは、例えば１０Ｐａ〜１，０００Ｐａ、１０Ｐａ〜５００Ｐａ、１０Ｐａ〜３００Ｐａ、１０Ｐａ〜２００Ｐａ、１０Ｐａ〜１００Ｐａ、１０Ｐａ〜５０Ｐａ、５０Ｐａ〜１５０Ｐａ、５０Ｐａ〜２５０Ｐａ、５０Ｐａ〜５００Ｐａ、１００Ｐａ〜２５０Ｐａ、１００Ｐａ〜５００Ｐａ、１００Ｐａ〜７５０Ｐａ、または１００Ｐａ〜１，０００Ｐａなど、５Ｐａ〜１，５００Ｐａの後面陰圧にさらされたときに構成全体を呈することができる。陰圧が緩和されると、レンズの機械特性は、最大レンズ体が光学部分の後面と角膜の前面との間にある中間構成へとレンズが戻るような特性である。
【０２７９】
２つの主な力は、光学部分の矢状高さと他のパラメータにより生成されるポンピング圧力に対して作用している。
【０２８０】
まず、反作用する吸引力が存在する。動的コンタクトレンズの中心光学部分と角膜との間に、厚さ５μｍ未満の涙膜などの非常に薄い涙液層しか存在しない場合、コンタクトレンズと角膜との間には接着力が存在する。直径が小さい、および／またはレンズが薄くなるほど、吸引力が高くなる。
【０２８１】
次に、反作用する毛管力が存在する。涙液が利用可能であり、溝部または他の特徴を介して涙体に流れ込むことが可能な場合、涙液は光学涙体に流れ込むことになる。溝部が存在する場合、涙液輸送は毛管力による影響を受けると考えられる。毛管力は、レンズ孔を介してレンズ外部に接続される溝部により発生する場合がある。溝部の数、幾何学的形状、寸法により、毛管力の強度を求めることができる。例えば、溝部が短くなるにつれレンズ孔の寸法が大きくなる場合、毛管力は小さくなる傾向がある。
【０２８２】
レンズ孔内部の毛管力に関連するパラメータを図３Ｂ〜３Ｃに示す。図３Ａは、レンズ孔の内側に作り出されているメニスカスを示す。図３Ｂと３Ｃは、レンズ孔内部の涙液の断面図とメニスカスに関連するパラメータを示す。メニスカス全体にわたる圧力は、方程式Δｐ＝２γ／Ｒにより半径と表面張力γに関連付けられる、パラメータの定義を図３Ｂと３Ｃに示す。
【０２８３】
反作用する毛管力は、光学涙体を涙液メニスカスなどの涙液源に流体結合することにより調節することができる。光学部分に入るか、またはその付近に存在する導管を備えたレンズ孔により、光学部分を涙液源につなげるように機能するだけでなく、キャピラリーバルブとしても機能するように構成することができ、そのように構成することで、レンズ孔が涙液メニスカスに流体結合されると、毛管力は低下し、涙液は、予め製造された矢状高さにより生じるポンピング力により部分的に導かれる涙体へと流れることができる。次いで、レンズ孔が空気にさらされる、または眼瞼下に埋もれて涙液メニスカスにつなげられない場合、レンズ孔は、涙液が光学部分に流入するのを妨げる閉鎖バルブとして機能する。
【０２８４】
接着力はさらに、表面処理により低減することができる。例えば、接着力を低減するために、コンタクトレンズの表面を疎水性コーティングで処理することができる。疎水性コーティングまたは処理は、レンズの後面の一部に適用することができる。親水性コーティングまたは処理はさらに、レンズの後面の一部に適用することで、レンズと角膜との間の接着力を増大させ、眼上のコンタクトレンズの可動性を低下させることができる。
【０２８５】
図４Ａ〜４Ｂは、１つのレンズ孔を有する動的コンタクトレンズにおける涙液輸送の、流体動的モデルを示す。このレンズ孔は、空気にさらされているか、または涙液メニスカスに流体結合されている。図４Ａでは、ピストン（４０１）は、光学部分（４０１）を角膜（４０２）の方に引っ張る吸引力（４０３）と、光学部分（４０１）を引っ張り角膜（４０２）から引き離す傾向のある復元力（４０４）とを示す、光学部分を表す。この復元力（４０４）は、予め製造された矢状高さなどの光学部分の構造により生成される。光学涙体（４０５）は、光学部分（４０４）と角膜（４０２）との間に位置し、図４Ａに示すように、溝部（４０６）とレンズ孔（４０７）に流体結合されている。レンズ孔（４０７）内に生成された毛管力（４０８）は、涙液を光学涙体（４０５）から引き離し、閉鎖バルブと同様に作用することができる。図４Ｂでは、レンズ孔（４０７）は、涙液メニスカスなどの涙液源（４０９）に流体結合される。レンズ孔（４０７）と涙液源との流体結合は、毛管力（４０８）を相殺し、開放バルブと同様に作用することができる。そうすることで、すべての力によって、ピストンにより表される光学部分（４０１）は吸引力（４０３）を克服し、角膜（４０２）から引き離され、それにより光学涙体（４０５）の増加を引き起こすことができる。
【０２８６】
図５Ａ〜５Ｂは、２つのレンズ孔（５０７）を有する動的コンタクトレンズにおける涙液輸送の別の流体動的モデルを示す。図５Ａに示すように、ピストンにより表される光学部分（５０１）の位置は、２つのレンズ孔（５０７）内の吸引力（５０３）、構造力（５０４）、および毛管力（５０８）により求められる。図５Ｂに示すようにレンズ孔（５０７）の一方または両方が涙液源（５０９）に流体結合されていると、光学部分（５０１）の位置が角膜（５０２）から遠ざかり、光学涙体（５０５）が増大する。レンズ孔（５０７）は、溝部（５０６）により光学涙体（５０５）に流体結合される。
【０２８７】
バルブの挙動は主に、バルブが開く前に保持可能な最大圧力であるバルブ開口圧力により規定される。バルブ開口圧力は、バルブの材料や流体など、関与する幾何学的形状と材料に左右される。例えば、バルブ開口部が大きいほど、バルブ開口圧力は小さくなる。バルブ開口部の長さ、および開口中にバルブ形状がどのように変化するかも、バルブ挙動に影響を及ぼす場合がある。例えばバルブは、異なるバルブ開口圧力を生じる段階的な幾何学的形状を呈する場合がある。この幾何学的形状は、流体流の漸増を可能にしながら、バルブを通る開口圧力を増大させるために使用することができる。バルブの断面幾何学的形状も開口圧力に影響を及ぼす場合がある。レンズ材料と涙液との相互作用は、表面張力、接触角、および接着エネルギーに対する影響と関連付けることができる。例えば、表面張力が大きいほど、または接触角が小さいほど、毛管力が高くなり、結果としてバルブ上の毛管圧力も高くなる。毛管における流体圧力を算出するには、ジュリンの法則により液体柱の高さｈを規定することが条件である。
ｈ＝（２γｃｏｓθ）／（ｐｇｒ）
式中、γは液体−空気の表面張力（力／単位長さ）、θは接触角、ｐは流体密度（質量／体積）、ｇは重力による局所加速度（長さ／時間の二乗［２８］）、ｒは管の半径である。それゆえ、流体が移動可能な空間が狭いほど、毛管力は大きくなる。この関係性は、コーティングを使用して方面の湿潤性または疎水性を改質することにより変更することができる。
【０２８８】
光学部分と周辺部分との間の界面は、コンタクトレンズが準安定構成間を移行、および／または準安定構成を維持できるのを容易にするように構成することができる。この界面は移行部と呼ぶことができる。
【０２８９】
前記移行部の少なくとも一部は、該移行部との各界面において周辺部分の厚み未満、かつ光学部分の厚み未満の厚みを有する場合がある。
【０２９０】
移行部は、全体にわたって均一ではない外周を有してもよい。例えば、移行部のある領域は、移行部の他の領域よりも薄い、および／またはその領域とは異なるベース曲率を有する場合がある。移行部のある領域は、周辺部分および／または光学部分のものとは異なる厚みおよび／またはベース曲率を有する場合がある。例えば、移行部のある領域の厚みは、周辺部分および／または光学部分の隣接領域の厚みに応じて、周辺部分および／または光学部分の隣接領域よりも１０μｍ〜３００μｍ、２０μｍ〜２００μｍ、または５０μｍ〜１５０μｍ薄い場合がある。例えば移行部は、周辺部分および／または光学部分のベース曲率とは１００μｍ〜５ｍｍ、２００μｍ〜４ｍｍ、３００μｍ〜３ｍｍ、または５００μｍ〜２ｍｍ異なるベース曲率を有する場合がある。
【０２９１】
この移行部は、周辺部分のベース曲率と異なるとともに光学部分のベース曲率とも異なるベース曲率を有する場合がある。移行部の少なくとも一部は、該移行部との各界面において、周辺部分の厚みおよび光学部分の厚みよりも小さい厚みを有する場合がある。
【０２９２】
移行部は、周辺ベース曲率より小さいが光学ベース曲率よりも大きい移行ベース曲率を有する場合がある。移行部は、周辺ベース曲率より小さく、かつ光学ベース曲率よりも小さい移行ベース曲率を有する場合がある。
【０２９３】
移行部は、周辺ベース曲率と光学ベース曲率の両方と異なるベース曲率を有する場合がある。
【０２９４】
移行部は、該移行部の外周全体にわたりほぼ同じ厚みの場合がある。
【０２９５】
移行部は、該移行部の外周全体にわたり変動する厚みの場合がある。
【０２９６】
移行部は、該移行部の外周全体にわたり規則的なパターンで変動する厚みの場合がある。
【０２９７】
移行部は、該移行部の外周全体にわたり不規則なパターンで変動する厚みの場合がある。
【０２９８】
移行部は、少なくとも約１０μｍ、２０μｍ、３０μｍ、４０μｍ、５０μｍ、６０μｍ、７０μｍ、８０μｍ、９０μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１，０００μｍ、またはそれ以上の幅であってもよい。移行部は、多くとも約１，０００μｍ、９５０μｍ、９００μｍ、８５０μｍ、８００μｍ、７５０μｍ、７００μｍ、６５０μｍ、６００μｍ、５５０μｍ、５００μｍ、４５０μｍ、４００μｍ、３５０μｍ、３００μｍ、２５０μｍ、２００μｍ、１５０μｍ、１００μｍ、９０μｍ、８０μｍ、７０μｍ、６０μｍ、５０μｍ、４０μｍ、３０μｍ、２０μｍ、１０μｍ、またはそれ以下の幅であってもよい。移行部は、先述の値のいずれか２つにより規定される範囲内にある幅を有してもよい。移行部は、例えば１０μｍ〜２ｍｍ、５０μｍ〜１．５ｍｍ、１００μｍ〜１ｍｍ、または２５０μｍ〜７５０μｍの幅の場合がある。
【０２９９】
移行部は、例えばコンタクトレンズの後面に配置される複数の溝を有する場合がある。例えば移行部は、移行部の外周まわりに対称的または非対称に配置される３〜１６個の溝部、例えば６〜１２個の溝部を備えることができる。
【０３００】
溝部の少なくとも一部は、涙液を涙体の中と外に運ぶように構成することができる。複数の溝部の少なくとも一部は、レンズ孔、涙液貯蔵部、またはその両方につなげることができる。
【０３０１】
移行部の曲率半径と移行部の厚みは、動的コンタクトレンズの準安定構成間の移行を容易にするように、および／またはコンタクトレンズの準安定構成を維持するように構成することができる。
【０３０２】
移行部は、周辺ベース曲率と同じ、あるいは光学ベース曲率と同じ曲率半径を有するとともに、移行部との界面において周辺部分と光学部分の厚みよりも大きな厚みを有し、または、移行部との界面において周辺部分と光学部分の厚みよりも小さな厚みを有する場合がある。
【０３０３】
図６Ａと６Ｂはそれぞれ、不連続な急峻移行部を有する本発明の開示により提供される動的コンタクトレンズの一例の、前面図と断面図を示す。動的コンタクトレンズは、第１の周辺部分（６０１）と、第２の周辺部分（６０２）と、光学部分（６０３）と、急峻移行部（６０４）とを備えている。図６Ｂの断面図に示すように、急峻移行部は、第２の周辺部分（６０２）のベース曲率、光学部分（６０３）のベース曲率、および２つの領域間の界面（６０４）におけるわずかな差を特徴とする。チャネルまたは溝部（６０５）は、周辺部分から急峻移行部（６０４）をわたって光学部分（６０３）まで延在することが示されており、急峻移行部（６０４）の外周まわりの不連続性を表している。
【０３０４】
移行部の不連続性のさらなる例を図７Ａ〜７Ｄに示す。
【０３０５】
図７Ａ〜７Ｄは動的コンタクトレンズの一例を示しており、該動的コンタクトレンズは、第１の周辺部分（７０１）と、第２の周辺部分（７０２）と、光学部分（７０３）と、第２の周辺部分（７０２）と光学部分（７０３）との間の界面にある移行部（７０４）を有している。図７Ｄに示すように、移行部（７０４）は、厚みが移行部の外周まわりで規則的に変動するように不連続な断面形状を呈する場合がある。厚みの相違は、移行部を横断する動的コンタクトレンズの後面にある溝部に関連づけることができる。他の実施形態では、不連続性は不規則な場合がある。図７Ｂは、光学部分（７０３）と移行部（７０４）の外周の図を示す。図７Ｃは、急峻移行部（７０４）の平面図を示す。
【０３０６】
図８Ａ〜８Ｃは、急峻移行部を有する動的コンタクトレンズの同様の図を示しているが、動的コンタクトレンズの後面に不連続性が認められ、急峻移行部にわたって延在している。図８Ａ〜８Ｃに示す動的コンタクトレンズは、第１の周辺部分（８０１）と、第２の周辺部分（８０２）と、光学部分（８０３）と、急峻移行部（８０４）とを備えている。急峻移行部（８０４）は、移行部の厚みが外周まわりで異なるように移行部（８０４）にわたって延在する後面溝部などの不規則部（８０５）を備えている。
【０３０７】
図９Ａ〜９Ｉに示す動的コンタクトレンズは、第１の周辺部分（９０１）と、第２の周辺部分（９０２）と、光学部分（９０３）と、急峻移行部（９０４）とを備えている。急峻移行部（９０４）は、移行部（９０４）の厚みが外周まわりで異なるように移行部にわたって延在する溝部などの不規則部（９０５）を備えている。各溝部（９０５）の一端はレンズ孔（９０６）に接続され、光学領域（９０３）に延在している。
【０３０８】
一例として、図１０は、本発明の開示により提供される動的コンタクトレンズの後面を示しており、該動的コンタクトレンズは、光学部分（１００６）と、第１の周辺部分（１００３）と、第２の周辺部分（１００１）と、移行部（１００２）とを備えている。この動的コンタクトレンズは、第２の周辺部分（１００１）から移行部（１００２）まで延在する半径方向溝部（１００４）と、溝部（１００４）の各々につなげられるレンズ孔（１００５）とを備えている。図１０に示すように、溝部（１００４）は移行部（１００２）にて終端となる。
【０３０９】
図１１は、本発明の開示により提供される動的コンタクトレンズの前面を示しており、該動的コンタクトレンズは、光学部分（１１０１）と、移行部（１１０２）と、周辺部分（１１０３）とを備えている。動的コンタクトレンズはさらに、動的コンタクトレンズの周辺部分全体に８個のレンズ孔を備えている。図１１に示すように、溝部（１１０４）は移行部（１１０２）にて終端となる。
【０３１０】
図１２は、図１１に示すのと同じコンタクトレンズの後面を示しており、該コンタクトレンズは、光学部分（１２０１）と、周辺部分（１２０３）と、半径方向後面溝部（１２０４）と、後面溝部（１２０４）の各々に接続されるレンズ孔（４０５）とを備えている。
【０３１１】
図１３Ａは、本発明の開示により提供される動的コンタクトレンズの一例の断面図を示しており、該動的コンタクトレンズは、光学部分（１３０１）と、周辺部分（１３０３）と、半径方向後面溝部（１３０４）と、レンズ孔（１３０５）とを備えている。同じ動的コンタクトレンズの後面図が図１３Ｂに示されており、該動的コンタクトレンズは、光学部分（１３０１）と、周辺部分（１３０３）と、半径方向後面溝部（１３０４）と、レンズ孔（１３０５）とを備えている。図１３Ａと１３Ｂに示すように、半径方向後面溝部は、光学部分（１３０１）の後面に延在するか、または図１２に示すように、周辺部分と光学部分との界面において終端となる場合がある。
【０３１２】
図１３Ｃは、患者の眼の上にある図１３Ａと１３Ｂの動的コンタクトレンズを示しており、該動的コンタクトレンズは、光学部分（１３０１）と、周辺部分（１３０３）と、移行部（１３０２）と、半径方向後面溝部（１３０４）と、後面溝部（１３０４）の各々に接続されるレンズ孔（１３０５）とを備えている。
【０３１３】
図１４は、患者の眼に８つのレンズ孔を映す、動的コンタクトレンズの細隙灯生体顕微鏡画像を示す。レンズ孔（１４０１）が８つの白い点として視認できる。
【０３１４】
機能的な観点から、動的コンタクトレンズは、前方注視では光学部分が角膜に最も近くなり、下方注視では光学部分が角膜から離れて隆起するように構成することができる。前方注視の間、レンズ孔は涙液源と流体結合しない。下方注視の間、レンズ孔は涙液メニスカスに流体結合されるようになり、これにより、涙液が光学涙体へと流れて、黄河部分が角膜の外側へと離れて隆起して、光学後面の光強度が増大する。
【０３１５】
最も単純な形態では、動的コンタクトレンズは、予め製造された中心矢状高さを持つ光学部分と、周辺部分に位置するレンズ孔とを有する場合がある。一次注視の間、レンズ孔は涙液メニスカスと接触せず、そのため、光学涙体を満たすために流体を利用することができない。下方注視の間、１つ以上のレンズ孔が涙液メニスカスと接触することができ、これにより、涙液が光学部分の後面と角膜の前面との間にある光学涙体へと流れることが可能となる。
【０３１６】
構成の変化を誘導するための機構は、涙液貯蔵部および／または涙液腔を操作することを含む場合がある。
【０３１７】
貯蔵部は、動的コンタクトレンズの後面に形成することができる。貯蔵部は、視力に干渉しないようにレンズの周辺部分と光学領域外に配置することができる。貯蔵部は、圧迫可能でも圧迫不能でもよい。
【０３１８】
眼に適用されると、貯蔵部は涙液で満たされ、涙液貯蔵部を形成することができる。涙液貯蔵部は、圧迫可能でも圧迫不能でもよい。動的コンタクトレンズは、圧迫可能な涙液貯蔵部、圧迫不能な涙液貯蔵部、またはそれらの組み合わせを備えることができる。
【０３１９】
涙液貯蔵部は、眼瞼圧力をかけることにより圧迫可能な場合がある。例えば、眼の注視角度を変更すること、通常のまばたき、意図的なまばたき、目を細めること、またはそれらのいずれかの組み合わせにより、眼瞼圧力をかけることができる。
【０３２０】
涙液貯蔵部は、少なくとも約０．１ｇｍ、０．２ｇｍ、０．３ｇｍ、０．４ｇｍ、０．５ｇｍ、０．６ｇｍ、０．７ｇｍ、０．８ｇｍ、０．９ｇｍ、１ｇｍ、２ｇｍ、３ｇｍ、４ｇｍ、５ｇｍ、６ｇｍ、７ｇｍ、８ｇｍ、９ｇｍ、１０ｇｍ、またはそれ以上の力により圧迫可能でもよい。涙液貯蔵部は、多くとも約１０ｇｍ、９ｇｍ、８ｇｍ、７ｇｍ、６ｇｍ、５ｇｍ、４ｇｍ、３ｇｍ、２ｇｍ、１ｇｍ、０．９ｇｍ、０．８ｇｍ、０．７ｇｍ、０．６ｇｍ、０．５ｇｍ、０．４ｇｍ、０．３ｇｍ、０．２ｇｍ、０．１ｇｍ、またはそれ以下の力によって圧迫可能でもよい。涙液貯蔵部は、先述の値のいずれか２つにより規定される範囲内にある力により圧迫されてもよい。涙液貯蔵部は、例えば０．１ｇｍ〜１０ｇｍ、０．２ｇｍ〜８ｇｍ、０．５ｇｍ〜６ｇｍ、１ｇｍ〜５ｇｍ、または２ｇｍ〜４ｇｍの範囲内の力により圧迫可能である。
【０３２１】
光学部分の構成変化を誘導するのに有効であるためには、涙液貯蔵部が部分的に圧迫可能であることのみ必要とされる。例えば、構成変化を誘導するために、一定量の涙液を、光学部分の後面と角膜との間にある涙膜隙間に送り込むことができる。この涙液の量は、隙間を広げる、またはその他の方法により毛管力を弱め、毛管接着を解放するのに十分な量でもよい。続いて、光学部分が非適合構成に移行すると、涙液は膨張するレンズ体を満たし、涙液の少なくとも一部を涙液貯蔵部から引き抜くことができる。代替的に、または付加的に、眼瞼圧力を涙液貯蔵部にかけること、および／または、目の動作により１つ以上の離散的非適合構成あるいは１つ以上の連続非適合構成を設けることにより、光学後面と角膜との間の隙間に涙液を断続的に、連続的に、または半連続的に送り込むことができる。
【０３２２】
涙液貯蔵部はさらに、非適合構成から適合構成へと移行するための機構を必要とする場合がある。完全な圧迫状態または部分圧迫状態から解放されると、涙液貯蔵部は膨張するように構成することができる。涙液貯蔵部の膨張するレンズ体は、涙膜および涙体から涙液を引き抜くことができる。涙液貯蔵部を満たすことで、光学部分の後面が角膜に対して引っ張られ、適合構成の準安定状態を確立する、または復元することができる。
【０３２３】
１つ以上の涙液貯蔵部は、注視変化の間にのみ、眼瞼により圧力をかけたときに圧迫するように構成することができる。注視変化の間、眼瞼により角膜の前面および／または圧迫可能な涙液貯蔵部にかけられる圧力は、眼瞼と動的に接触する前面によりもたらされる場合がある。正常なまばたき、意図的なまばたき、および／または目を閉じた状態で一定の力により目を細めることが可能な目を細めることで、より大きな力を圧迫可能な涙液貯蔵部にかけることができる。
【０３２４】
ゆえに、少なくとも１つの第１の機構、少なくとも１つの第２の機構、またはその両方は、１つ以上の涙液貯蔵部内での流体の操作を含む場合がある。涙液貯蔵部は、周辺部分の後面と角膜との間の涙液膜により、涙液膜、または後面部分と角膜との間の涙体に流体結合することができる。
【０３２５】
貯蔵部は、圧迫中に涙液が優先的に光学部分の下に押し込まれ、かつ、放出時に涙液が優先的に動的コンタクトレンズの光学部分の下から引き抜かれるように構成することができる。このことは、例えば空洞／涙液貯蔵部の形状を適宜選択することにより達成することができる。例えば適切な形状は、くさび形の空洞／涙液貯蔵部などの光学部分に向かうにつれて狭くなる断面形状を呈する場合がある。
【０３２６】
動的コンタクトレンズは、１つ以上の涙液貯蔵部を備えることができる。
【０３２７】
１つの涙液貯蔵部が、動的コンタクトレンズの幾何学的中心軸から半径方向距離に配置された同心円状空洞を備えることができる。１つの涙液貯蔵部は、周辺部分の一部にのみ配置される空洞を備えることができる。例えば１つの涙液貯蔵部は、動的コンタクトレンズの周辺部分半分の上に円弧状空洞を備えることができる。例えば円弧状空洞は、動的コンタクトレンズの幾何学的中心軸から半径方向距離に配置し、かつ、ユーザーによる装着時に円弧状の涙液貯蔵部が動的コンタクトレンズの下方部分にあるように着用されるべく構成することができる。１つの涙液貯蔵部は、貯蔵部が眼瞼と相互作用できるように構成することができる。各貯蔵部が例えば異なる内径を有することができるように、複数の円形貯蔵部を設けることができる。円形貯蔵部はさらに、圧力を貯蔵部にかけたときに涙液が優先的に円形貯蔵部内ではなく光学部分へと移動するような区画を有していてもよい。
【０３２８】
動的コンタクトレンズは、複数の涙液貯蔵部などの２つ以上の涙液貯蔵部を備えることができる。涙液貯蔵部は、片方または両方の眼瞼と相互作用し、かつ適合構成と非適合構成との間の移行を誘導させるのに適切となるように、成形し、かつ周辺部分に配置することができる。涙液貯蔵部は、光学部分のまわりに対称的または非対称的に配置することができる。涙液貯蔵部は、視力に干渉しないように光学領域の外側に配置することができる。
【０３２９】
少なくとも１つの第１の機構、少なくとも１つの第２の機構、またはその両方は、視線変更の間、眼瞼により動的コンタクトレンズに圧力がかけられたとき、あるいはレンズの特徴の１つが涙液メニスカスと相互作用するときに、動的コンタクトレンズの光学部分を圧縮、および／または周辺部分を圧迫することによる、涙液の交換を含む場合がある。涙液の交換は、光学部分の後面と角膜との間の涙液、周辺後面と角膜との間の涙液、涙体、１つ以上の涙液貯蔵部、レンズの周辺部分の涙液、レンズの前面上の涙液、下部および／あるいは上部の涙液メニスカスからの涙液、またはそれらのいずれかの組み合わせの中からの涙液交換を含む場合がある。
【０３３０】
少なくとも１つの第１の特徴、少なくとも１つの第２の特徴、またはそれら両方は、レンズ特徴の１つが涙液メニスカスと相互作用するときに眼瞼と相互作用するよう構成された動的コンタクトレンズの前面に突出部を備えることができる。
【０３３１】
光学部分と１つ以上の涙液貯蔵部は連続している場合がある。この設計では、涙体の周辺部分上での眼瞼の動作は、光学部分が前方に隆起するように光学部分を角膜に向けて移動させることができる。光学部分は、前方に隆起しているときに適合構成または非適合構成を呈することができる。光学部分は、前方に隆起しているときに少なくとも２つの異なる非適合構成を呈することができる。
【０３３２】
涙液貯蔵部とともに使用される、記載のものと同様の特徴は、涙液貯蔵部を必要とすることなく使用することができる。動的コンタクトレンズは貯蔵部および涙液貯蔵部を有していなくてもよく、眼瞼および／または眼の注視角による、および／またはレンズ特徴の１つが涙液メニスカスと相互作用するときの同様の作用は構成間での移行を生じさせることができ、涙体は涙液を例えば涙膜と交換することができる。
【０３３３】
突出部は、視力に干渉しないように、光学領域外にある動的コンタクトレンズの周辺部分の前面に配置することができる。
【０３３４】
突出部は、眼瞼と動的に接触したときに摩擦力をもたらすように構成することができる。この摩擦力は動的コンタクトレンズを眼の上で移動させることができる。すなわち、例えば、適合状態における接着毛管力を減少させて解放するのに十分な圧迫力を光学部分に付与し、それにより適合構成から非適合構成への移行を誘導することができる。突出部は、光学部分のまわりに対称的または非対称的に配置することができる。突出部は、動的コンタクトレンズの中心から様々な半径方向距離に位置する１つ以上の同心円状隆起部を備えることができる。突出部は、例えば１２０°、９０°、６０°、４５°、または３０°の角度で光学部分のまわりに対称的に位置する離散的特徴であってもよい。突出部は、視力に干渉しないように動的コンタクトレンズの光学領域外に配置することができる。
【０３３５】
突出部はレンズの前面における肥厚領域であり、突出部と眼瞼との動的接触が生じたときに機械力を生じさせるように設計されている。動的コンタクトレンズは１つ以上の突出部を備えることができる。１つ以上の突出部は、光学部分から少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、１．５ｍｍ、２ｍｍ、２．５ｍｍ、３ｍｍ、３．５ｍｍ、４ｍｍ、４．５ｍｍ、５ｍｍ、５．５ｍｍ、６ｍｍ、６．５ｍｍ、７ｍｍ、７．５ｍｍ、８ｍｍ、８．５ｍｍ、９ｍｍ、９．５ｍｍ、１０ｍｍ、またはそれ以上の距離に配置することができる。１つ以上の突出部は、光学部分から多くとも約１０ｍｍ、９．５ｍｍ、９ｍｍ、８．５ｍｍ、８ｍｍ、７．５ｍｍ、７ｍｍ、６．５ｍｍ、６ｍｍ、５．５ｍｍ、５ｍｍ、４．５ｍｍ、４ｍｍ、３．５ｍｍ、３ｍｍ、２．５ｍｍ、２ｍｍ、１．５ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下の距離に配置することができる。１つ以上の突出部は、先述の値のいずれか２つにより規定される範囲内にある距離に配置することができる。１つ以上の突出部は、光学部分から例えば０．５ｍｍ〜５．５ｍｍ、１ｍｍ〜５ｍｍ、１．５ｍｍ〜４．５ｍｍ、または２ｍｍ〜４ｍｍの範囲などの一定の距離に配置することができる。突出部は、少なくとも約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、２ｍｍ、３ｍｍ、４ｍｍ、５ｍｍ、またはそれ以上の寸法であってもよい。突出部は、多くとも約５ｍｍ、４ｍｍ、３ｍｍ、２ｍｍ、１ｍｍ、０．９ｍｍ、０．８ｍｍ、０．７ｍｍ、０．６ｍｍ、０．５ｍｍ、０．４ｍｍ、０．３ｍｍ、０．２ｍｍ、０．１ｍｍ、またはそれ以下の寸法であってもよい。突出部は、先述の値のいずれか２つにより規定される範囲内にある寸法であってもよい。突出部は、例えば０．５ｍｍ〜３ｍｍ、１ｍｍ〜３ｍｍ、または１ｍｍ〜２ｍｍの範囲内にある寸法の場合がある。１つ以上の突出部は独立して、動的コンタクトレンズの前面から例えば１０μｍ〜５００μｍ、５０μｍ〜４５０μｍ、１００μｍ〜４００μｍ、または１５０μｍ〜３５０μｍの高さを有する場合がある。１つ以上の突出部は独立して、楕円形、腎臓形、ドーム形、長円形などの任意の適切な断面形状を呈することができ、側部は異なる斜面を有する場合がある。
【０３３６】
突出部が貯蔵部上にある実施形態では、突出部は圧迫可能となるように設計することができる。この前後関係において圧迫可能とは、貯蔵部が圧迫状態にある構成において突出部が角膜の方にも移動し、そうなることで、動的コンタクトレンズの前面上の突出部の高さが圧迫状態の高さより小さくなることを意味する。例えば突出部は、ほぼ平滑な形状を呈するために前面の曲率にほぼ適合してもよい。
【０３３７】
突出部が貯蔵部上にある実施形態では、重なり合いにおける断面厚みは、隣接周辺部分の厚みより小さい、隣接周辺部分の厚みと同じ、または隣接周辺部分の厚みより大きい場合がある。
【０３３８】
１つ以上の突出部は、溝部、へこみ部、隆起部などの摩擦を増加させる表面特徴を備えることができる。溝部、へこみ部、または隆起部は、突出部の寸法より小さな寸法を呈することができる。例えば、溝部、へこみ部、または隆起部の高さまたは深さは、１００μｍ未満、７５μｍ未満、５０μｍ未満、または２５μｍ未満とすることができる。眼瞼と動的コンタクトレンズとの間の摩擦を増大させるための１つ以上の特徴の寸法は、ユーザーの快適性を促すように選択することができる。
【０３３９】
１つ以上の突出部の位置と高さは、突出部に対する眼瞼の動作が動的コンタクトレンズの光学部分の構成変化を誘導できるように選択することができる。突出部が構成変化を誘発することが可能な機構は、毛管力の変化、および／または動的コンタクトレンズの内力の変化によるものであってもよい。突出部は、下方注視の間に１つ以上の突出部に対する眼瞼の力が光学部分の構成変化を生じさせるように位置付けることができる。
【０３４０】
１つ以上の突出部は、涙液貯蔵部などの貯蔵部の上に設けることができる。１つ以上の突出部は、涙液貯蔵部などの貯蔵部の上に設けなくてもよく、またはその上に部分的に設けることができる。
【０３４１】
このような貯蔵部は、例えば眼瞼（ｌｉｄ）圧をかけた後に突出部が上にない場合でも、圧迫可能または変形可能な場合があることも、理解されたい。このような圧迫性は、貯蔵部上のレンズの厚みを薄くすることにより、貯蔵部の寸法を大きくすることにより、貯蔵部の形状を変更することにより、レンズの全体形状を変更することにより、または、弾性率が低い材料を使用および／または貯蔵部近傍の周辺部分の厚みを薄くすることなどにより貯蔵部領域の剛性を変化させることにより、達成することができる。
【０３４２】
同様の機械力学と流体力学が、周辺前面に配置されるとともにレンズ孔と溝部により光学涙体に流体結合可能な空洞に適用される。
【０３４３】
涙体は、少なくとも１つのレンズ孔に流体結合されることで、レンズと眼との間の空間内での涙液の移動を容易にすることができる。レンズの数は例えば１〜５０、１〜２０、または３〜１０個でもよく、内径は例えば５０μｍ〜６００μｍ、１００μｍ〜３００μｍでもよい。
【０３４４】
本発明の開示により提供される動的コンタクトレンズは光学部分を備えることができ、該光学部分は視力に使用される動的コンタクトレンズの領域を指し、少なくとも２つの準安定構成を呈することが可能である。
【０３４５】
眼に装着すると、光学部分は角膜の光学領域の少なくとも一部と重なる。光学部分の寸法は、光学領域の寸法より小さい、光学領域の寸法とほぼ同じ、または角膜の光学領域の寸法より小さい場合がある。
【０３４６】
本発明の開示により提供される動的コンタクトレンズは、光学部分につなげられる周辺部分を備えることができ、該周辺部分は、動的コンタクトレンズを角膜上で保持するように構成される。光学部分と周辺部分は移行部においてつなげることができる。移行部は、適合構成および／または非適合構成間の移行を容易にする、適合構成および／または非適合構成間の移行を調節する、適合構成および／または非適合構成を安定化させる、適合構成および／または非適合構成を不安定化させる、またはそれらのいずれかの組み合わせを行うべく寸法調整されるように、構成することができる。
【０３４７】
例えば、周辺部分と光学部分との間の移行部における断面厚みは、動的コンタクトレンズの隣接周辺部分および／または光学部分の厚みよりも薄い、または厚い場合がある。例えば、動的コンタクトレンズの断面形状では、厚みは、周辺部分におけるレンズの縁部から光学部分を伴う移行部分に向かうにつれて徐々に厚くすることができる。光学部分の厚みは、ほぼ均一である、移行部の厚みと同じ、移行部の厚みより薄い、または移行部の厚みよりも厚い場合がある。光学部分の厚みは、移行部の厚みから光学部分の中心まで厚くすることができる。光学部分の厚みは、移行部の厚みから光学部分の中心まで薄くすることができる。
【０３４８】
移行部は、準安定構成の維持を容易にするように、準安定構成間の移行を容易にするように、および／または動的コンタクトレンズを取り囲む様々な領域間での涙液の輸送を容易にするように構成することができる。
【０３４９】
動的コンタクトレンズは、第１の弾性率を特徴とする第１の材料を含む光学部分と、第２の弾性率を特徴とする第２の材料を含む周辺部分とを備えることができる。
【０３５０】
第１の材料と第２の材料は、同じ材料を含むか、または異なる材料を含む場合がある。
【０３５１】
第１の弾性率は第２の弾性率よりも大きくすることができ、第１の弾性率は第２の弾性率よりも小さくすることができ、または第１の弾性率は第２の弾性率と同じにすることができる。
【０３５２】
光学部分と周辺部分は、１つの弾性率を特徴とする１つの材料を含むことができる。理解されるように、中心からの半径方向距離における動的コンタクトレンズの厚みに応じて、動的コンタクトレンズは、中心からの半径方向距離により変動する剛性により特徴づけることができる。
【０３５３】
第１の弾性率は本明細書に記載される任意の弾性率を含む場合がある。第２の弾性率は本明細書に記載される任意の弾性率を含む場合がある。第１の弾性率は例えば０．０５ＭＰａ〜１００ＭＰａの範囲内にあり、第２の弾性率は０．０５ＭＰａ〜１００ＭＰａの範囲内にあってもよい。
【０３５４】
第１の弾性率は例えば０．１ＭＰａ〜２ＭＰａの範囲内にあり、第２の弾性率は０．１ＭＰａ〜２ＭＰａの範囲内にあってもよい。
【０３５５】
例えば第１の弾性率と第２の弾性率は独立して、例えば０．０５ＭＰａ〜１０ＭＰａ、０．１ＭＰａ〜８ＭＰａ、０．１５ＭＰａ〜６ＭＰａ、０．２ＭＰａ〜４ＭＰａ、０．２５ＭＰａ〜３ＭＰａ、０．３ＭＰａ〜２ＭＰａ、０．３ＭＰａ〜１．５ＭＰａ、０．３ＭＰａ〜１．０ＭＰａの範囲内にあってもよい。
【０３５６】
動的コンタクトレンズの周辺部分は、１つの弾性率を特徴とする１つの材料を含むことができる。周辺部分は、異なる弾性率を有する異なる材料を含むことができる。この材料は、材料がシリコーンヒドロゲルであるなど同じ基本的な化学構造を有するが、架橋密度は異なっているため異なる材料とみなされるという意味において、異なる場合がある。
【０３５７】
動的溝部、動的レンズ孔、または動的涙液貯蔵部などの動的特徴を覆う周辺部分の領域は、コンタクトレンズの周辺部分の隣接領域よりも低い弾性率を有する材料を含むことができる。低弾性率材料を使用することにより、周辺部分の領域の剛性を低下させることができる。さらに薄い断面厚みを有する、または有していない低弾性率材料は、前記特徴の中、外、または全体への流体の流れに応じて前記特徴が変形できるのを容易にすることができる。より低弾性率の材料、したがってより剛性が低い構造の使用は、眼瞼との相互作用に応じて前記特徴が変形できるのを容易にすることができる。光学部分の剛性は、周辺部分の剛性よりも低いことを特徴とする場合がある。
【０３５８】
第１の材料、第２の材料、または１つの材料の各々は独立して、シリコーン、ヒドロゲル、シリコーンヒドロゲル、またはそれらのいずれかの組み合わせを含むことができる。ソフトコンタクトレンズの製造に使用される任意の適切な材料も使用することができる。光学部分は非動的光学部分とは異なる材料で製造可能であるが、動的コンタクトレンズを製造するために１つの基本材料を使用することができる。しかし、所望の機械特性を付与するために特定の領域を処理または改変することができる。例えば、周辺部分と光学部分は同じ基本材料を含むことができる。しかし特定の領域は、例えば準安定構成を呈する、および／または眼瞼により動的コンタクトレンズにかけられる力に応じて準安定構成間を移行するする光学部分の能力を容易にするために、架橋密度をさらに高くするか、または架橋密度設計をさらに低くすることができる。
【０３５９】
動的コンタクトレンズは後面を備えることができる。後面の少なくとも一部は、後面の少なくとも一部と涙液との間、角膜と涙液との間、後面と角膜との間、またはそれらのいずれかの組み合わせにおける毛管力を調節するために選択される、材料、表面処理、またはそれらの組み合わせを含むことができる。
【０３６０】
材料および／または表面処理は、毛管力に影響を及ぼすことが可能な表面疎水性、親水性、極性、電荷、または他の属性を提供するように選択することができる。後面の特性は、均一、または不均一な場合がある。後面の表面特性は、連続、または不連続な場合がある。
【０３６１】
適切な表面処理の例として、コーティング、プラズマ処理、含浸が挙げられる。
【０３６２】
材料自体は、所望の表面特性を確立するように選択することができる。
【０３６３】
周辺部分と光学部分とを含むレンズの後面特性は、後面の１つ以上の領域において同じ、または異なる場合がある。例えば１つの表面特性は、角膜への光学部分後面の毛管接着を調節するのに望ましい場合があり、別の表面特性は、例えば涙液貯蔵部と光学部分との間の領域での涙液の交換を容易にするのに望ましい場合がある。
【０３６４】
断面形状では、光学部分は、後面と角膜との間に隙間の形状を備えた後面を備えることができる。隙間の形状は隙間の差により特徴づけることができ、ここで隙間の差は、中心隙間高さと周辺隙間高さとの差である。隙間の形状は、半径方向距離が光学部分の中心から周辺部分を備えた周囲移行部に向かうにつれて減少する複数の隙間の差を含む。最大の隙間の差は、中心隙間高さと光学部分の周囲における隙間高さとの間の差として定義することができる。
【０３６５】
適合構成は第１の最大の隙間の差により特徴づけることができ、非適合構成は第２の最大の隙間の差により特徴づけることができ、第２の最大の隙間の差は第１の最大の隙間の差よりも大きい。
【０３６６】
本発明の開示により提供される動的コンタクトレンズは、製造時の形状を含む場合がある。製造時の形状は、後面から前面に向かって周辺部分の周辺ベース曲率から離れて隆起する光学部分を備える。
【０３６７】
動的コンタクトレンズは、前方に隆起する製造時の光学部分を有していなくてもよい。光学部分は、例えば、周辺部分の前面と実質的に連続している前面を有することができる。この構成における涙体は、光学部分の少なくとも一部の厚みを、周辺部分を備えた移行部の厚みよりも小さくすることにより提供することができる。このような構成は、負の光強度をレンズにもたらすのに有用な場合がある。光学部分の隙間を大きくすると、前方曲率に機械力を付与することで、近くでの読書といった近見視力を改善可能な光学系の光強度を変化させる涙体を得ることができる。
【０３６８】
少なくとも１つの非適合構成の１つでは、動的コンタクトレンズは、製造時の形状を含むことができる。
【０３６９】
動的コンタクトレンズは、周辺後面を備えた周辺部分を含むことができ、この周辺後面は周辺ベース曲率を含み、光学部分は光学後面を含み、光学後面は光学ベース曲率を含む。
【０３７０】
適合構成では、光学後面ベース曲率は、周辺ベース曲率とほぼ同じ場合がある。
【０３７１】
非適合構成では、光学後面ベース曲率は、周辺ベース曲率から逸脱する場合がある。例えば、光学部分の曲率は周辺ベース曲率よりも大きくすることができる。
【０３７２】
角膜は角膜の曲率により特徴づけることができる。動的コンタクトレンズの光学部分は光学後面を含むことができ、この光学後面は光学後面ベース率により特徴づけることができる。適合構成では、光学後面ベース曲率は、角膜曲率とほぼ同じ場合がある。非適合構成では、光学後面ベース曲率は、角膜曲率から逸脱する場合がある。
【０３７３】
動的コンタクトレンズは、周辺後面を備えた周辺部分を含むことができ、この周辺後面は周辺ベース曲率を含み、光学部分は周辺ベース曲率に対する中心矢状高さにより特徴付けることができる。
【０３７４】
光学部分は、周辺ベース曲率に対する第１の中心矢状高さにより特徴付けられ、周辺ベース曲率に対する第２の中心矢状高さを特徴とする第２の構成を呈することができ、第１の中心矢状高さと第２の中心矢状高さは異なるものである。第１の中心矢状高さは、第２の中心矢状高さよりも大きくする、または第２の中心矢状高さよりも小さくすることができる。
【０３７５】
光学部分は、周辺ベース曲率に対する第１の中心隙間高さを特徴とする第１の構成を呈し、周辺ベース曲率に対する第２の中心隙間高さを特徴とする第２の構成を呈することができ、第１の中心隙間高さと第２の中心隙間高さは異なるものである。第１の中心隙間高さは、第２の中心隙間高さよりも大きくする、または第２の中心隙間高さよりも小さくすることができる。
【０３７６】
本発明の開示により提供される動的コンタクトレンズは、周辺後面と周辺前面とを備えた周辺部分であって、周辺後面が周辺後面ベース曲率を含む周辺部分と、光学後面と光学前面とを備えた光学部分であって、少なくとも光学後面が周辺ベース曲率から離れて光学前面の方へと隆起する光学部分とを、備えることができる。
【０３７７】
動的コンタクトレンズは、光学後面を備えた光学部分であって、光学後面が光学後面ベース曲率により特徴づけることが可能な光学部分と、動的光学部分につなげられる周辺部分であって、該周辺部分が周辺後面を含み、該周辺後面が周辺後面ベース曲率により特徴づけることが可能な周辺部分とを、備えることができる。
【０３７８】
第１の構成では、光学後面ベース曲率は周辺ベース曲率とほぼ同じ場合があり、第２の構成では、光学後面ベース曲率は周辺ベース曲率から逸脱する場合がある。第２の構成では、光学後面ベース曲率は周辺ベース曲率よりも小さくすることができる。
【０３７９】
動的コンタクトレンズは、光学後面を備えた光学部分を備えることができ、光学後面は光学後面ベース曲率を含む。
【０３８０】
第１の構成では、光学後面ベース曲率は角膜曲率とほぼ同じ場合があり、第２の構成では、光学後面ベース曲率は角膜曲率から逸脱する場合がある。第２の構成では、光学後面ベース曲率は角膜曲率よりも小さくすることができる。
【０３８１】
動的コンタクトレンズは、周辺後面を備えた周辺部分であって、周辺後面が周辺ベース曲率により特徴付けることができる周辺部分と、前記周辺部につなげられる光学部分であって、該光学部分が、角膜に適用されたときに、周辺ベース曲率、または光学部分に隣接する傍周辺ベース曲率に対する中心厚み、中心矢状高さ、隙間高さを含む光学部分とを、備えることができる。
【０３８２】
光学部分は、周辺ベース曲率に対する第１の中心隙間高さを特徴とする第１の構成を呈するように構成することができ、かつ、周辺ベース曲率に対する第２の隙間高さを特徴とする第２の構成を呈するように構成することができる。
【０３８３】
第１の中心隙間高さと第２の中心隙間高さは異なる場合がある。
【０３８４】
第１の構成と第２の構成は準安定の場合がある。
【０３８５】
動的コンタクトレンズは、後面を備えた光学部分を備えることができ、後面は光学後面ベース曲率を含む。
【０３８６】
第１の構成では、光学部分の後面は第１のベース曲率により特徴づけることができ、第２の構成では、光学部分の後面は第２のベース曲率により特徴づけることができる。
【０３８７】
第１の構成は、角膜を有する眼に第１の光強度をもたらすように構成することができ、第２の構成は、眼に第２の光強度をもたらすように構成することができる。
【０３８８】
第１のベース曲率は角膜曲率とほぼ同じ場合がある。
【０３８９】
動的コンタクトレンズはさらに、第１の構成と第２の構成との変化を誘導するように構成された突出部などの少なくとも１つの第１の特徴と、第２の構成と第１の構成との変化を誘導するように構成された少なくとも１つの第２の機構とを備えることができる。
【０３９０】
本発明の開示により提供される動的コンタクトレンズでは、光学部分はドーム形状とし、かつ断面を円形にすることができる。
【０３９１】
本発明の開示により提供される動的コンタクトレンズは、光学部分であって、製造時の光学部分が矢状高さと中心厚みを有し、中心厚みが矢状高さよりも小さい光学部分と、光学部分につなげられる周辺部分であって、角膜上で動的コンタクトレンズを保持するように構成される周辺部分とを、備えることができる。図１を参照すると、矢状高さは、光学部分にわたる周辺部分の曲率の伸長と、光学部分の中心軸における光学部分の後面との間の距離である。
【０３９２】
光学部分は、矢状高さ、中心厚み、半径方向厚み、後面形状、前面形状、直径、球形形状、後面の曲率半径、および前面の曲率半径により特徴づけることができる。
【０３９３】
光学部分の製造時の矢状高さは、少なくとも約５μｍ、１０μｍ、１５μｍ、２０μｍ、２５μｍ、３０μｍ、３５μｍ、４０μｍ、４５μｍ、５０μｍ、５５μｍ、６０μｍ、６５μｍ、７０μｍ、７５μｍ、８０μｍ、８５μｍ、９０μｍ、９５μｍ、１００μｍ、１０５μｍ、１１０μｍ、１１５μｍ、１２０μｍ、１２５μｍ、１３０μｍ、１３５μｍ、１４０μｍ、１４５μｍ、１５０μｍ、１５５μｍ、１６０μｍ、１６５μｍ、１７０μｍ、１７５μｍ、１８０μｍ、１８５μｍ、１９０μｍ、１９５μｍ、２００μｍ、２０５μｍ、２１０μｍ、２１５μｍ、２２０μｍ、２２５μｍ、２３０μｍ、２３５μｍ、２４０μｍ、２４５μｍ、２５０μｍ、またはそれ以上であってもよい。光学部分の製造時の矢状高さは、多くとも約２５０μｍ、２４５μｍ、２４０μｍ、２３５μｍ、２３０μｍ、２２５μｍ、２２０μｍ、２１５μｍ、２１０μｍ、２０５μｍ、２００μｍ、１９５μｍ、１９０μｍ、１８５μｍ、１８０μｍ、１７５μｍ、１７０μｍ、１６５μｍ、１６０μｍ、１５５μｍ、１５０μｍ、１４５μｍ、１４０μｍ、１３５μｍ、１３０μｍ、１２５μｍ、１２０μｍ、１１５μｍ、１１０μｍ、１０５μｍ、１００μｍ、９５μｍ、９０μｍ、８５μｍ、８０μｍ、７５μｍ、７０μｍ、６５μｍ、６０μｍ、５５μｍ、５０μｍ、４５μｍ、４０μｍ、３５μｍ、３０μｍ、２５μｍ、２０μｍ、１５μｍ、１０μｍ、５μｍ、またはそれ以下であってもよい。光学部分の製造時の矢状高さは、先述の値のいずれか２つにより規定される範囲内にあってもよい。光学部分の製造時の矢状高さ（図１の（１１０））は、例えば５μｍ〜３００μｍ、１０μｍ〜２５０μｍ、１５μｍ〜２００μｍ、２０μｍ〜１５０μｍ、３０μｍ〜１２５μｍ、または４０μｍ〜１００μｍの範囲内の場合がある。
【０３９４】
非適合構成では、隙間高さは、少なくとも約５μｍ、１０μｍ、１５μｍ、２０μｍ、２５μｍ、３０μｍ、３５μｍ、４０μｍ、４５μｍ、５０μｍ、５５μｍ、６０μｍ、６５μｍ、７０μｍ、７５μｍ、８０μｍ、８５μｍ、９０μｍ、９５μｍ、１００μｍ、１０５μｍ、１１０μｍ、１１５μｍ、１２０μｍ、１２５μｍ、１３０μｍ、１３５μｍ、１４０μｍ、１４５μｍ、１５０μｍ、１５５μｍ、１６０μｍ、１６５μｍ、１７０μｍ、１７５μｍ、１８０μｍ、１８５μｍ、１９０μｍ、１９５μｍ、２００μｍ、２０５μｍ、２１０μｍ、２１５μｍ、２２０μｍ、２２５μｍ、２３０μｍ、２３５μｍ、２４０μｍ、２４５μｍ、２５０μｍ、またはそれ以上であってもよい。非適合構成では、光学部分の隙間高さは、多くとも約２５０μｍ、２４５μｍ、２４０μｍ、２３５μｍ、２３０μｍ、２２５μｍ、２２０μｍ、２１５μｍ、２１０μｍ、２０５μｍ、２００μｍ、１９５μｍ、１９０μｍ、１８５μｍ、１８０μｍ、１７５μｍ、１７０μｍ、１６５μｍ、１６０μｍ、１５５μｍ、１５０μｍ、１４５μｍ、１４０μｍ、１３５μｍ、１３０μｍ、１２５μｍ、１２０μｍ、１１５μｍ、１１０μｍ、１０５μｍ、１００μｍ、９５μｍ、９０μｍ、８５μｍ、８０μｍ、７５μｍ、７０μｍ、６５μｍ、６０μｍ、５５μｍ、５０μｍ、４５μｍ、４０μｍ、３５μｍ、３０μｍ、２５μｍ、２０μｍ、１５μｍ、１０μｍ、５μｍ、またはそれ以下であってもよい。非適合構成では、隙間高さは、先述の値のいずれか２つにより規定される範囲内にあってもよい。非適合構成では、隙間高さ（図１の（１１０））は、例えば５μｍ〜３００μｍ、１０μｍ〜２５０μｍ、１５μｍ〜２００μｍ、２０μｍ〜１５０μｍ、３０μｍ〜１２５μｍ、または４０μｍ〜１００μｍの範囲内の場合がある。
【０３９５】
動的コンタクトレンズの中心厚みは、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上であってもよい。動的コンタクトレンズの中心厚みは、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下であってもよい。動的コンタクトレンズの中心厚みは、前述の値のいずれか２つにより規定される範囲内にあってもよい。動的コンタクトレンズの中心厚み（図１の（１１２））は、例えば１０μｍ〜６００μｍ、２０μｍ〜６００μｍ、３０μｍ〜６００μｍ、４０μｍ〜５００μｍ、５０μｍ〜４００μｍ、１００μｍ〜３００μｍ、１５０μｍ〜２００μｍ、５０μｍ〜１００μｍ、１００μｍ〜１５０μｍ、１５０μｍ〜２００μｍ、２００μｍ〜２５０μｍ、または２５０μｍ〜３００μｍの範囲内の場合がある。
【０３９６】
光学部分は、少なくとも約０．５ｍｍ、１ｍｍ、１．５ｍｍ、２ｍｍ、２．５ｍｍ、３ｍｍ、３．５ｍｍ、４ｍｍ、４．５ｍｍ、５ｍｍ、５．５ｍｍ、６ｍｍ、６．５ｍｍ、７ｍｍ、７．５ｍｍ、８ｍｍ、８．５ｍｍ、９ｍｍ、９．５ｍｍ、１０ｍｍ、またはそれ以上の直径により特徴づけられてもよい。光学部分は、多くとも約１０ｍｍ、９．５ｍｍ、９ｍｍ、８．５ｍｍ、８ｍｍ、７．５ｍｍ、７ｍｍ、６．５ｍｍ、６ｍｍ、５．５ｍｍ、５ｍｍ、４．５ｍｍ、４ｍｍ、３．５ｍｍ、３ｍｍ、２．５ｍｍ、２ｍｍ、１．５ｍｍ、１ｍｍ、０．５ｍｍ、またはそれ以下の直径により特徴づけられてもよい。光学部分は、前述の値のいずれか２つにより規定される範囲内にある直径により特徴づけられてもよい。光学部分（図１の（１１５））は、例えば１ｍｍ〜７ｍｍ、１．５ｍｍ〜６ｍｍ、１．５ｍｍ〜５ｍｍ、２ｍｍ〜５ｍｍ、２ｍｍ〜４ｍｍ、または２．５ｍｍ〜３．５ｍｍの範囲内の直径により特徴付けることができる。
【０３９７】
移行部は、少なくとも約１０μｍ、２０μｍ、３０μｍ、４０μｍ、５０μｍ、６０μｍ、７０μｍ、８０μｍ、９０μｍ、１００μｍ、２００μｍ、３００μｍ、４００μｍ、５００μｍ、６００μｍ、７００μｍ、８００μｍ、９００μｍ、１，０００μｍ、またはそれ以上の厚みであってもよい。移行部は、多くとも約１，０００μｍ、９００μｍ、８００μｍ、７００μｍ、６００μｍ、５００μｍ、４００μｍ、３００μｍ、２００μｍ、１００μｍ、９０μｍ、８０μｍ、７０μｍ、６０μｍ、５０μｍ、４０μｍ、３０μｍ、２０μｍ、１０μｍ、またはそれ以下の厚みであってもよい。移行部は、先述の値のいずれか２つにより規定される範囲内にある厚みであってもよい。移行部（図１の（１０８））は、例えば１０μｍ〜６００μｍ、２０μｍ〜６００μｍ、３０μｍ〜６００μｍ、４０μｍ〜５００μｍ、５０μｍ〜４００μｍ、１００μｍ〜３００μｍ、１５０μｍ〜２００μｍ、５０μｍ〜１００μｍ、１００μｍ〜１５０μｍ、１５０μｍ〜２００μｍ、２００μｍ〜２５０μｍ、または２５０μｍ〜３００μｍの範囲内にある厚みの場合がある。
【０３９８】
光学部分は球形形状を呈することができ、後面および／または前面の曲率半径は、例えば５ｍｍ〜１０ｍｍ、４ｍｍ〜９ｍｍ、３ｍｍ〜８ｍｍ、５ｍｍ〜６ｍｍ、６ｍｍ〜７ｍｍ、７ｍｍ〜８ｍｍ、８ｍｍ〜９ｍｍ、９ｍｍ〜１０ｍｍ、または１０ｍｍ〜１１ｍｍの範囲内の場合がある。
【０３９９】
動的コンタクトレンズの光学部分は、後面と前面を備えることができる。
【０４００】
製造されると、後面と前面とを備えた光学部分の形状は、光学部分が後方から前方へと延在して周辺ベース曲率の形状から離れる、外側に隆起した形状またはドーム形状を呈することができる。
【０４０１】
本発明の開示により提供される動的コンタクトレンズでは、光学部分は、２つ以上の構成の各々が角膜の表面に適合しない２つ以上の構成を呈するように構成することができる。ゆえに動的コンタクトレンズは、光学部分であって、該光学部分は、角膜を有する眼に第１の光強度を提供するよう構成された少なくとも１つの第１の非適合構成と、眼に第２の光強度を提供するよう構成された少なくとも１つの第２の非適合構成とを備えており、前記第２の光強度は第１の光強度と異なるものである、光学部分と、第１の非適合構成と少なくとも１つの第２の非適合構成との間に変化をもたらすよう構成された少なくとも１つの第１の物理特徴と、少なくとも１つの第２の非適合構成と少なくとも１つの第１の適合構成との間に変化をもたらすよう構成された少なくとも１つの第２の物理特徴とを備えることができる。
【０４０２】
光学涙体の体積は、例えば０．００１μｌ〜０．０１μｌ、０．００１μｌ〜０．１μｌ、０．０１μｌ〜１０μｌ、０．０２μｌ〜８μｌ、０．０５μｌ〜７μｌ、０．１μｌ〜６μｌ、０．１μｌ〜５μｌ、０．５μｌ〜４μｌ、または１μｌ〜３μｌの範囲内の場合がある。
【０４０３】
周辺部分は、例えば８ｍｍ〜１７ｍｍ、８．５ｍｍ〜１６．５ｍｍ、９ｍｍ〜１６ｍｍ、または９．５ｍｍ〜１５．５ｍｍの範囲内の直径の場合がある。
【０４０４】
周辺部分は、ベース曲率、すなわち、例えば７ｍｍ〜１０ｍｍ、７．２ｍｍ〜９．８ｍｍ、７．４ｍｍ〜９．６ｍｍ、７．６ｍｍ〜９．４ｍｍ、７．８ｍｍ〜９．２ｍｍ、または８ｍｍ〜９ｍｍの範囲内の前面曲率により特徴づけることができる。
【０４０５】
本発明の開示により提供される特定の動的コンタクトレンズでは、光学部分は、眼に適用されたときに構成間の動的変化を容易にするように構成することができる。例えば光学部分は、眼瞼との動的接触が誘導される間、または、例えば注視角の変化、正常なまばたき、意図的なまばたき、眼瞼を閉じたままにすること、あるいは眼に対して眼瞼を圧搾することによりレンズ特徴の１つが涙液メニスカスと相互作用するときに、構成を変化させることができる。
【０４０６】
光学部分の後面と前面は独立して、球形形状または非球形形状を呈することができる。例えば、光学部分の厚みは、形状全体にわたりほぼ一定とすることができ、移行部よりも中心に向かうにつれて薄くすることができ、または、移行部よりも中心に向かうにつれて厚くすることができる。
【０４０７】
動的コンタクトレンズは、第１の曲率半径を特徴とする後面を備えた光学部分と、少なくとも１つの第２の曲率半径を特徴とする周辺部分とを備えており、第１の曲率半径は第２の曲率半径よりも小さい。言い換えれば、光学部は周辺ベース曲率から前方に延びている。
【０４０８】
動的コンタクトレンズの光学部分は厚みを備える。この光学部分の厚みは、光学部分の物理中心における光学部分の厚みを指す中心厚みと、光学部分の区画を中心から光学部分と周辺部分との移行部にまで広げる複数の半径方向厚みとを備えることができる。
【０４０９】
光学部分の厚みは、形状全体にわたりほぼ均一な場合がある。あるレンズでは、厚みは形状全体にわたり変動する、または不均一な場合がある。例えば中心の厚みは、複数の半径方向厚みの各々よりも大きくすることができる。光学部分の厚みは、光学部分の中心軸まわりで半径方向に対称的とすることができる。
【０４１０】
光学部分の厚みは、形状全体にわたり均一でなくてもよい。厚みは、周辺と比較した場合に中心に向かうにつれて厚くするか、または中心に向かうにつれて薄くすることができる。光学部分の厚みはさらに、形状全体にわたり変動する場合がある。
【０４１１】
光学部分同士は、動的コンタクトレンズの光軸と整合させることができる。動的コンタクトレンズの光軸はレンズの中心軸を指す。いくつかの実施形態では、光学部分はコンタクトレンズの中心軸と整合されない。
【０４１２】
光学領域は、例えば１ｍｍ〜８ｍｍ、２ｍｍ〜７ｍｍ、または３ｍｍ〜６ｍｍの範囲内の直径により特徴づけることができる。
【０４１３】
本発明の開示により提供される動的コンタクトレンズの光学部分と周辺部分は、シリコーン、ヒドロゲル、またはシリコーンヒドロゲルを含むことができる。任意の適切なソフトコンタクトレンズ材料を使用することができる。
【０４１４】
動的コンタクトレンズの光学部分と周辺部分は、同じ材料を含むことができる。光学部分と周辺部分は、例えば異なる物理特性および／または機械特性により特徴づけられる様々な材料を含むことができる。光学部分と周辺部分は、異なる弾性率を有する材料により特徴づけることができ、これらの部分は異なる剛性を呈することができる。
【０４１５】
光学部分と周辺部分はさらに剛性により特徴づけることができる。この断面剛性は、断面厚みの三乗の材料弾性率に比例する。認識できるように、周辺部分が１つの材料を含むとき、厚みが周辺部分の縁部から光学部分を伴う移行部に向かうにつれて厚くなるにつれ、断面剛性が増大する。
【０４１６】
本発明の開示により提供される動的コンタクトレンズは、変形可能な光学部分と、該変形可能な光学部分につなげられる周辺部分とを備えることができる。光学部分は、視野の深さに適合するべく変形するように構成することができる。周辺部分は、動的コンタクトレンズを角膜上で保持するように構成することができる。
【０４１７】
眼に適用されると、光学部分の後面と角膜の前面との間のレンズ体は、涙液で満たされて涙体を形成することができる。動的コンタクトレンズでは、光学部分は、視野の距離に応じて形状を変えるように構成される。光学部分の構成変化により涙体が得られる。光学部分の構成は継続的に変化するか、または離散的な構成を呈することができる。光学部分を有する動的コンタクトレンズは、周辺部分の曲率から外側に（後方から前方まで）延在するドーム形状で製造することができることを理解されたい。また、外側に延在するドーム状に製造されたレンズがユーザーにより装着されると、このドームは、製造時の状態よりも外側に延在可能であることも理解されたい。すなわち、角膜に適用されると動的コンタクトレンズは外側に延在することができる。
【０４１８】
第１と第２の構成は、光学前面により付与される様々な光強度に対応する。第１の構成は遠見視力に適しており、第２の構成は近見視力に適している場合がある。第１の構成は近見視力に適しており、第２の構成は遠見視力に適している場合がある。
【０４１９】
光学部分の目的は、眼の視距離に応じて光学部分の光強度の変化を容易にすることである。例えば、遠見視力に適した第１の構成では、光学部分は角膜前面に近接して配置され、近見視力では、光学部分は角膜から離れて延在することで涙体を形成する。
【０４２０】
動的コンタクトレンズでは、光学部分の光強度は、光学部分の構成が変化したときに変化しない。例えば、光学部分の厚み、および動的光学部分の後面と前面の相対的断面形状は、光学部分が異なる構成を呈したときに変化しない。それゆえ、レンズ自体の光強度は変化しない（すなわち、前方曲率と後方曲率との関係、屈折率は一定のままである）。周辺部分の形状は、光学部分の構成が変化しても明らかに変化しない。周辺部分は、動的コンタクトレンズを角膜上に保持し、動的コンタクトレンズを角膜の光学領域の中心に維持し、角膜上での動的コンタクトレンズの並進運動を最小限にするように構成することができる。例えば、角膜上での動的コンタクトレンズの並進運動は、±１．５ｍｍ未満、±１．０ｍｍ未満、または±０．５ｍｍ未満の場合がある。
【０４２１】
異なる構成では、光学部分の中心厚みと光学部分の半径方向厚みは、明らかに変化しない場合がある。例えば光学部分は複数の半径方向の厚みを含む場合があり、第１の構成における複数の半径方向厚みは、第２の構成における対応する半径方向厚みとほぼ同じである。
【０４２２】
変化する構成を伴う光学部分の均一な形状も、曲率の観点から考慮することができる。ある動的コンタクトレンズでは、光学部分は光強度を有しておらず、光学部分の後面と前面は同じ曲率半径を特徴とする球形形状を呈する。曲率半径は、光学部分の直径、光学部分との移行部における周辺部分の厚み、および隙間高さにより定めることができる。
【０４２３】
ある動的コンタクトレンズでは、光学部分は第１の曲率半径を含む後面を備えることができ、前記光学部分は第２の曲率半径を含む前面を備えることができ、第１の構成における第１の曲率半径と第２の曲率半径との比は、少なくとも１つの第２の構成における比と同じである。
【０４２４】
ある動的コンタクトレンズでは、光学部分は、複数の半径方向厚みにより特徴づけることができ、複数の半径方向厚みの各々は、光学部分にアクセス可能な隙間高さの範囲全体にわたってほぼ同じである。
【０４２５】
光学部分の構成は、眼瞼により動的コンタクトレンズにかけられる力の印加に応じて変化するように構成することができる。この力は、周辺部分、周辺部分の領域、および／または光学部分にかけることができる。
【０４２６】
涙液メニスカスも主要な涙液源として機能することができ、涙体の活性化の原動力として作用することができる。例えば、近接視および／または下方注視の間、レンズ孔は涙液メニスカスに流体結合されるようになり、涙液源は、光学涙体を満たして涙体が形成された後に光学領域が近視構成へと移行するために利用可能となる場合がある。
【０４２７】
それゆえ、動的コンタクトレンズは、一次注視の間に涙液メニスカスと光学部分との間に流体結合が生じないように構成することができ、一方で下方注視の間に、レンズ孔および／または他の流体輸送要素が下方に移動して涙液メニスカスと流体結合されるように構成することができる。レンズ孔、および後面溝部、前面溝部、および／またはへこみ部などの他の要素、ならびにレンズの光学部分に対して特異的な寸法、毛管力や毛管弁力などの受動力、光学部分により生成されるポンピング力などの能動力を用いると、涙液は、涙液メニスカスから光学涙体に流れて涙体を作り出すことができる。
【０４２８】
眼瞼力は、遠視では前方注視などの注視角度を変化させることにより、または近視では下方注視により適用することができる。眼瞼力は、正常なまばたき、または意図的なまばたきにより適用することができる。意図的なまばたきは、眼瞼を一定期間にわたり閉じたままにすること、閉じた眼瞼を一定期間にわたり圧搾すること、および／または前述のいずれかを複数回繰り返すことを含む場合がある。
【０４２９】
眼瞼力は、光学部分を１つの構成から別の構成へ移行させるために、および／または１つの構成から別の構成への移行を加速させるために使用することができる。
【０４３０】
眼瞼によりかけられる力により生じる光学部分の構成変化に応じて、光学前面の光強度が変化する場合がある。
【０４３１】
製造時、動的コンタクトレンズの光学部分は、動的コンタクトレンズの周辺部分の拡張形状に対してドームを形成するよう前方に延在する。
【０４３２】
光学部分が角膜の前面に近接している構成では、光学部分は、接着力と凝集毛管力との組み合わせによりこの準安定構成で保持することができる。涙膜の層が薄くなるにつれて、光学部分の後面と角膜の前面との間の接着力は、涙液の凝集力よりも大きくなり、それにより光学部分は、該光学部が角膜の表面にほぼ適合する準安定構成を呈するようになる。
【０４３３】
眼瞼力により誘導される２つ以上の構成間での光学部分の移行は、様々な方法と特徴を用いて容易にすることができる。
【０４３４】
ある方法では、光学部分を角膜に対して保持する毛管力は、２つの表面間での分離を増加させることにより壊すことができる。これは例えば、表面間に涙液を押し込むことで接着力を低下させ、光学部分の後面を解放させることにより達成することができる。構造に応じて、解放時に光学部分は完全に拡大されたドーム状構成を呈することができ、涙液は、周辺部分の後面と角膜との間の移行部から引き出されて涙体を自身で満たすことができる。代替的に、または組み合わせにおいて、涙体の中および／または外への涙液の移動を容易にするために、繰り返しまばたきをすることができる。まばたきは意図的なまばたきを含む場合があり、これによりユーザーは、光学部分を完全に拡大させることなく望ましい視力矯正を達成することができる。
【０４３５】
ある方法では、光学部分の構成、したがって光学前面の光強度を変化させるために、眼瞼により周辺部分に摩擦力を付与することができる。このような方法では、眼瞼は周辺部分をつかみ、動的コンタクトレンズを中心に向かって物理的に圧搾することで、角膜に対して光学部分を保持する毛管力を克服するほどの力を付与し、それにより光学部分の後面を解放して涙体をもたらすことができる。眼瞼が機械力を付与できるのを容易にするために使用可能な物理レンズ特徴の例として、動的コンタクトレンズの周辺部分の前面上の隆起部などの突出部、周辺部分の肥大化、周辺部分の縁部と結膜との間の摩擦を増大させる特徴、周辺部における複数の曲率の使用が挙げられる。
【０４３６】
拡張構成における光学部分は、意図的なまばたきにより角膜表面に対してもたらすことができる。
【０４３７】
上記の方法に加えて、またはその代わりとして、光学部分の構成の変化は、涙液貯蔵部の中と外への涙液の流れを操作することにより容易にすることができる。
【０４３８】
本発明の開示により提供される動的コンタクトレンズは、周辺部分の後面に配置された複数の空洞を備えることができる。空洞は、視力に干渉しないようにレンズの光学領域外にあることが望ましい場合がある。
周辺部分の後面が１つ以上の空洞を含むように、動的コンタクトレンズを製造することができる。
【０４３９】
１つ以上の空洞は、動的コンタクトレンズが角膜に適用されるときに１つ以上の涙液貯蔵部を設けるように構成することができる。
【０４４０】
１つ以上の空洞は、動的コンタクトレンズが角膜に適用されるときに１つ以上の圧迫可能な涙液貯蔵部を設けるように構成することができる。空洞と周辺部の前面との間の周辺部分の厚みは、眼瞼によりかけられる力が空洞を圧迫できるほどの薄さにすることができる。眼瞼力は、まばたき、意図的なまばたき、または空洞上を移動する眼瞼の動きにより付与することができる。
【０４４１】
空洞は、２つ以上の構成間の光学部分の移行を容易にする任意の適切な方法で配置かつ構成することができる。
【０４４２】
例えば１つ以上の空洞は、光学部分まわりに対称的に配置することができる。１つ以上の空洞は、光学部分まわりに非対称的に配置することができる。
【０４４３】
１つ以上の空洞は、１つ以上の同心円状リング、１つ以上の溝部、１つ以上のくさび形空洞、および／または１つ以上の円形空洞を備えることができる。
【０４４４】
空洞は、光学部分の周りで連続している、または複数の別個の空洞を備える場合がある。空洞は、長軸がレンズの中心に向く長円形やくさび形などのように細長くすることができる。別個の空洞は、溝部と流体結合されることで、空洞間および／または空洞と光学部分との間の涙液の充填と流れを容易にすることができる。
【０４４５】
例えば別個の空洞は、幅０．１ｍｍ〜５ｍｍの範囲内、長さ０．１ｍｍ〜５ｍｍの範囲内、深さ１０μｍ〜２００μｍの範囲内の場合がある。
【０４４６】
空洞は、連続的、半連続的、または分離される場合がある。連続空洞とは、光学部分の周囲に配置される１つの空洞を指す。連続空洞の一例は、同心円リングまたは複数の同心円リングである。同心円リングは、任意の適切な断面形状を呈することができる。例えば断面形状は、円形、楕円形、正方形、長方形、三角形、および／または山形の場合がある。複数の同心円リングは、１つ以上の流体溝部と流体結合することができる。
【０４４７】
分離された流体空洞の一例は、動的コンタクトレンズの光学部分の周りに配置される複数の空洞である。複数の空洞は、４５°分離するなどして光学部分の周りに対称的に配置することができ、または光学部分の周りに間隔を置いて配置することができる。例えば空洞の集まりは、光学部分の周りに、例えば１２０°、９０°、６０°、４５°、あるいは３０°の間隔で、または他の適切な間隔で配置することができる。分離された空洞は、任意の適切な寸法と断面形状を呈することができる。例えば分離された空洞は、半球形または三角形の断面形状を呈することができる。空洞は、楕円形、長円形、円筒形、円形、または他の任意の適切な断面形状の場合がある。空洞は対称であるか、または幅とは異なる長さにより特徴づけることができる。
【０４４８】
１つ以上の空洞は、光学部分から例えば０．５ｍｍ〜５．５ｍｍ、１ｍｍ〜５ｍｍ、１．５ｍｍ〜４．５ｍｍ、または２ｍｍ〜４ｍｍの範囲などの一定の距離に配置することができる。空洞は、例えば０．５ｍｍ〜３ｍｍ、１ｍｍ〜３ｍｍ、または１ｍｍ〜２ｍｍの範囲内にある寸法の場合がある。１つ以上の空洞は独立して、動的コンタクトレンズの前面から例えば１０μｍ〜５００μｍ、５０μｍ〜４５０μｍ、１００μｍ〜４００μｍ、または１５０μｍ〜３５０μｍの高さを有する場合がある。１つ以上の空洞は独立して、楕円形、腎臓形、ドーム形、長円形などの任意の適切な断面形状を呈することができ、側部は異なる斜面を有する場合がある。
【０４４９】
半連続空洞は、動的コンタクトレンズの後面に形成される溝部と流体結合される、分離された空洞を指す。この溝部により、涙液を隣接涙液貯蔵部間に流すことができる。
【０４５０】
角膜に配置されると、空洞は涙液で満たされ、涙液貯蔵部を形成することができる。
【０４５１】
眼瞼の動作、または注視角度の変化を伴う眼瞼との動的接触により圧迫されると、涙液は動的コンタクトレンズの光学部分に向かって押し込まれ、光学部分を角膜に対して保持する毛管力を壊す、および／またはＳＡＧ高さを増大させることができる。涙液貯蔵部は、涙体を満たすための涙液源を提供し、それにより、ある構成から別の構成への変化においてより速い応答を容易にすることができる。
【０４５２】
眼瞼圧力が除去されると、貯蔵部は膨張し、貯蔵部を涙液で満たすために涙液を涙体から引っ張るように作用し、効果的に光学部分を角膜の方に引き寄せることができる。空洞、および結果として生じる涙液貯蔵部は、涙液を涙体間で押し引きする役割を果たすことができる。空洞は、準安定配置間の光学部分の移行を容易にするために動的コンタクトレンズの内部機械特性を改質するのに役立つ場合がある。
【０４５３】
光学部分の周りに空洞と涙液貯蔵部を対称的に配置することで、動的コンタクトレンズの機能を眼の向きと独立させることができる。動的コンタクトレンズを回転可能に対称的とすることで、ユーザーは容易に動的コンタクトレンズを装着できるようになる。
【０４５４】
このように、ある構成から別の構成への光学部分の移行を容易にする圧迫可能な空洞を押す／引く行為は、構成を変化させるための唯一の機構として役立つか、または意図的なまばたきにより増強させることができる。例えば、意図的なまばたきは、例えば、涙液を排出すること、または光学部分と角膜との間の涙液層を薄くすることにより、光学部分が角膜表面に近接している構成を安定化させるのに役立つ場合がある。
【０４５５】
本発明の開示により提供される動的コンタクトレンズは、光学部分を有するが、構成間を移行するための機構を備えていない場合がある。動的コンタクトレンズは、光学部分が周辺部分の後面ベース曲率から前方に隆起する、製造時の形状を呈することができる。角膜に適用されると、光学部分は涙体を形成する。しかし、涙体とは異なり本実施形態では、動的コンタクトレンズは、レンズ上の眼瞼圧の変化に伴って構成を変化させない涙体を生成する場合がある。コンタクトレンズのある実施形態では、光学部分は変形に抵抗するように構成することができる。適合構成と１つ以上の適合構成、または複数の非適合構成を呈するように構成された光学部分を有するコンタクトレンズを参照すると、静的涙体を有するコンタクトレンズは、角膜に配したときに１つの非適合構成を呈することになる。静的涙体を有するように構成されたレンズのコンタクトレンズ、光学部分、および周辺部分は、光学部分が複数構成を呈するように構成されたコンタクトレンズのように寸法を調整することができる。静的涙体を有するコンタクトレンズは、不規則な角膜の視力矯正、乱視の治療、および角膜創傷治癒に適している場合がある。
【０４５６】
本発明の開示により提供される動的コンタクトレンズは、１つ以上のレンズ孔を備えることができる。
【０４５７】
１つ以上のレンズ孔は、視力に干渉しないようにレンズの周辺部分と光学領域外に配置することができる。
【０４５８】
１つ以上のレンズ孔は、周辺部分の厚みにわたり延在することができ、周辺部分の前面と後面を流体結合することができる。レンズ孔は、涙液を上皮に隣接する涙膜へ流すのを容易にし、レンズ構成に応じて涙体の中と外への涙液の流れを容易にし、および／または眼の健康を促進するために上皮に沿った涙液交換を容易にすることができる。
【０４５９】
１つ以上のレンズ孔は、１つ以上の空洞に流体結合することができる。レンズ孔は、涙液が動的コンタクトレンズの前面から１つ以上の空洞に流れるのを可能にすることができ、これにより異なる構成間での光学部分の移行を容易にすることができる。
【０４６０】
レンズ孔は、動的コンタクトレンズの後面溝部に流体結合することができる。後面溝部は、レンズの周辺領域から光学部分まで延在することができる。溝部はさらに、動的コンタクトレンズの光学部分に流体結合される場合もあればされない場合もある、流体空洞を流体結合することもできる。
【０４６１】
涙液メニスカスは涙体との交換のための涙液源である。
【０４６２】
涙液メニスカスは、１つ以上のレンズ孔を上部および／または下部の涙液メニスカスと流体結合させることによりアクセス可能となる。
【０４６３】
直径２５μｍ〜５００μｍのレンズ孔は比較的小さなものであり、レンズ孔の開口部を浅い涙液メニスカスと接触させることは困難な場合がある。レンズ孔が涙液メニスカスと流体結合できるのを容易にするために、レンズ孔の前面開口部は、動的コンタクトレンズの前面のへこみ部または空洞内に配置することができる。へこみ部はレンズ孔開窓の直径よりも大きく、このへこみ部により、レンズ孔の前面開口部が涙液メニスカスに流体結合できるのを容易にすることができる。へこみ部は、例えば１ｍｍ〜３ｍｍなどの０．５ｍｍ〜４ｍｍの直径の場合がある。へこみ部は、例えば３μｍ〜１５０μｍの深さの場合がある。へこみ部は、例えば円形、楕円形、スリット、長円形などの任意の適切な断面形状を呈することができ、または不規則な輪郭を呈することができる。へこみ部の縁部は、レンズ孔への流体結合を容易にするため、および／あるいは快適性を向上させるために、滑らかにするか、または面取りすることができる。
【０４６４】
例えば図１５Ａ〜１５Ｈは、移行部近傍の第２の周辺部分に配置されるへこみ部と、該へこみ部内のレンズ孔とを有する動的コンタクトレンズの図を示す。図１５Ａと１５Ｂは、それぞれ動的コンタクトレンズの前面図と断面図を示す。図１５Ａと１５Ｂに示す動的コンタクトレンズは、第１の周辺部分（１５０１）と、第２の周辺部分（１５０２）と、光学部分（１５０３）と、移行部（１５０６）と、へこみ部（１５０７）内のレンズ孔（１５０４）と、後面溝部（１５０５）とを備えている。図１５Ｃは、へこみ部（１５０７）とレンズ孔（１５０４）を示す拡大断面図であり、これらはコンタクトレンズの後面において溝部（１５０５）につなげられている。図１５Ｃは、後面溝部（１５０５）につなげた、周辺部分（１５０２）におけるへこみ部（１５０７）とレンズ孔（１５０４）を示す。図１５Ｄは図１５Ｃに示す要素の拡大平面図を示しており、周辺後面（１５０２）、へこみ部（１５０７）、およびレンズ孔（１５０４）が備わっている。図１５Ｅは、第１の周辺部分（１５０１）と、第２の周辺部分（１５０２）と、光学部分（１５０３）と、レンズ孔（１５０４）を伴うへこみ部（１５０７）とを備えた、ダイナミックコンタクトレンズの後面図を示す。図１５Ｆは、図１５Ｅに示す動的コンタクトレンズの前面を示しており、第１の周辺部分（１５０１）と、第２の周辺部分（１５０２）と、光学部分（１５０３）と、レンズ孔（１５０４）を伴うへこみ部（１５０７）とを備えている。図１５Ｄと１５Ｆに示すように、へこみ部とレンズ孔は、移行部（１５０６）と光学部分（１５０３）に近接して位置付けられる。図１５Ｇは、第１の周辺部分（１５０１）と、第２の周辺部分（１５０２）と、光学部分（１５０３）と、レンズ孔（１５０４）を伴う溝部（１５０５）とを備えた、ダイナミックコンタクトレンズの後面図を示す。溝部（１５０５）は、レンズ孔から光学部分（１５０３）まで延在している。図１５Ｈは、図１５Ｇに示す動的コンタクトレンズの前面を示しており、第１の周辺部分（１５０１）と、第２の周辺部分（１５０２）と、光学部分（１５０３）と、レンズ孔（１５０４）を伴うへこみ部（１５０７）とを備えている。
【０４６５】
代替的に、またはへこみ部に加えて、レンズ孔は、毛管力により涙液メニスカスからレンズ孔に向かいその中へと流体を引き込むように構成された周辺部分の前面にある溝部に流体結合することができる。これらの構造の例を図１６Ａ〜１６Ｃに示す。図１６Ａ〜１６Ｃは、それぞれ動的コンタクトレンズの側面図、斜視図、断面図を示しており、この動的コンタクトレンズは、第１の周辺部分（１６０１）と、第２の周辺部分（１６０２）と、光学部分（１６０３）と、第２の周辺部分（１６０２）の前面におけるへこみ部（１６０４）とを備えており、レンズ（１６０５）はへこみ部（１６０４）の下部にある。図１６Ｂに示すように、後面上では、溝部（１６０６）がレンズ孔（１６０５）につなげられ、第２の周辺部分（１６０２）から光学部分（１６０３）まで延在している。動的コンタクトレンズの断面図を図１６Ｃに示す。図１６Ａ〜１６Ｂに示す要素に加えて、後面溝部（１６０６）が光学部分（１６０３）に向かうにつれて狭くなり、光学涙体（１６０７）に流体結合されていることが認められる。
【０４６６】
涙液メニスカスにアクセスする能力を高めるために、動的コンタクトレンズの物理中心または光学中心からの様々な半径方向距離に位置する複数のレンズ孔を使用することができる。例えば、寸法２５０μｍのレンズ孔は半径方向距離３．５ｍｍに位置付けることができ、寸法３００μｍのレンズ孔は半径方向距離４ｍｍに位置付けることができる。他のレンズ孔寸法、半径方向距離、およびレンズ孔の数を使用してもよい。多数のレンズ孔が、同じまたは異なる経線上にあってもよい。使用される場合、レンズ孔の前面開口部を取り巻くへこみ部は、様々なレンズ孔に対して異なるか、または同じ場合がある。例えば、へこみ部の最大寸法は、例えば１０μｍ〜５ｍｍ、５０μｍ〜４ｍｍ、１００μｍ〜３ｍｍ、２００μｍ〜２ｍｍ、または５００μｍ〜１．５ｍｍの場合がある。へこみ部の深さは、例えば３μｍ〜６００μｍ、１０μｍ〜５００μｍ、１００μｍ〜４００μｍ、または１５０μｍ〜３００μｍの場合がある。へこみ部は例えば、楕円形、円形、長円形、三角形、または長方形などの任意の適切な形状を呈することができる。
【０４６７】
涙液メニスカスに結合させるための複数のレンズ孔の一例を図１７Ａ〜１７Ｄに示す。図１７Ａ〜１７Ｄは、第１の周辺部分（１７０１）と、第２の周辺部分（１７０２）と、光学部分（１７０３）とを有する動的コンタクトレンズを示す。レンズ孔（１７０４）は、光学部分（１７０３）の中心から様々な半径方向距離で光学部分の周りに放射状に配置されている。図１７Ａと１７Ｂはそれぞれ、２４個のレンズ孔が１２個の放射状区画においてそれぞれ２つずつ配置される、動的コンタクトレンズの前面図と後面図を示す。図１７Ｂに示すように、レンズ孔（１７０４）は、第２の周辺部分（１７０２）から光学部分（１７０３）まで延在する後面溝部（１７０５）につなげられている。図１７Ｃと１７Ｄはそれぞれ、３６個のレンズ孔が１２個の放射状区画においてそれぞれ２つずつ配置される、動的コンタクトレンズの前面図と後面図を示しており、レンズ孔（１７０４）は光学部分（１７０３）の中心から様々な半径方向距離に配置されている。図１７Ｄに示すように、レンズ孔の各々は、第２の周辺部分（１７０２）から光学部分（１７０３）まで延在する放射状溝部（１７０５）につなげられている。
【０４６８】
後面溝部と涙液メニスカスとの結合を容易にするために、細長いレンズ孔を使用することができる。細長いレンズ孔は、動的コンタクトレンズの表面とほぼ直行するというよりは、動的コンタクトレンズの表面に対して一定角度で広がっている。細長いレンズ孔の長さは、例えば０．６ｍｍ〜５ｍｍ、０．８ｍｍ〜４ｍｍ、１ｍｍ〜３ｍｍ、または１．５ｍｍ〜２．５ｍｍの場合がある。
【０４６９】
図１８Ａ〜１８Ｃと図１９Ａ〜１９Ｃは、動的コンタクトレンズの周囲から光学部分に向かって放射状に延在するとともにレンズ孔に接続されている前面溝部の例を示しており、前面溝部は後に後面溝部に接続される。涙液メニスカスと接触すると、涙液は、毛管および／または様々な力の組み合わせにより涙液メニスカスから引き抜かれて、前面溝部、レンズ孔、後面溝部を通り、光学涙体に向かうことができる。図１８Ａ〜１８Ｃは、第１の周辺部分（１８０１）、第２の周辺部分（１８０２）、光学部分（１８０３）、半径方向前面溝部（１８０５）、およびレンズ孔（１８０５）を示している。図１８Ｂは、レンズ孔（１８０４）から光学部分（１８０３）まで延在する後面溝部（１８０６）に接続されたレンズ孔（１８０４）を示している。図１８Ｃは、レンズ孔（１８０４）により後面溝部（１８０６）に接続される前面溝部（１８０５）を含む断面図を示す。後面溝部（１８０６）は、光学部分（１８０３）との移行部界面にて狭くなり、前面溝部（１８０５）を光学涙体（１８０７）につなげる。前面チャネル（１８０５）は、下方注視の間など、眼の涙液メニスカスに流体結合するように構成することができる。
【０４７０】
図３２は、周辺部分から光学部分まで延在する前面溝部を示す。前面溝部は、涙液メニスカスへの流体結合を容易にする様々な長さを有する。
【０４７１】
図１９Ａ〜１９Ｃはそれぞれ、動的コンタクトレンズの一例の前面図、後面図、断面図を示している。図１９Ａに示すように、レンズは、第１の周辺部分（１９０１）と、第２の周辺部分（１９０２）と、光学部分（１９０３）と、第２の周辺部分（１９０２）の前面における空洞（１９０４）とを備えており、空洞（１９０４）の各々にはレンズ孔（１９０５）がある。図１９Ｂに示すように後面には、溝部（１９０６）がレンズ孔（１９０５）から光学部分（１９０３）まで延在している。図１９Ｃに示すように、空洞（１９０４）は、レンズ孔（１９０５）と後面溝部（１９０６）により涙体（１９０７）に結合される。前面空洞（１９０４）は、下方注視の間など、眼の涙液メニスカスに流体結合するように構成することができる。
【０４７２】
涙液メニスカスは理論上、光学涙体を満たすのに十分な涙液を提供することができる。
【０４７３】
光学涙体と該涙体の光強度との関係性は、光学部分の直径と予め製造された矢状高さにより算出することができ、これは最大の涙体を表し、表１に示される。表１に示すように、０．１μＬ〜１Ｌの通常体積を有するメニスカス内の涙液は、直径３ｍｍ〜７ｍｍの光学部分に対して、３Ｄまでの視力矯正のための光学涙体を満たすほど十分なものである。
【０４７４】
【表１−１】
2021535432.tif 000003
【０４７５】
【表１−２】
2021535432.tif 000004
【０４７６】
【表１−３】
2021535432.tif 000005
【０４７７】
光学部分の後面、周辺部分の後面、またはその両方は、表面処理を施すことができる。
【０４７８】
表面処理は、光学部分の後面、周辺部分の後面、またはその両方に対する涙液の接着力と凝集力を調節、改質、および／または選択するように構成することができる。
【０４７９】
表面処理は、動的コンタクトレンズの内側後面および／または周辺後面の全体または一部に適用されてもよい。
【０４８０】
空洞を備えた動的コンタクトレンズでは、表面処理は、空洞の壁、および／または空洞から延在する溝部に適用されてもよい。
【０４８１】
表面処理は、例えばコーティング、薄膜、化学処理、プラズマ処理、またはそれらのいずれかの組み合わせを含む場合がある。
【０４８２】
表面処理は、光学部分の後面、周辺部分の後面、またはその両方の疎水性／親水性を改質するように選択することができる。
【０４８３】
表面処理は、光学部分の後面と角膜との間の毛管力を調節および／または調整するために選択することができる。
【０４８４】
表面処理は、光学涙体の中と外への涙液の流れを調節および／または容易にするように選択することができる。
【０４８５】
動的コンタクトレンズの後面は、後面の親水性／疎水性を調節するように選択された材料を含むことができる。後面は、後面の電荷、後面の極性、またはそれらの組み合わせを調節するように選択された材料を含むことができる。
【０４８６】
Ｄｋは、酸素透過性、すなわち、所与の期間と圧力差条件において動的コンタクトレンズなどのデバイスを通過する酸素の量を指す。Ｄｋは１０−１１（ｃｍ／ｓｅｃ）（ｍＬ  Ｏ２）（ｍＬ×ｍｍＨｇ）の単位で表され、バラー（ｂａｒｒｅｒ）とも呼ばれる。酸素透過率はＤｋ／ｔとして表すことができ、ここで、ｔは動的コンタクトレンズなどの構造体の厚みであり、そのためＤｋ／ｔは、所与の期間と圧力差条件において指定された厚みの動的コンタクトレンズを通過する酸素の量を表す。酸素透過率は、バラー／ｃｍまたは１０−９（ｃｍ／ｓｅｃ）（ｍＬ  Ｏ２）（ｍＬ×ｍｍ  Ｈｇ）の単位を有する。
【０４８７】
眼の健康は、酸素透過性を有するレンズ材料により促進される。動的コンタクトレンズの場合、酸素透過性は約８０Ｄｋより大きいことが一般に望ましい。この高い酸素透過性は、高弾性率材料および／またはより厚みのある材料断面に対して得ることが困難な場合がある。
【０４８８】
動的コンタクトレンズの光学部分と周辺部分は、少なくとも約１０Ｄｋ、２０Ｄｋ、３０Ｄｋ、４０Ｄｋ、５０Ｄｋ、６０Ｄｋ、７０Ｄｋ、８０Ｄｋ、９０Ｄｋ、１００Ｄｋ、２００Ｄｋ、３００Ｄｋ、４００Ｄｋ、５００Ｄｋ、またはそれ以上の酸素透過性を特徴とする材料を含んでもよい。動的コンタクトレンズの光学部分と周辺部分は、多くとも約５００Ｄｋ、４００Ｄｋ、３００Ｄｋ、２００Ｄｋ、１００Ｄｋ、９０Ｄｋ、８０Ｄｋ、７０Ｄｋ、６０Ｄｋ、５０Ｄｋ、４０Ｄｋ、３０Ｄｋ、２０Ｄｋ、１０Ｄｋ、またはそれ以下の酸素透過性を特徴とする材料を含んでもよい。動的コンタクトレンズの光学部分と周辺部分は、戦術の値のいずれか２つにより規定される範囲内にある酸素透過性を特徴とする材料を含んでもよい。動的コンタクトレンズの光学部分と周辺部分は、約１０ＤＫ〜約５００Ｄｋ、約５０Ｄｋ〜約４００Ｄｋ、約５０Ｄｋ〜約３００ＤＫ、およびある実施形態では約５０ＤＫ〜約１００Ｄｋの酸素透過性を特徴とする材料を含むことができる。
【０４８９】
動的コンタクトレンズは、イオノポロシティ（ｉｏｎｏｐｏｒｏｓｉｔｙ）が低いシリコーンまたはシリコーンヒドロゲルを含んでもよい。例えば動的コンタクトレンズは、イオン透過性が低いシリコーンヒドロゲルまたはシリコーンを含んでもよく、水の範囲は、Ｄｋが１００×１０−１１以上であるように約５％〜約３５％とすることができる。低イオン透過性は、少なくとも約０．０１×１０−３ｃｍ２／ｓｅｃ、０．０２×１０−３ｃｍ２／ｓｅｃ、０．０３×１０−３ｃｍ２／ｓｅｃ、０．０４×１０−３ｃｍ２／ｓｅｃ、０．０５×１０−３ｃｍ２／ｓｅｃ、０．０６×１０−３ｃｍ２／ｓｅｃ、０．０７×１０−３ｃｍ２／ｓｅｃ、０．０８×１０−３ｃｍ２／ｓｅｃ、０．０９×１０−３ｃｍ２／ｓｅｃ、０．１×１０−３ｃｍ２／ｓｅｃ、０．１５×１０−３ｃｍ２／ｓｅｃ、０．２×１０−３ｃｍ２／ｓｅｃ、０．２５×１０−３ｃｍ２／ｓｅｃ、またはそれ以上のイオノトンイオン透過係数を含んでもよい。低イオン透過性は、多くとも約０．２５×１０−３ｃｍ２／ｓｅｃ、０．２×１０−３ｃｍ２／ｓｅｃ、０．１５×１０−３ｃｍ２／ｓｅｃ、０．１×１０−３ｃｍ２／ｓｅｃ、０．０９×１０−３ｃｍ２／ｓｅｃ、０．０８×１０−３ｃｍ２／ｓｅｃ、０．０７×１０−３ｃｍ２／ｓｅｃ、０．０６×１０−３ｃｍ２／ｓｅｃ、０．０５×１０−３ｃｍ２／ｓｅｃ、０．０４×１０−３ｃｍ２／ｓｅｃ、０．０３×１０−３ｃｍ２／ｓｅｃ、０．０２×１０−３ｃｍ２／ｓｅｃ、０．０１×１０−３ｃｍ２／ｓｅｃ、またはそれ以下のイオノトンイオン透過係数を含んでもよい。低イオン透過性は、先述の値のいずれか２つにより規定される範囲内にあるイオノトンイオン透過係数を含んでもよい。低イオン透過性は、約０．２５×１０−３ｃｍ２／ｓｅｃ以下、例えば約０．０８×１０−３ｃｍ２／ｓｅｃ以下のイオノトンイオン透過係数を含むことができる。
【０４９０】
動的コンタクトレンズは、動的コンタクトレンズの少なくとも前面に配置される湿潤性表面を備えていてもよく、これにより涙膜は動的コンタクトレンズ上で滑らかとなる。湿潤性表面コーティングは、患者の快適性のため、例えば患者がまばたきするときに眼を潤滑させるための潤滑性コーティングを含んでもよい。湿潤性コーティングは、約８０°以下の接触角を作り出すことができる。例えばこのコーティングは、約７０°以下の接触角を形成することができ、この接触角は、視力のための滑らかな涙層を有する表面を設けるために約５５°〜６５°の範囲内にあってもよい。例えば湿潤性コーティングは、デバイスの上面と下面の両方に、すなわち動的コンタクトレンズの前面と後面に配置することができる。この上面は、少なくとも内側光学部分にわたって延在する湿潤性コーティングを含む場合がある。
【０４９１】
湿潤性コーティングは１つ以上の適切な材料を含んでもよい。例えば湿潤性コーティングはポリエチレングリコール（ＰＥＧ）を含む場合があり、ＰＥＧコーティングはＰａｒｙｌｅｎｅ（商標）に配置することができる。代替的に、または組み合わせにおいて、湿潤性コーティングはプラズマコーティングを含んでもよく、プラズマコーティングは発光化学蒸着（ＬＣＶＤ）膜を含んでもよい。例えばプラズマコーティングは、炭化水素、例えばＣＨ４、Ｏ２、またはフッ素含有炭化水素、例えばＣＦ４コーティングのうち少なくとも１つを含んでもよい。代替的に、または組み合わせにおいて、湿潤性コーティングは、ポリエチレングリコール（ＰＥＧ）コーティングまたは２−ヒドロキシエチルメタクリレート（ＨＥＭＡ）を含んでもよい。例えば湿潤性コーティングは、Ｐａｒｙｌｅｎｅ（商標）コーティング、または湿潤性コーティングに配置されるＨＥＭＡを含んでもよい。
【０４９２】
本発明の開示により提供される動的コンタクトレンズは、水分含有量が例えば３０重量％〜６０重量％など１０重量％〜７０重量％であってもよく、重量％は動的コンタクトレンズの総重量に基づくものである。
【０４９３】
本発明の開示により提供される動的コンタクトレンズは、コンタクトレンズ、具体的にはソフトコンタクトレンズの製造に適した任意の方法を用いて製造することができる。適切な方法の例として圧縮成形が挙げられる。動的コンタクトレンズは、製造時に、光学部分が外側に隆起することでドーム状の傍中心隆起、または他の前方に向けられた表面形状を形成するように製造することができる。
【０４９４】
動的コンタクトレンズの製造方法は例えば、動的コンタクトレンズを形成する工程を含んでおり、該動的コンタクトレンズは、光学部分であって、矢状高さと中心厚みを含むとともに、中心厚みが矢状高さよりも小さい光学部分と、前記光学部分につなげられる周辺部分であって、角膜上で動的コンタクトレンズを保持するように構成される周辺部分とを備えている。動的コンタクトレンズの製造方法は例えば、動的コンタクトレンズを形成する工程を含んでおり、該動的コンタクトレンズは、光学後面ベース曲率により特徴づけられる光学部分と、前記光学部分につなげられるとともに後面ベース曲率を含む周辺部分を備えており、光学後面ベース曲率は周辺後面ベース曲率と異なるものである。例えば、光学部分の曲率半径は、周辺部分の曲率半径よりも小さくすることができる。例えば、光学部分の曲率半径は、傍中心周辺部分の曲率半径よりも小さくすることができ、ここで傍中心周辺部分は、移行部と光学部分に隣接する周辺部分の一部である。動的コンタクトレンズの製造に使用される材料は、従来のソフトコンタクトレンズでの使用に適した材料であってもよい。この材料のヤング率は、例えば０．０５ＭＰａ〜３０ＭＰａ、０．１ＭＰａ〜２０ＭＰａ、０．１ＭＰａ〜１０ＭＰａ、０．１ＭＰａ〜５ＭＰａ、または０．１ＭＰａ〜２ＭＰａであってもよい。
【０４９５】
本発明の開示により提供される動的コンタクトレンズは、製造時のＳＡＧ高さで製造することができる。製造時の中心矢状高さとは、光学部分の中心にある後面から、光学部分に隣接する中心周辺部分に対するベース曲率の延長部までの距離を指す。製造時の中心ＳＡＧは図１の要素（１１０）として示されており、破線は、光学部分の下にある中心周辺部分のベース曲率の延長部である。製造時のＳＡＧ高さは、涙液で満たすとレンズ状涙体を形成する場合にレンズが角膜と光学部分に配されるときに達成可能な、最大の隙間である。涙液の利用可能性を含む多くの要因に応じて、製造時の矢状高さが４０μｍである光学部分は、例えば、隙間が４０μｍ、３０μｍ、２０μｍ、および／または１０μｍの準安定涙体を生成することができる。製造時のＳＡＧ高さが１００μｍの光学部分は、例えば、隙間が１００μｍ、９０μｍ、８０μｍ、７０μｍ、６０μｍ、５０μｍ、４０μｍ、３０μｍ、および／または１０μｍの準安定涙体を生成することができる。
【０４９６】
本発明の開示により提供される動的コンタクトレンズは、視力を矯正または改善するために使用することができる。
【０４９７】
患者の視力を矯正するための方法は、視力矯正を必要とする患者の眼に、本発明の開示により提供される動的コンタクトレンズを適用する工程を含む場合がある。
【０４９８】
視力矯正は、遠視、近視、乱視、または老眼の矯正を含む場合がある。
【０４９９】
本発明の開示により提供される方法は、本発明の開示により提供される動的コンタクトレンズを老眼患者の眼に適用することにより老眼を処置する工程を含む。
【０５００】
本発明の開示により提供される動的コンタクトレンズは、視力を劇的に矯正するために設計することができる。例えば老眼は、目が近くの物体に焦点を合わせることができないことを特徴とする。本発明の開示により提供される動的コンタクトレンズの光学部分は、遠見視力または近見視力のいずれかに適合するように構成を劇的に変化させることができる。例えば、老眼に関連するように、遠くの物体を見るのに適切な第１の構成では、動的コンタクトレンズの光学部分は角膜の近くに置くことができる。この構成では、涙体はほとんどなく、遠見視力は矯正されていない。その後、患者が近くの物体を見るとき、動的コンタクトレンズの光学部分は、老眼を矯正して近くの物体をはっきり見やすくする第２の構成を呈することができる。これは、光学部分の半径方向厚みを変更することなく、または、光学部分の光学後面曲率と光学前面曲率との比を変更することにより、達成することができる。むしろ、光学部分が外側に隆起するにつれ、レンズ状光学涙体が拡張して、光学部分の前面の曲率を変化させることにより近見視力を動的に矯正するのに役立つ涙体を設ける。
【０５０１】
本発明の開示により提供される動的コンタクトレンズはさらに、老眼を矯正し、近視の進行を防ぐための多焦点レンズとしても使用することができる。
【０５０２】
本発明の開示により提供される動的コンタクトレンズの静的構成は、不規則角膜を補うため、乱視を処置するため、または角膜創傷治癒のために使用することができる。
【０５０３】
涙体を内蔵する動的コンタクトレンズは、不規則な形状の角膜から生じる視野を矯正することができる。不規則な形状の角膜は、光学的角膜切除術や角膜クロスリンキング処置（ｃｏｒｎｅａｌ  ｃｒｏｓｓ−ｌｉｎｋｉｎｇ  ｐｒｏｃｅｄｕｒｅ）を含む眼の手術などに起因して、永久的または一時的な場合がある。涙体は乱視を矯正することができる。このような疾病を処置するために、静的涙体を有する、本発明の開示により提供される動的コンタクトレンズが適切な場合がある。
【０５０４】
本発明の開示により提供される動的コンタクトレンズは、眼の治療後に視力を増強または回復させるために使用することができる。眼の治療は、眼組織の操作を含むとともに、光学領域外部にある病変と関連付けることができる。眼の治療は、眼組織を切開する工程と、光学領域内にデバイスを埋め込む工程とを含む場合がある。ある実施形態では、眼の治療は、間質および／または上皮の少なくとも一部を切除する工程を含む。眼の治療として例えば、水晶体乳化、従来の嚢外白内障摘出術、嚢内白内障摘出術などの白内障手術、レーザー線維柱帯形成術、虹彩切開術、周辺部虹彩切除術（ｉｒｄｅｃｔｏｍｙ）、強膜切開、隅角切開、ドレナージインプラント術（ｄｒａｉｎａｇｅ  ｉｍｐｌａｎｔ  ｓｕｒｇｅｒｙ）、カナロプラスティなどの緑内障手術、角膜移植手術、全層角膜移植、人工角膜移植術、翼状片切除、角膜タトゥー、改良型歯根部利用人工角膜などの角膜手術、光屈折角膜切除術（ＰＲＫ）やレーザー光線による近視手術（ＬＡＳＫＩ）などの光屈折療法を挙げることができる。眼の治療はさらに、眼の創傷を処置する工程を含む場合があり、この処置は眼の手術を含むこともあれば含まないこともある。眼の治療は、白内障手術、角膜象嵌手術、角膜移植手術、または眼外傷創の治療を含む場合がある。眼の治療は、角膜を切開する工程および／または光学領域の外部にある部位にて角膜を穿孔する工程を含む場合がある。
【０５０５】
通常、白内障手術、角膜インレー手術、角膜移植手術などの眼療法は、角膜の光学領域のみに対する操作、または主に角膜の光学領域に対する操作を含む眼療法と区別することができる。前者の眼療法は、取り除かれる眼組織の付属物または代替物としてのデバイスを眼組織に埋め込むという点で移植手術と考えることができ、この眼療法での手順は、光学領域外の眼組織のほか、光学領域自体を操作する工程を含む。後者の療法は、屈折視覚誤差を矯正するために角膜の光学領域が整えられる屈折手術により例示される。屈折矯正手術の例として、例えばＰＲＫやＬＡＳＩＫが挙げられる。角膜の光学領域の操作を含む眼療法は、治療が光学領域外部の眼組織の操作も含む程度にまで包含される。例えばＬＡＳＩＫは、光学領域外部の間質に切り傷を作り弁（ｆｌａｐ）を形成する工程を含む。次いで、この弁を持ち上げ裏返して間質を露出させる。その後にレーザーにより切除して、屈折矯正のための形状をもたらす。さらに、光学領域外の組織を含む眼の操作と、光学領域内の組織の操作を含む光屈折手術とを組み合わせることができる。例えば角膜インレー手術と、レーシック手術などの関連する光屈折手術とを組み合わせることができる。
【０５０６】
本発明の開示により提供される動的コンタクトレンズは、角膜インレー手術または角膜オンレー手術後に角膜を処置するために使用されてもよい。角膜インレーとオンレーは、視力を改善するために眼の前面、すなわち角膜の前面を再形成するべく角膜に挿入される、小型レンズといった光学デバイスであり、場合によっては小型コンタクトレンズに似せることができる。現在の角膜インレーの主な用途は、近見視力の改善、老眼の対処である。場合により角膜インレー手術は、近視、遠視、および／または乱視などのよく見られる屈折異常と老眼の両方を矯正するために、ＬＡＳＩＫなどの光学的角膜切除術と組み合わせることができる。
【０５０７】
本発明の開示により提供される動的コンタクトレンズは、白内障手術後に角膜を処置するために使用されてもよい。ある実施形態では、眼療法は白内障手術を含む。白内障手術は、不透明化が進み白内障と呼ばれる自然な眼のレンズの除去と交換を含む。
【０５０８】
本発明の開示により提供される動的コンタクトレンズは、角膜移植手術後に角膜を処置するために使用されてもよい。角膜移植療法として例えば、貫通角膜形成術、層状角膜形成術、深部前方層状角膜形成術、内皮角膜形成術が挙げられる。
【０５０９】
本発明の開示により提供されるコンタクトレンズは、眼療法後に患者の眼に適用されると、眼欠損の治癒を速める。眼欠損として、角膜および／または他の眼組織の切開と穿孔が挙げられる。
【０５１０】
本発明の開示により提供される動的コンタクトレンズは、クロスリンキング治療後に角膜を処置するために使用されてもよい。角膜のクロスリンキングは、角膜内の化学結合を強くすることで角膜が拡張症として知られる角膜形状の不規則変化に抵抗する能力を容易にする技法である。
【０５１１】
本発明の開示により提供される動的コンタクトレンズは、例えばＰＲＫやＬＡＳＩＫなどの光屈折療法後に角膜を処置するために使用されてもよい。眼の屈折矯正手術は、眼の屈折状態を改善するために使用されるものであり、例えば、自動層状角膜形成術（ＡＬＫ）、レーザー光線による近視手術（ＬＡＳＩＫ）、光屈折角膜切除術（ＰＲＫ）、レーザー光線による上皮下角膜曲率形成術（ＬＡＳＥＫ）、ＥＰＩ−ＬＡＳＩＫ、放射状角膜切開術、ミニ非対称放射状角膜切開術、乱視矯正角膜切開術、角膜輪部減張切開術、熱角膜形成術、角膜内リング区画除去、後眼房有水晶体眼内レンズ移植などが挙げられる。これらの処置のうちいずれかを行うと、最適な視力の回復に一定期間を要する。例えばＬＡＳＩＫでは、最適な視力は通常、手術後約２４時間以内に達成される。この回復期間中、最適以下の視力に加えて患者は、光恐怖症または光過敏および／または灼熱感などの不快感を経験する場合がある。最適な視力を達成するために時間を短縮し、かつ眼の屈折矯正手術に関連する不快感を軽減または排除する方法が望まれる。
【０５１２】
ＰＲＫは、光屈折誤差を矯正するべく間質を形成するのにレーザーが使用される外科的処置である。この処置では、切除した間質の一部を覆う上皮が、上皮欠損を生じさせるために除去される。
【０５１３】
ＬＡＳＩＫは、近視、遠視、乱視などの屈折視力誤差を矯正するために使用される外科的処置であり、この処置では、視力、例えば像の明瞭さと鮮明さを改善するべく角膜を再形成するためにレーザーが使用される。ＬＡＳＩＫ処置は、角膜の外科切除とレーザー切削術を必要とする。ＬＡＳＩＫの間、眼は柔らかい角膜吸引リング（ｃｏｒｎｅａｌ  ｓｕｃｔｉｏｎ  ｒｉｎｇ）を適用することで固定される。その後、ブレードまたはレーザーを使用して外側角膜に弁を作り、弁の一端にヒンジを残す。弁はその後、間質、または角膜の中間部分を露出させるために折り返される。レーザーを使用して角膜間質を蒸発させ、角膜を再形成して視力を矯正する。間質層が再形成された後、弁の位置を眼の上に変更し、自然な接着により適所にとどめる。最適な視力は通常、手術後約２４時間以内に達成される。
【０５１４】
本発明の開示により提供される動的コンタクトレンズは、乱視などの屈折誤差を矯正するように構成することができる。レンズは滑らかな球形の前面を呈しており、内部の光学部分のたわみを減らして摩耗中にレンズの芯出しを維持することにより、レンズにより誘導される歪みを最小限にする。内側光学部分の屈曲の低下は、内側部分の剛性を増大させること、および涙体を作り出すことにより部分的に達成することができる。内側光学部分の芯出しは、乱視、および光学系の傾きにより生じるプリズム効果を最小限にし、縁部の歪みを最小にする。
【０５１５】
上記は眼の意図的な操作に関連する眼療法に焦点を当てているが、動的コンタクトレンズとその使用方法は、例えば外傷創傷の処置など、眼に対する他の損傷を処置するのにも有用な場合もあることを、理解することができる。眼への外傷はまた浮腫も引き起こし、様々な眼組織間の界面を損なわせる場合がある。ゆえに、手術後の方法に加えて、本発明の開示により提供される動的コンタクトレンズは、眼に対する外傷創傷の治癒に有用である。外傷として例えば、鈍的外傷や貫通外傷などの物理的外傷、化学的外傷、爆風損傷、熱傷、心理的外傷が挙げられる。外傷創傷の処置は、埋め込まれた物理的物体を除去するか、または瘢痕組織を除去するなどの外科的処置を含む場合がある。外傷が浮腫と光学的不規則性を生じさせる程度にまで、動的コンタクトレンズの適用は、より迅速な視力回復をもたらし、かつ、関与する眼組織を安定化させることで治癒を促進させる。外傷はさらに、角膜前面を含む眼組織に欠陥を引き起こし、上皮および／または間質を伴い、内部眼組織に損傷を引き起こす場合がある。ゆえに創傷治癒は、必ずしも手術により生じない眼組織への物理損傷に関連する創傷治癒を含む。
【０５１６】
本発明の開示により提供される動的コンタクトレンズはさらに、予防デバイスとして使用されてもよい。例えば動的コンタクトレンズは、物理的外傷による損傷からの保護、化学物質からの保護、微粒子からの保護、および浮腫からの保護など、起こり得る損傷から眼を保護するために使用することができる。予防デバイスとして動的コンタクトレンズは、起こり得る損傷への予想される暴露の前に眼に適用することができる。起こり得る損傷から眼を保護するために装着した時、動的コンタクトレンズは、眼の前面に対する封を目的として物理障壁や化学障壁を提供することができ、および／または、爆風圧などの非物理力、あるいは他の身体部分への外傷により引き起こされる浮腫を防ぐか、または最小限にすることができる。ある実施形態では、起こり得る損傷から眼を保護することは、ガス、蒸気、塵、または煙から眼を保護することを含む。ある実施形態では、保護は浮腫からの保護を含む。
【実施例】
【０５１７】
本発明の開示により提供される実施形態は、以下の実施例を参照することによってさらに例示される。これら実施例は、本発明の開示により提供される動的コンタクトレンズ、およびその使用について記述している。
【０５１８】
実施例１：眼のモデルにおける動的コンタクトレンズの光学機能
移行機構を有する動的コンタクトレンズのＯＣＴ画像を図２０Ａと２０Ｂに示す。動的コンタクトレンズ（２００２）が角膜（２００１）を覆っている。図２０Ａに示すように、レンズ孔（２００５）は、涙液メニスカス（２００６）の涙液を、動的コンタクトレンズ（２００２）の周辺部分（２００７）の後面に配置された溝部（２００４）とつなげている。溝部（２００４）は動的コンタクトレンズの光学部分（２００８）の方へと面取りされ、そうすることで溝部（２００４）は、涙液メニスカスから、光学部分の後面と角膜の前面との間に形成される涙体（２００３）まで涙液を流体結合する。
【０５１９】
光学涙体（２００３）、および溝部（２００４）との流体結合の拡大図を図２０Ｂに示す。
【０５２０】
図２１Ａと２１Ｂは、患者の角膜（２１０１）上にある動的コンタクトレンズ（２１０２）の水平・垂直ＯＣＴ画像を示しており、涙液メニスカス（２１０６）でのレンズ孔（２１０５）を介した涙液と溝部（２１０４）との結合をさらに例示している。
【０５２１】
図２１Ｃは、角膜上の動的コンタクトレンズのＯＣＴ画像であり、涙液メニスカスと溝部との流体結合が示されており、光学部分の後面と角膜の前面との間の隙間高さは６８μｍである。溝部の寸法は４９８μｍである。
【０５２２】
図２２は、眼の下方注視中に動的コンタクトレンズ（２２０２）の光学部分と角膜（２２０１）との間に形成される涙体（２２０３）のＯＣＴ画像を示す。下方注視の間、眼瞼は動的コンタクトレンズの周辺部分に圧力をかけ、涙液を光学部分と角膜との間の体積に押し込み、涙体を変化させる。代替的に、または加えて、下方注視中の涙液メニスカスなどの涙液源への光学涙体の流体結合は、光学涙体を角膜から離れて隆起させるようなレンズ力を変化させることができる。図２２に示すように、この例では光学涙体（２２０３）の隙間高さは２９μｍである。
【０５２３】
実施例２：レンズ孔と溝部を備える動的コンタクトレンズ
表２に示すパラメータを有する動的コンタクトレンズを製造した。
【０５２４】
【表２】
2021535432.tif 000006
【０５２５】
動的コンタクトレンズを患者の角膜に置いた。図２３は、患者の眼の上にある動的コンタクトレンズの写真を示しており、レンズ孔（２３０１）が眼の光学領域外の左側にて明らかである。前方注視における角膜上の動的コンタクトレンズのＯＣＴ画像を図２４に示す。図２４は、動的コンタクトレンズ（２４０１）、角膜（２４０２）、光学部分（２４０３）、レンズ孔（２４０４）、および溝部（２４０５）を示しており、溝部（２４０５）は光学部分（２４０３）に向かうにつれて先細りになる。ＯＣＴ画像からの可視化は困難であったが、隙間高さは約１０μｍ〜１５μｍであった。
【０５２６】
少量用に調整したマイクロピペットを使用して、涙液０．１μＬを下部レンズ孔の上に配した。患者が真っ直ぐ前方を注視している状態の動的コンタクトレンズと角膜のＯＣＴ画像を図２５に示す。図２５に示すように、光学部分（２５０３）は直ちに前方へと隆起して、光学部分（２５０３）の中心と角膜（２５０２）との間に７０μｍの隙間を設けた。図２５は、光学部分（２５０１）と、角膜（２５０２）と、涙体（２５０３）と、レンズ孔（２５０４）と、移行部（２５０６）まで延在する後面溝部（２５０５）とを備えた動的コンタクトレンズのＯＣＴ画像を示す。
【０５２７】
実施例３：レンズ孔と溝部を備える動的コンタクトレンズ
表３に示すパラメータを有する動的コンタクトレンズを製造した。
【０５２８】
【表３】
2021535432.tif 000007
【０５２９】
表２のパラメータにより特徴づけられる動的コンタクトレンズを患者の眼に配した。一次注視（前方注視）では、レンズの光学部分を角膜に対する適合構成において平らにした。図２６（および上部水平ＯＣＴ部分）に示すように、後面溝部は１ｍｍ未満であり（図２７）、レンズ孔は中心より２．５ｍｍ下であり（図２８）、涙液メニスカスの約２．５ｍｍ上であった。図２６は角膜（２６０２）を覆う動的コンタクトレンズのＯＣＴ画像であり、光学部分（２６０１）は小さな涙体（２６０３）を伴う角膜（２６０２）にほぼ適合する。図２７は、後面溝部（２７０７）を示す動的コンタクトレンズの断面ＯＣＴ画像を示す。図２８は、角膜（２８０２）を覆う動的コンタクトレンズ（２８０１）の断面ＯＣＴ画像を示しており、後溝（２８０７）とレンズ孔（２８０８）が示されている。
【０５３０】
患者はその後、読み取り位置において視線を約４０度下方にそらした。図２９に示すように、下方注視の間、下部レンズ孔は涙液メニスカスに流体結合するようになり、それにより、レンズ孔と溝部を介して涙液メニスカスは光学涙体と流体結合する。レンズ孔が涙液メニスカスに流体結合されると、光学部分は図３０に示すように直ちに前方に隆起し、レンズの後面と角膜との間に４０μｍの隙間が形成される。図３０は、角膜（３００２）を覆う動的コンタクトレンズ（３００１）のＯＣＴ画像を示しており、涙体（３００６）は光学部分（３００３）の後面と角膜（３００２）との間にある。図３１は、下方注視中の後面溝部（３１０７）を示すＯＣＴ画像である。
【０５３１】
本発明のさらなる態様
態様１．コンタクトレンズであって、光学後面ベース曲率および光学中心を備えた光学部分と、後学中心と、周辺部分とを備えており、前記周辺部分が、周辺後面ベース曲率と、前記光学部分と前記周辺部分をつなげる移行部とを備えており、前記移行部が、前記光学中心から半径３．５ｍｍ未満に位置しており、中心ベース曲率（本明細書では光学後面ベース曲率とも称する）は７．４ｍｍ未満であり、前記周辺ベース曲率が前記中心ベース曲率よりも少なくとも０．４ｍｍ大きい、コンタクトレンズ。
【０５３２】
態様１．１．前記光学後面ベース曲率が７．３ｍｍ未満である、態様１に記載のコンタクトレンズ。
【０５３３】
態様１．２．前記光学後面ベース曲率が７．２ｍｍ未満である、態様１に記載のコンタクトレンズ。
【０５３４】
態様１．３．前記光学後面ベース曲率が７．１ｍｍ未満である、態様１に記載のコンタクトレンズ。
【０５３５】
態様１．４．前記光学後面ベース曲率が７．０ｍｍ未満である、態様１に記載のコンタクトレンズ。
【０５３６】
態様１．５．前記光学後面ベース曲率が６．９ｍｍ未満である、態様１に記載のコンタクトレンズ。
【０５３７】
態様１．６．前記光学後面ベース曲率が６．８ｍｍ未満である、態様１に記載のコンタクトレンズ。
【０５３８】
態様１．７．前記光学後面ベース曲率が６．７ｍｍ未満である、態様１に記載のコンタクトレンズ。
【０５３９】
態様１．８．前記光学後面ベース曲率が６．６ｍｍ未満である、態様１に記載のコンタクトレンズ。
【０５４０】
態様１．９．前記光学後面ベース曲率が６．５ｍｍ未満である、態様１に記載のコンタクトレンズ。
【０５４１】
態様１．１０．前記中心ベース曲率の真隣にある曲率が、前記中心ベース曲率よりも少なくとも０．２ｍｍ大きい、態様１に記載のコンタクトレンズ。
【０５４２】
態様２．コンタクトレンズであって、該コンタクトレンズは、光学後面ベース曲率を備えた光学部分と、周辺後面ベース曲率を備えた周辺部分と、前記光学部分と前記周辺部分をつなげる移行部とを備えており、前記移行部が１５０ミクロン以下の半径方向幅を備えている、コンタクトレンズ。
【０５４３】
態様３．コンタクトレンズであって、該コンタクトレンズは、光学後面ベース曲率を備えた光学部分と、周辺後面ベース曲率を備えた周辺部分と、前記光学部分と前記周辺部分をつなげる移行部とを備えており、前記移行部が一定の外周と厚みを備えており、該厚みが前記移行部の外周まわりで変動する、コンタクトレンズ。
【０５４４】
態様４．コンタクトレンズであって、該コンタクトレンズは、光学中心、光学後面ベース曲率、および光学後面を備えた光学部分と、周辺後面ベース曲率、周辺後面、および周辺前面を備えた周辺部分と、前記光学部分と前記周辺部分をつなげる移行部と、前記周辺後面に設けられる１つ以上の溝部であって、少なくとも１つの溝部が前記周辺後面から前記光学部分まで延在する溝部と、前記少なくとも１つの溝部を前記周辺前面に接続する少なくとも１つのレンズ孔とを備えており、前記移行部が一定の外周と厚みを備えており、前記厚みが前記移行部の外周まわりで変動し、前記光学後面ベース曲率が７．１ｍｍ未満であり、前記周辺後面ベース曲率が、前記光学中心から半径３．５ｍｍ未満で前記光学後面ベース曲率よりも少なくとも０．４ｍｍ大きい、コンタクトレンズ。
【０５４５】
態様５．コンタクトレンズであって、該コンタクトレンズは、光学中心、光学後面ベース曲率、および光学後面を備えた光学部分と、周辺後面ベース曲率、周辺直径、周辺後面、および周辺前面を備えた、前記光学部分につなげられる周辺部分とを備えており、前記コンタクトレンズは、患者の眼に装着されると、前記光学部分が角膜と前記光学後面との間にレンズ体を形成するように構成され、該レンズ体が前記角膜上で直径少なくとも１．５ｍｍ、高さ少なくとも０．０１ｍｍである、コンタクトレンズ。
【０５４６】
態様６．コンタクトレンズであって、該コンタクトレンズは、光学後面ベース曲率を備えた光学部分と、前記光学部分につなげられるとともに周辺後面ベース曲率および周辺直径を備えた周辺部分とを備えており、前記コンタクトレンズは、患者の眼に装着されると、前記光学部分が第１の準安定構成と第２の準安定構成を呈することができるように構成される、コンタクトレンズ。
【０５４７】
態様７．コンタクトレンズであって、該コンタクトレンズは、光学後面を備えた光学部分と、周辺後面を備えた周辺部分と、前記光学部分と前記周辺部分をつなげる移行部とを備えており、前記コンタクトレンズは、患者の眼に装着されると、前記光学部分にかけられる圧力に応じて前記光学部分が複数の構成を呈することができるように構成され、前記光学後面に陰圧がかけられると、前記光学後面が、前記角膜の前面に対してほぼ一致する１つ以上の構成を呈し、陰圧がない状態では、前記光学後面が、前記光学後面と前記角膜の前面との間に涙体をもたらす中性構成を呈する、コンタクトレンズ。
【０５４８】
態様８．前記ほぼ一致する１つ以上の構成において、前記光学後面と前記角膜の前面との間の涙膜の厚みが、１０μｍ未満まで変動する、態様７に記載のコンタクトレンズ。
【０５４９】
態様９．前記ほぼ一致する１つ以上の構成において、前記光学後面と前記角膜の前面との間の涙膜の厚みが、３μｍ未満まで変動する、態様７に記載のコンタクトレンズ。
【０５５０】
態様１０．前記陰圧が５Ｐａ〜１，５００Ｐａである、態様７から９のいずれか１つに記載のコンタクトレンズ。
【０５５１】
態様１１．前記陰圧が１０Ｐａ〜２５０Ｐａである、態様７から９のいずれか１つに記載のコンタクトレンズ。
【０５５２】
態様１２．前記周辺後面ベース曲率が７．５ｍｍ〜９．５ｍｍであり、前記周辺後面ベース曲率と前記光学後面ベース曲率との差は０．４ｍｍを超える、態様２、３、および５から１１のいずれか１つに記載のコンタクトレンズ。
【０５５３】
態様１３．前記光学後面ベース曲率が６．８ｍｍ未満である、態様１から１２のいずれか１つに記載のコンタクトレンズ。
【０５５４】
態様１４．前記移行部が、該移行部の外周まわりで変動する厚みを有する、態様１から１３のいずれか１つに記載のコンタクトレンズ。
【０５５５】
態様１５．前記移行部が、該移行部の外周まわりで規則的なパターンで変動する厚みを有する、態様１から１３のいずれか１つに記載のコンタクトレンズ。
【０５５６】
態様１６．前記移行部が、該移行部全体にわたり延在する１つ以上の切れ目を備えている、態様１から１３のいずれか１つに記載のコンタクトレンズ。
【０５５７】
態様１７．前記１つ以上の切れ目が、前記周辺部分の後面にあって前記光学部分へと延在する１つ以上の後面溝部を備えている、態様１６に記載のコンタクトレンズ。
【０５５８】
態様１８．前記１つ以上の後面溝部がレンズ孔につなげられる、態様１７に記載のコンタクトレンズ。
【０５５９】
態様１９．前記１つ以上の後面溝部が涙液貯蔵部につなげられる、態様１７に記載のコンタクトレンズ。
【０５６０】
態様２０．前記光学後面ベース曲率が７．１ｍｍ未満であり、前記周辺後面ベース曲率が前記光学後面ベース曲率よりも少なくとも０．４ｍｍ大きい、態様１から１９のいずれか１つに記載のコンタクトレンズ。
【０５６１】
態様２１．前記光学部分と前記周辺部分の各々が、弾性率０．１ＭＰａ〜１０ＭＰａの材料を備えている、態様１から２０のいずれか１つに記載のコンタクトレンズ。
【０５６２】
態様２２．前記周辺後面に設けられた１つ以上の後面溝部を備えており、ここで少なくとも１つの後面溝部が、前記周辺後面から前記光学部分まで延在している、態様１から２１のいずれか１つに記載のコンタクトレンズ。
【０５６３】
態様２３．前記１つ以上の後面溝部の各々が、前記光学部分の中心から放射状に延在している、態様４および２２のいずれか１つに記載のコンタクトレンズ。
【０５６４】
態様２４．前記コンタクトレンズを患者の眼に装着すると、前記光学部分が第１の準安定構成と第２の準安定構成により特徴づけられ、コンタクトレンズと眼の動作との相互作用により、前記第１の準安定構成と前記第２の準安定構成との間に移行が生じる、態様１から２３のいずれか１つに記載のコンタクトレンズ。
【０５６５】
態様２５．前記第１の準安定構成が第１の隙間高さを備えており、前記第２の準安定構成が第２の隙間高さを備えており、前記第１の隙間高さと前記第２の隙間高さは異なるものであり、前記隙間高さは前記光学後面の中心から前記角膜までの距離である、態様２４に記載のコンタクトレンズ。
【０５６６】
態様２６．前記眼の動作は眼のむき眼位を変えることを含む、態様２４または２５に記載のコンタクトレンズ。
【０５６７】
態様２７．前記第１の準安定構成において、前記光学部分が第１の光強度を備えており、前記第２の準安定構成において、前記光学部分が第２の光強度を備えており、前記第１の光強度は前記第２の光強度と異なる、態様２４から２６のいずれか１つに記載のコンタクトレンズ。
【０５６８】
態様２８．前記コンタクトレンズが患者の眼に装着されると、前記光学後面と前記角膜の前面との間に光学涙体が形成され、前記第１の準安定構成において、前記光学涙体が第１の体積を備えており、前記第２の準安定構成において、前記光学涙体が第２の体積を備えており、前記第１の体積は前記第２の体積と異なる、態様２４から２７のいずれか１つに記載のコンタクトレンズ。
【０５６９】
態様２９．前記コンタクトレンズが患者の眼に装着されると、前記光学後面と前記角膜の前面との間に光学涙体が形成され、前記第１の準安定構成において、前記光学涙体が第１の形状を備えており、前記第２の準安定構成において、前記光学涙体が第２の形状を備えており、前記第１の形状は前記第２の形状と異なる、態様２４から２８のいずれか１つに記載のコンタクトレンズ。
【０５７０】
態様３０．前記第１の準安定構成が、第１の距離から中心窩上の像に焦点を当てる光強度を提供し、前記第２の準安定構成が、第２の距離から中心窩上の像に焦点を当てる光強度を提供する、態様２４から２９のいずれか１つに記載のコンタクトレンズ。
【０５７１】
態様３１．前記コンタクトレンズが患者の眼に装着されると、前記光学部分が第１の準安定構成と第２の準安定構成により特徴づけられ、前記光学後面と前記角膜の前面との間に光学涙体が形成され、前記第１の準安定構成と前記第２の準安定構成との間での移行は、涙液が前記光学涙体の中と外に流れることにより調節される、態様１から３０のいずれか１つに記載のコンタクトレンズ。
【０５７２】
態様３２．前記コンタクトレンズが患者の眼に装着されると、前記光学部分が第１の準安定構成と第２の準安定構成により特徴づけられ、前記光学後面と前記角膜の前面との間に光学涙体が形成され、前記第１の準安定構成と前記第２の準安定構成との間での移行は、前記光学涙体と涙液メニスカスとの流体結合と流体分離によって調節される、態様１から３０のいずれか１つに記載のコンタクトレンズ。
【０５７３】
態様３３．前記コンタクトレンズが患者の眼に装着されると、前記光学部分が第１の準安定構成と第２の準安定構成により特徴づけられ、前記コンタクトレンズは、前記周辺後面を前記周辺前面に接続する１つ以上のレンズ孔を備えており、１つ以上のレンズ孔を涙液メニスカスに流体結合することにより、前記光学部分の前記光強度に変化が生じる、態様１から３０のいずれか１つに記載のコンタクトレンズ。
【０５７４】
態様３４．前記コンタクトレンズが患者の眼に装着されると、前記光学部分が第１の準安定構成と第２の準安定構成により特徴づけられ、前記コンタクトレンズは、前記周辺後面を前記周辺前面に接続する１つ以上のレンズ孔を備えており、１つ以上のレンズ孔を涙液メニスカスから流体分離することにより、前記光学部分の前記光強度に変化が生じる、態様１から３０のいずれか１つに記載のコンタクトレンズ。
【０５７５】
態様３５．前記コンタクトレンズは、前記周辺後面の中にある少なくとも１つの溝部であって、該少なくとも１つの溝部が前記周辺後面から前記光学部分まで延在している、溝部と、前記少なくとも１つの溝部を前記周辺前面に接続する少なくとも１つのレンズ孔とを備えている、態様１から３４のいずれか１つに記載のコンタクトレンズ。
【０５７６】
態様３６．前記コンタクトレンズが患者の眼に装着されると、前記光学部分の後面と前記角膜の前面との間に光学涙体が形成される、態様１から３５のいずれか１つに記載のコンタクトレンズ。
【０５７７】
態様３７．前記コンタクトレンズが患者の眼に装着されると、前記光学部分の後面と前記角膜の前面との間に隙間が形成され、該隙間の高さは最大１μｍ〜２００μｍである、態様１から３５のいずれか１つに記載のコンタクトレンズ。
【０５７８】
態様３８．前記光学部分は前記コンタクトレンズの中心軸に集中する、態様１から３７のいずれか１つに記載のコンタクトレンズ。
【０５７９】
態様３９．前記光学部分は前記コンタクトレンズの中心軸に集中しない、態様１から３７のいずれか１つに記載のコンタクトレンズ。
【０５８０】
態様４０．前記光学部分は前記コンタクトレンズの中心軸から４５度未満の角度である軸に集中する、態様１から３７のいずれか１つに記載のコンタクトレンズ。
【０５８１】
態様４１．前記光学部分が、範囲３０μｍ〜６００μｍ内の最大厚みを備えている、態様１から４０のいずれか１つに記載のコンタクトレンズ。
【０５８２】
態様４２．前記光学部分が、範囲２Ｅ３  ＭＰａ×μｍ３〜３Ｅ９  ＭＰａ×μｍ３の最大剛性を備えている、態様１から４１のいずれか１つに記載のコンタクトレンズ。
【０５８３】
態様４３．前記光学部分、前記周辺部分、またはその両方は、前記コンタクトレンズが患者の眼に装着されたときに前記光学後面と前記角膜の前面との間に形成される光学涙体の中と外に涙液を運ぶように構成された、少なくとも１つの機構を備えている、態様１から４２のいずれか１つに記載のコンタクトレンズ。
【０５８４】
態様４４．前記光学涙体の中と外への涙液の輸送は、前記光学部分の第１の準安定構成と前記光学部分の第２の準安定構成との間の移行に関連付けられる、態様４３に記載のコンタクトレンズ。
【０５８５】
態様４５．前記少なくとも１つの機構が、後面溝部、前面溝部、レンズ孔、涙液貯蔵部、突出部、くぼみ部、バルブ、バルブを備えたレンズ孔、ある幾何学的形状の光学部分、ある幾何学的形状の周辺部分、またはこれらいずれかの任意の組み合わせを備えている、態様４３に記載のコンタクトレンズ。
【０５８６】
態様４６．前記涙液メニスカス中の涙液と光学涙体との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、態様４３から４５のいずれか１つに記載のコンタクトレンズ。
【０５８７】
態様４７．前記眼、眼瞼、またはそれらの組み合わせの動作により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、態様４３から４６のいずれか１つに記載のコンタクトレンズ。
【０５８８】
態様４８．前記涙液メニスカス中の涙液と、前記光学部分、前記周辺部分、前記少なくとも１つの機構のうち少なくとも２つとの相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、態様４３から４７のいずれか１つに記載のコンタクトレンズ。
【０５８９】
態様４９．前記光学涙体内の涙液と涙液源内の涙液との相互作用により、前記光学部分の第１の準安定構成と前記光学部分の第２の準安定構成との間に移行が誘導され、かつ、前記光学部分の第１の準安定構成、前記光学部分の第２の準安定構成、またはそれらの任意の組み合わせが維持される、態様４３から４７のいずれか１つに記載のコンタクトレンズ。
【０５９０】
態様５０．前記涙液源が、涙液貯蔵部、涙液くぼみ部、涙液メニスカス、またはそれらの任意の組み合わせを備えている、態様４９に記載のコンタクトレンズ。
【０５９１】
態様５１．相互作用が、凝視角の変化、眼瞼と前記コンタクトレンズとの相互作用、またはそれらの組み合わせにより誘導される、態様４９に記載のコンタクトレンズ。
【０５９２】
態様５２．前記相互作用が、前記光学涙体と涙液源との流体結合および流体分離を含む、態様４９に記載のコンタクトレンズ。
【０５９３】
態様５３．相互作用が、前記光学涙体と涙液メニスカスとの流体結合および流体分離を含む、態様４９に記載のコンタクトレンズ。
【０５９４】
態様５４．前記少なくとも１つの機構が１つ以上の後面溝部を備えており、該１つ以上の後面溝部の各々が前記周辺後面に設けられている、態様４３から４７のいずれか１つに記載のコンタクトレンズ。
【０５９５】
態様５５．前記１つ以上の後面溝部の少なくとも１つが、前記光学部分の外周と交わる、態様５４に記載のコンタクトレンズ。
【０５９６】
態様５６．前記少なくとも１つの機構が、前記周辺部分内に、前記周辺部分の後面に、前記周辺部分の前面に、またはそれらのいずれかを組み合わせた場所に設けられる、態様４３から５５のいずれか１つに記載のコンタクトレンズ。
【０５９７】
態様５７．前記少なくとも１つの機構が前記周辺前面に突出部を備えている、態様４３から５５のいずれか１つに記載のコンタクトレンズ。
【０５９８】
態様５８．前記コンタクトレンズは、前記周辺後面を前記周辺前面に接続する少なくとも１つのレンズ孔を備えており、前記少なくとも１つのレンズ孔がバルブを備えている、態様１から５７のいずれか１つに記載のコンタクトレンズ。
【０５９９】
態様５９．前記バルブがキャピラリーバルブを備えている、態様５８に記載のコンタクトレンズ。
【０６００】
態様６０．前記周辺前面に設けられる１つ以上の前面溝部と、前記１つ以上の前面溝部の各々に接続される１つ以上のレンズ孔とを備えており、ここで前記１つ以上のレンズ孔が、前記前面溝部を前記周辺後面に接続する、態様１から５９のいずれか１つに記載のコンタクトレンズ。
【０６０１】
態様６１．前記周辺後面に設けられるとともに前記１つ以上のレンズ孔のうち少なくとも１つに接続される、後面溝部を備えている、態様６０に記載のコンタクトレンズ。
【０６０２】
態様６２．前記１つ以上の後面溝部のうち少なくとも１つが前記光学部分にまで延在している、態様６１に記載のコンタクトレンズ。
【０６０３】
態様６３．放射状に設けられた複数の後面溝部と、１つ以上のレンズ孔とを備えており、ここで、該１つ以上のレンズ孔が、前記放射状に設けられた複数の後面溝部の各々につなげられている、態様１から６２のいずれか１つに記載のコンタクトレンズ。
【０６０４】
態様６４．前記周辺前面に設けられる１つ以上のへこみ部と、前記１つ以上のへこみ部の各々につなげられるレンズ孔とを備えている、態様１から６３のいずれか１つに記載のコンタクトレンズ。
【０６０５】
態様６５．前記レンズ孔が後面溝部につなげられている、態様６４に記載のコンタクトレンズ。
【０６０６】
態様６６．前記周辺部分が、前記周辺後面に設けられた空洞を備えている、態様１から６５のいずれか１つに記載のコンタクトレンズ。
【０６０７】
態様６７．前記空洞が、眼瞼との相互作用、目の動作、またはそれらの組み合わせに際して変形可能である、態様６６に記載のコンタクトレンズ。
【０６０８】
態様６８．前記周辺部分が、前記周辺前面に設けられたくぼみ部と、前記くぼみ部につなげられたレンズ孔と、前記レンズ孔につなげられた後面溝部とを備えており、前記後面溝部が前記光学部分にまで延在している、態様１から６７のいずれか１つに記載のコンタクトレンズ。
【０６０９】
態様６９．視力を矯正する方法であって、態様１から６８のいずれか１つに記載のコンタクトレンズを装着する工程を含む、方法。
【０６１０】
本発明の好ましい実施形態を本明細書において示し、記述してきたが、このような実施形態は単なる例として提供されることは当業者に明白であろう。本発明は、本明細書内に提供される具体例に限定されることを意図されていない。本発明は前記明細書を参照して記述されているが、本明細書における実施形態の記述と例示は、限定的な意味で解釈されることを意図したものではない。本発明から逸脱することなく、多数の変形、変更、および置換が当業者によって想到されるであろう。さらに、本発明の全態様は、様々な条件や変数に左右される、本明細書に記載の特定の叙述、構成、または相対的比率に限定されるものではないことを理解されたい。本明細書に記載の本発明の実施形態に対する様々な代案を本発明の実施に使用してもよいことを理解されたい。それゆえ、本発明は、このような代案、修正、変形、または等価物も包含するものであると考慮される。次の特許請求の範囲は本発明の範囲を規定するものであり、これら特許請求の範囲とその等価物の範囲内にある方法と構造がそれらによって包含されるものであると、意図されている。
【図１】
2021535432.tif 000008
【図２Ａ】
2021535432.tif 000009
【図２Ｂ】
2021535432.tif 000010
【図３Ａ】
2021535432.tif 000011
【図３Ｂ】
2021535432.tif 000012
【図３Ｃ】
2021535432.tif 000013
【図３Ｄ】
2021535432.tif 000014
【図４Ａ】
2021535432.tif 000015
【図４Ｂ】
2021535432.tif 000016
【図５Ａ】
2021535432.tif 000017
【図５Ｂ】
2021535432.tif 000018
【図６Ａ】
2021535432.tif 000019
【図６Ｂ】
2021535432.tif 000020
【図７Ａ】
2021535432.tif 000021
【図７Ｂ】
2021535432.tif 000022
【図７Ｃ】
2021535432.tif 000023
【図７Ｄ】
2021535432.tif 000024
【図８Ａ】
2021535432.tif 000025
【図８Ｂ】
2021535432.tif 000026
【図８Ｃ】
2021535432.tif 000027
【図９Ａ】
2021535432.tif 000028
【図９Ｂ】
2021535432.tif 000029
【図９Ｃ】
2021535432.tif 000030
【図９Ｄ】
2021535432.tif 000031
【図９Ｅ】
2021535432.tif 000032
【図９Ｆ】
2021535432.tif 000033
【図９Ｇ】
2021535432.tif 000034
【図９Ｈ】
2021535432.tif 000035
【図９Ｉ】
2021535432.tif 000036
【図１０】
2021535432.tif 000037
【図１１】
2021535432.tif 000038
【図１２】
2021535432.tif 000039
【図１３Ａ】
2021535432.tif 000040
【図１３Ｂ】
2021535432.tif 000041
【図１３Ｃ】
2021535432.tif 000042
【図１４】
2021535432.tif 000043
【図１５Ａ】
2021535432.tif 000044
【図１５Ｂ】
2021535432.tif 000045
【図１５Ｃ】
2021535432.tif 000046
【図１５Ｄ】
2021535432.tif 000047
【図１５Ｅ】
2021535432.tif 000048
【図１５Ｆ】
2021535432.tif 000049
【図１５Ｇ】
2021535432.tif 000050
【図１５Ｈ】
2021535432.tif 000051
【図１６Ａ】
2021535432.tif 000052
【図１６Ｂ】
2021535432.tif 000053
【図１６Ｃ】
2021535432.tif 000054
【図１７Ａ】
2021535432.tif 000055
【図１７Ｂ】
2021535432.tif 000056
【図１７Ｃ】
2021535432.tif 000057
【図１７Ｄ】
2021535432.tif 000058
【図１８Ａ】
2021535432.tif 000059
【図１８Ｂ】
2021535432.tif 000060
【図１８Ｃ】
2021535432.tif 000061
【図１９Ａ】
2021535432.tif 000062
【図１９Ｂ】
2021535432.tif 000063
【図１９Ｃ】
2021535432.tif 000064
【図２０Ａ】
2021535432.tif 000065
【図２０Ｂ】
2021535432.tif 000066
【図２１Ａ】
2021535432.tif 000067
【図２１Ｂ】
2021535432.tif 000068
【図２１Ｃ】
2021535432.tif 000069
【図２２】
2021535432.tif 000070
【図２３】
2021535432.tif 000071
【図２４】
2021535432.tif 000072
【図２５】
2021535432.tif 000073
【図２６】
2021535432.tif 000074
【図２７】
2021535432.tif 000075
【図２８】
2021535432.tif 000076
【図２９】
2021535432.tif 000077
【図３０】
2021535432.tif 000078
【図３１】
2021535432.tif 000079
【図３２】
2021535432.tif 000080
【国際調査報告】
2021535432.tif 000081
2021535432.tif 000082
2021535432.tif 000083